(57)【特許請求の範囲】
【請求項１】
一般式（１）
0003646399.tif 000064
［式中Ｒ１およびＲ２は炭素数１〜１５の直鎖もしくは分岐のアルキル基、炭素数２〜１５のアルケニル基、またはハロゲン原子、ＣＦ３、ＯＣＦ３、ＯＣＨＦ２基および１個以上のハロゲン原子が置換されていてもよいアルキル基を表し、これらの基中の１つまたは隣接しない１個以上のＣＨ２基を酸素原子、硫黄原子、−ＣＨ＝ＣＨ−、または−Ｃ≡Ｃ−で置換することができ、環Ａ、環Ｂ、環Ｃおよび環Ｄは、１，４−シクロヘキシレン基、１，４−ジオキサン−２，５−ジイル基、１，４−シクロヘキセニレン基、１，３−ピリミジン−２，５−ジイル基または１個以上のハロゲン原子が置換されていてもよい１，４−フェニレン基を表し、ｍおよびｎは相互に独立して０から２の整数であり、ｑおよびｒは相互に独立して１または２であり、ｏおよびｐは相互に独立して０から２の整数であるがｏ＋ｐ＝２である。Ｚ１およびＺ２は互いに独立して単結合、−（ＣＨ2 ）2 −、−ＣＨ＝ＣＨ−または−Ｃ≡Ｃ−である。なお化合物を構成する元素はその同位体元素で置換されていてもよい］で表されるフッ素置換結合基を有する液晶性化合物。
【請求項２】
一般式（１）においてｏ＝２、ｐ＝０で表される請求項１に記載の化合物。
【請求項３】
一般式（１）においてｏ＝１、ｐ＝１で表される請求項１に記載の化合物。
【請求項４】
一般式（１）においてｏ＝０、ｐ＝２で表される請求項１に記載の化合物。
【請求項５】
一般式（１）において環Ｂおよび環Ｃが共に１，４−フェニレン基である請求項１に記載の化合物。
【請求項６】
一般式（１）において環Ｂが１，４−フェニレン基で表される請求項４に記載の化合物。
【請求項７】
請求項１に記載の液晶性化合物を少なくとも１成分以上含むことを特徴とする、少なくとも２成分以上からなる液晶組成物。
【請求項８】
第一成分として請求項１ないし６のいずれかに記載の液晶性化合物を少なくとも１種類含有し、第二成分として、一般式（２）、（３）および（４）
0003646399.tif 000065
（式中、Ｒ3 は炭素数１〜１０のアルキル基を示し、Ｘ1 はＦ、Ｃｌ、ＯＣＦ3、ＯＣＦ2 Ｈ、ＣＦ3 、ＣＦ2 ＨまたはＣＦＨ2 を示し、Ｌ1 、Ｌ2 、Ｌ3 、およびＬ4 は相互に独立してＨまたはＦを示し、Ｚ3 およびＺ4 は相互に独立して−（ＣＨ2 ）2 −、−ＣＨ＝ＣＨ−または共有結合を示し、ａは１または２を示す）
からなる群から選択される化合物を少なくとも１種類含有することを特徴とする液晶組成物。
【請求項９】
第一成分として請求項１ないし６のいずれかに記載の液晶性化合物を少なくとも１種類含有し、第二成分として、一般式（５）、（６）、（７）、（８）および（９）
0003646399.tif 000066

（式中、Ｒ4 はＦ、炭素数１〜１０のアルキル基または炭素数２〜１０のアルケニル基を示し、該アルキル基またはアルケニル基中の任意のメチレン基（−ＣＨ2 −）は酸素原子（−Ｏ−）によって置換されていてもよいが、２つ以上のメチレン基が連続して酸素原子に置換されることはなく、環Ｅはトランス−１，４−シクロヘキシレン基、１，４−フェニレン基、ピリミジン−２，５−ジイル基または１，３−ジオキサン−２，５−ジイル基を示し、環Ｆはトランス−１，４−シクロヘキシレン基、１，４−フェニレン基またはピリミジン−２，５−ジイル基を示し、環Ｇはトランス−１，４−シクロヘキシレン基または１，４−フェニレン基を示し、Ｚ5 は−（ＣＨ2 ）2 −、−ＣＯＯ−または共有結合を示し、Ｌ5 およびＬ6 は相互に独立してＨまたはＦを示し、ｂおよびｃは相互に独立して０または１を示す）
0003646399.tif 000067

（式中、Ｒ5 は炭素数１〜１０のアルキル基を示し、Ｌ7 はＨまたはＦを示し、ｄは０または１を示す）
0003646399.tif 000068
（式中、Ｒ6 は炭素数１〜１０のアルキル基を示し、環Ｈおよび環Ｉは相互に独立してトランス−１，４−シクロヘキシレン基または１，４−フェニレン基を示し、Ｚ6 およびＺ7 は相互に独立して−ＣＯＯ−または共有結合を示し、Ｚ8 は−ＣＯＯ−または−Ｃ≡Ｃ−を示し、Ｌ8 およびＬ9 は相互に独立してＨまたはＦを示し、Ｘ2 はＦ、ＯＣＦ3 、ＯＣＦ2 Ｈ、ＣＦ3 、ＣＦ2 ＨまたはＣＦＨ2を示すが、Ｘ2 がＯＣＦ3 、ＯＣＦ2 Ｈ、ＣＦ3 、ＣＦ2 ＨまたはＣＦＨ2 を示す場合はＬ8 およびＬ9 は共にＨを示し、ｅ、ｆおよびｇは相互に独立して０または１を示す）
0003646399.tif 000069
（式中、Ｒ7 およびＲ8 は相互に独立して炭素数１〜１０のアルキル基または炭素数２〜１０のアルケニル基を示し、いずれにおいてもそのうちの任意のメチレン基（−ＣＨ2 −）は酸素原子（−Ｏ−）によって置換されていてもよいが、２つ以上のメチレン基が連続して酸素原子に置換されることはなく、環Ｊはトランス−１，４−シクロヘキシレン基、１，４−フェニレン基またはピリミジン−２，５−ジイル基を示し、環Ｋはトランス−１，４−シクロヘキシレン基または１，４−フェニレン基を示し、Ｚ9 は−Ｃ≡Ｃ−、−ＣＯＯ−、−（ＣＨ2 ）2 −、−ＣＨ＝ＣＨ−Ｃ≡Ｃ−または共有結合を示し、Ｚ10は−ＣＯＯ−または共有結合を示す）
0003646399.tif 000070
（式中、Ｒ9 およびＲ10は相互に独立して炭素数１〜１０のアルキル基または炭素数２〜１０のアルケニル基を示し、いずれにおいてもそのうちの任意のメチレン基（−ＣＨ2 −）は酸素原子（−Ｏ−）によって置換されていてもよいが、２つ以上のメチレン基が連続して酸素原子に置換されることはなく、環Ｌはトランス−１，４−シクロヘキシレン基、１，４−フェニレン基またはピリミジン−２，５−ジイル基を示し、環Ｍはトランス−１，４−シクロヘキシレン基、環上の１つ以上の水素原子がＦで置換されていてもよい１，４−フェニレン基またはピリミジン−２，５−ジイル基を示し、環Ｎはトランス−１，４−シクロヘキシレン基または１，４−フェニレン基を示し、Ｚ11およびＺ13は相互に独立して−ＣＯＯ−、−（ＣＨ2 ）2 −または共有結合を示し、Ｚ12は−ＣＨ＝ＣＨ−、−Ｃ≡Ｃ−、−ＣＯＯ−または共有結合を示し、ｈは０または１を示す）
からなる群から選択される化合物を少なくとも１種類含有することを特徴とする液晶組成物。
【請求項１０】
第一成分として、請求項１ないし６のいずれかに記載の液晶性化合物を少なくとも１種類含有し、第二成分の一部分として、請求項８に記載の一般式（２）、（３）および（４）からなる群から選択される化合物を少なくとも１種類含有し、第二成分の他の部分として、請求項９に記載の一般式（５）、（６）、（７）、（８）および（９）からなる群から選択される化合物を少なくとも１種類含有することを特徴とする液晶組成物。
【請求項１１】
請求項７から１０のいずれかに記載の液晶組成物を用いて構成した液晶表示素子。
【発明の詳細な説明】
【０００１】
【発明の属する技術分野】
本発明は、主としてＴＮ、ＳＴＮおよびＴＦＴ用液晶組成物において好適な諸物性を発現させる新規液晶性化合物としてのフッ素置換基を有する液晶性化合物、この液晶性化合物を用いた液晶組成物および液晶表示素子に関する。
【０００２】
【従来の技術】
液晶表示素子は、液晶物質が有する光学異方性および誘電率異方性を利用するもので、時計をはじめとして電卓、ワープロ、テレビ等に広く利用され、その需要も年々増加傾向にある。液晶相は、固体相と液体相の中間に位置し、ネマチック相、スメクチック相およびコレステリック相に大別される。中でもネマチック相を利用した表示素子が現在最も広く使用されている。一方表示方式はこれまで多数の方式が考案されてきたが、現在はツイストネマチック（ＴＮ）型、スーパーツイストネマチック（ＳＴＮ）型および薄膜トランジスタ（ＴＦＴ）型の３種類が主流となっている。これら種々の液晶表示素子に必要とされる液晶性化合物の性質はその使用用途に応じて種々異なるが、いずれの液晶物質も水分、空気、熱、光等外的環境因子に対して安定であること、また、室温を中心としてできるだけ広い温度範囲で液晶相を示し、低粘性でありかつ駆動電圧が低いことが要求される。しかし、これらの条件を同時に満たす単一の液晶物質は見いだされていない。通常液晶表示素子に用いられる液晶物質は個々の表示素子に要求される最適な誘電率異方性値（△ε）、屈折率異方性値（△ｎ）、粘度および弾性定数比Ｋ３３／Ｋ１１（Ｋ３３：ベンド弾性定数、Ｋ１１：スプレイ弾性定数）の値等の諸物性値に調整するために数種類から二十数種類の液晶性化合物および必要によりさらに数種類の非液晶性化合物を混合することにより、液晶組成物を調製し、表示素子に使用しているのが現状である。このため他の液晶化合物との相溶性、特に最近では種々の環境下での使用への要求から低温相溶性に関しても良好であることが要求される。
【０００３】
ところで近年、コントラスト、表示容量、応答時間等の表示性能の面からアクティブマトリックス方式、中でも薄膜トランジスタ（ＴＦＴ）方式がテレビジョンやビューファインダー等の表示モードとして盛んに採用されている。また、大きな表示容量を持ちながらアクティブマトリックス方式の表示素子と比較し、表示素子の構造が比較的簡単で安価に製造できるＳＴＮ方式もパーソナルコンピューター等のディスプレーとして多く採用されている。
【０００４】
これら分野における近年の開発傾向としては、携帯できることを特徴としたテレビやノート型パーソナルコンピューターに代表されるように液晶表示素子の小型携帯化とディスプレイ上でのマウス表示、テレビ等の動画表示に対する高速応答化を中心に開発が進められている。これらの背景から液晶材料としては駆動電圧、すなわちしきい値電圧が低く、かつ高速応答可能なものが要求される。さらに現在液晶表示素子の使用についてはアウトドアライフを中心とした使用用途が急増しており、気温変化、水分、紫外光等の外部環境の変化に安定な液晶材料も要求されている。
【０００５】
しきい値電圧（Ｖｔｈ）は以下の式（H.J.Deuling et al., Mol. Cryst. Liq. Cryst.,27(1975) 81 ）にて表されることが知られている。
Ｖｔｈ＝π（Ｋ／ε0 △ε）1/2 
上式においてＫは弾性定数、ε0 は真空の誘電率である。この式から判るようにしきい値電圧を低下させるには誘電率異方性（△ε）を大きくするか、または弾性定数を小さくするかの２通りの方法が考えられる。しかし実際には弾性定数のコントロールは非常に困難であるところから、しきい値電圧の低い液晶組成物は通常は誘電率異方性（△ε）の大きな液晶性化合物を多量に使用して構成されている。
【０００６】
また、応答速度については粘性が液晶パネルに配向した液晶分子の電場に対する応答速度を支配する重要な要素であることが既に報告されている（Ｐｈｙｓ．Ｌｅｔｔ．、３９Ａ、６９（１９７２））。すなわち高速応答性を示す液晶組成物を調製するためには、非常に粘性の低い液晶性化合物を多量に使用して液晶組成物を構成することが好ましい。
【０００７】
上述のことから、駆動電圧が低くかつ高速応答の可能な液晶組成物は、大きな誘電率異方性値を有し、さらに低粘性である液晶性化合物を使用すれば容易に得られると考えられる。しかしながら、現在誘電率異方性値が大きくかつ低粘性である液晶性化合物は事実上知られていない。これは通常誘電率異方性の大きさと粘度とは簡単ではないが比例的関係にあることが当該業者間では知られており、誘電率異方性値が大きくなる程、粘度が上昇する為である。
【０００８】
現在、ＴＦＴ方式の低電圧用液晶化合物として下記の化合物（１０）（特公昭６３−４４１３２号）および（１１）（米国特許５、０３２、３１３号）が開示されている。
【０００９】
【化８】
0003646399.tif 000002
【００１０】
（上記構造式においてＲはアルキル基を示す）
化合物（１０）および（１１）は分子末端の置換基としてフッ素原子を有する化合物であり、比較的大きな誘電率異方性値を示すことが明細書に開示されている。しかし、発明者らの考察では両化合物共、直環構造を有するため、他の液晶性化合物との相溶性、特に−４０度付近での極低温の相溶性に問題があり、低温になると液晶組成物中に結晶が析出、またはスメクチック相が発現するなどの欠点が予想される。さらに化合物（１１）においては比較的大きな粘性を示すことも予想される。これら問題を克服する目的で骨格構造を形成する２つの６員環の間に種々の結合基を挿入し、骨格構造の剛直性を低下させ、相溶性の向上を目的とした化合物として以下の化合物（（１２）〜（１６））が開示されている。
【００１１】
【化９】
0003646399.tif 000003
【００１２】
（上記構造式においてＲはアルキル基を示す）
これら化合物において（１２）は結合基として１，２−エチレン基を有し、（１３）および（１４）では１，４−ブチレン基を有する。さらに（１５）および（１６）は結合基としてジフルオロメチレンオキシ(-CF2O-)基を有する化合物である。本発明者らの検討では、化合物（１２）は比較的優れた相溶性を示すものの、極低温下での相溶性はまだ不十分であり、また化合物（１３）および（１４）は、挿入された１，４−ブチレン基により非常に優れた低温相溶性を示すものの、結合基が剛直性を著しく損なう為、透明点も大きく低下し、広い液晶相温度範囲は期待できない。さらに化合物（１５）および（１６）では特許明細書中に化合物の物理データならびに液晶性化合物としての有用性を評価する記載が全くないが、化合物（１５）では結合基であるジフルオロメチレンオキシ基の２つのフッ素原子の双極子モーメントが分子末端置換基であるフッ素原子の双極子モーメントの増加に有効に寄与し、比較的大きな誘電率異方性を示すと共に比較的優れた低温相溶性を示すと予想される。しかし、２環構造であること、さらに結合基であるジフルオロメチレンオキシ基が分子の剛直性ならびに直線性を大きく阻害するため、化合物（１３）、（１４）と同様に広い液晶相温度範囲は期待できない。さらに化合物（１６）では結合基であるジフルオロメチレンオキシ基の双極子モーメントの方向が末端置換基であるフッ素原子のそれと逆方向を向くため大きな誘電率異方性は期待できない。また（１２）〜（１６）の化合物はいずれも結合基を持たない直環系のもの（例えば化合物（１０））と比較し大きな粘性を示すことが容易に予想される。
【００１３】
この様に比較的広い液晶相温度範囲を示し、同時に大きな誘電率異方性を有し、低粘性でありかつ低温相溶性に著しく優れた化合物は未だ見出されていない。従ってこれら課題を解決する改善された特性を有する化合物が待望されている。
【００１４】
【発明が解決しようとする課題】
本発明の課題は、低電圧駆動および高速応答可能な液晶材料として、
１）低いしきい値電圧を示し、
２）低粘性であり、
３）他の既知の液晶性化合物との相溶性、特に低温相溶性に優れた特性を有する新規な液晶性化合物およびこれを含有する液晶組成物、さらにそれらを使用した液晶表示素子を提供することにある。
【００１５】
【課題を解決するための手段】
ジフルオロメチレンオキシ基を結合基として有する化合物については既に従来の技術の項にも示した化合物（１５）および（１６）がそれぞれ特開平５−１１２７７８号公報および特開平２−２８９５２９号公報にて構造式が開示されている。しかし上記公報中には数個の化合物構造式の記載はあるものの化合物の物理データならびに液晶性化合物としての有用性を評価する具体的な物性値等は全く開示されておらず、結合基の特徴は全く知られていなかった。
【００１６】
そこで発明者らは、液晶性を損なうものの、低温相溶性に著しく優れた１，４−ブチレン基に注目し、その中の隣接する２つのメチレン（ＣＨ2 ）基をジフルオロメチレンオキシ基に置換した結合基を有する本願の請求項に掲げた一般式（１）で表される化合物について鋭意検討したところ、１，４−ブチレン基の特徴である優れた低温相溶性を維持しつつ、非常に大きな誘電率異方性を示すばかりか、当初発明者らが予想したよりも極めて低粘性であることを見い出した。さらにジフルオロメチレンオキシ基の置換により１，４−ブチレン基の欠点である液晶性についても改善がなされ、比較的広い液晶相温度範囲を示す他、外部環境の変化（紫外光、熱等）に対しても著しく安定であることを見出した。
【００１７】
さらに本発明の化合物の利用として置換基Ｒ1 にアルキル基、Ｒ2 にフッ素原子、塩素原子、ＣＦ3 基、ＯＣＦ3 基またはＯＣＨＦ2 基を選択したものは低粘性でありながら、大きな誘電率異方性値および高い電圧保持率を示し、ＴＦＴ方式の表示素子用の液晶材料、特に低電圧駆動、高速応答用に好ましい特性を示し、一方置換基Ｒ1 にアルキル基またはアルケニル基、Ｒ2 にアルケニル基またはＣＮ基を選択したものは、極めて低粘性かつ高い透明点を有し、ＳＴＮ表示素子用の減粘剤として非常に有用であることを見いだし、新規液晶性物質として請求項に掲げる化合物を発明するに至った。
【００１８】
上記課題を達成するため、本願で特許請求される発明は以下の通りである。
（１）一般式（１）
【００１９】
0003646399.tif 000004
［式中Ｒ１およびＲ２は炭素数１〜１５の直鎖もしくは分岐のアルキル基、炭素数２〜１５のアルケニル基、またはハロゲン原子、ＣＦ３、ＯＣＦ３、ＯＣＨＦ２基および１個以上のハロゲン原子が置換されていてもよいアルキル基を表し、これらの基中の１つまたは隣接しない１個以上のＣＨ２基を酸素原子、硫黄原子、−ＣＨ＝ＣＨ−、または−Ｃ≡Ｃ−で置換することができ、環Ａ、環Ｂ、環Ｃおよび環Ｄは、１，４−シクロヘキシレン基、１，４−ジオキサン−２，５−ジイル基、１，４−シクロヘキセニレン基、１，３−ピリミジン−２，５−ジイル基または１個以上のハロゲン原子が置換されていてもよい１，４−フェニレン基を表し、ｍおよびｎは相互に独立して０から２の整数であり、ｑおよびｒは相互に独立して１または２であり、ｏおよびｐは相互に独立して０から２の整数であるがｏ＋ｐ＝２である。Ｚ１およびＺ２は互いに独立して単結合、−（ＣＨ2 ）2 −、−ＣＨ＝ＣＨ−または−Ｃ≡Ｃ−である。なお化合物を構成する元素はその同位体元素で置換されていてもよい］で表されるフッ素置換結合基を有する液晶性化合物。
【００２０】
（２）一般式（１）においてｏ＝２、ｐ＝０で表される（１）に記載の化合物。
（３）一般式（１）においてｏ＝１、ｐ＝１で表される（１）に記載の化合物。
（４）一般式（１）においてｏ＝０、ｐ＝２で表される（１）に記載の化合物。
（５）一般式（１）において環Ｂおよび環Ｃが共に１，４−フェニレン基である（１）に記載の化合物。
（６）一般式（１）において環Ｂが１，４−フェニレン基で表される（４）に記載の化合物。
（７）（１）に記載の液晶性化合物を少なくとも１成分以上含むことを特徴とする、少なくとも２成分以上からなる液晶組成物。
（８）第一成分として（１）ないし（６）のいずれかに記載の液晶性化合物を少なくとも１種類含有し、第二成分として、一般式（２）、（３）および（４）
【００２１】
【化１１】
0003646399.tif 000005
（式中、Ｒ3 は炭素数１〜１０のアルキル基を示し、Ｘ1 はＦ、Ｃｌ、ＯＣＦ3 、ＯＣＦ2 Ｈ、ＣＦ3 、ＣＦ2 ＨまたはＣＦＨ2 を示し、Ｌ1 、Ｌ2 、Ｌ3 、およびＬ4 は相互に独立してＨまたはＦを示し、Ｚ3 およびＺ4 は相互に独立して−（ＣＨ2 ）2 −、−ＣＨ＝ＣＨ−または共有結合を示し、ａは１または２を示す）
からなる群から選択される化合物を少なくとも１種類含有することを特徴とする液晶組成物。
【００２３】
（９）  第一成分として（１）ないし（６）のいずれかに記載の液晶性化合物を少なくとも１種類含有し、第二成分として、一般式（５）、（６）、（７）、（８）および（９）
0003646399.tif 000006

（式中、Ｒ4 はＦ、炭素数１〜１０のアルキル基または炭素数２〜１０のアルケニル基を示し、該アルキル基またはアルケニル基中の任意のメチレン基（−ＣＨ2 −）は酸素原子（−Ｏ−）によって置換されていてもよいが、２つ以上のメチレン基が連続して酸素原子に置換されることはなく、環Ｅはトランス−１，４−シクロヘキシレン基、１，４−フェニレン基、ピリミジン−２，５−ジイル基または１，３−ジオキサン−２，５−ジイル基を示し、環Ｆはトランス−１，４−シクロヘキシレン基、１，４−フェニレン基またはピリミジン−２，５−ジイル基を示し、環Ｇはトランス−１，４−シクロヘキシレン基または１，４−フェニレン基を示し、Ｚ5 は−（ＣＨ2 ）2 −、−ＣＯＯ−または共有結合を示し、Ｌ5 およびＬ6 は相互に独立してＨまたはＦを示し、ｂおよびｃは相互に独立して０または１を示す）
0003646399.tif 000007

（式中、Ｒ5 は炭素数１〜１０のアルキル基を示し、Ｌ7 はＨまたはＦを示し、ｄは０または１を示す）
0003646399.tif 000008
（式中、Ｒ6 は炭素数１〜１０のアルキル基を示し、環Ｈおよび環Ｉは相互に独立してトランス−１，４−シクロヘキシレン基または１，４−フェニレン基を示し、Ｚ6 およびＺ7 は相互に独立して−ＣＯＯ−または共有結合を示し、Ｚ8 は−ＣＯＯ−または−Ｃ≡Ｃ−を示し、Ｌ8 およびＬ9 は相互に独立してＨまたはＦを示し、Ｘ2 はＦ、ＯＣＦ3 、ＯＣＦ2 Ｈ、ＣＦ3 、ＣＦ2 ＨまたはＣＦＨ2を示すが、Ｘ2 がＯＣＦ3 、ＯＣＦ2 Ｈ、ＣＦ3 、ＣＦ2 ＨまたはＣＦＨ2 を示す場合はＬ8 およびＬ9 は共にＨを示し、ｅ、ｆおよびｇは相互に独立して０または１を示す）
【００２４】
【化１５】
0003646399.tif 000009
（式中、Ｒ7 およびＲ8 は相互に独立して炭素数１〜１０のアルキル基または炭素数２〜１０のアルケニル基を示し、いずれにおいてもそのうちの任意のメチレン基（−ＣＨ2 −）は酸素原子（−Ｏ−）によって置換されていてもよいが、２つ以上のメチレン基が連続して酸素原子に置換されることはなく、環Ｊはトランス−１，４−シクロヘキシレン基、１，４−フェニレン基またはピリミジン−２，５−ジイル基を示し、環Ｋはトランス−１，４−シクロヘキシレン基または１，４−フェニレン基を示し、Ｚ9 は−Ｃ≡Ｃ−、−ＣＯＯ−、−（ＣＨ2 ）2 −、−ＣＨ＝ＣＨ−Ｃ≡Ｃ−または共有結合を示し、Ｚ10は−ＣＯＯ−または共有結合を示す）
【００２５】
【化１６】
0003646399.tif 000010
（式中、Ｒ9 およびＲ10は相互に独立して炭素数１〜１０のアルキル基または炭素数２〜１０のアルケニル基を示し、いずれにおいてもそのうちの任意のメチレン基（−ＣＨ2 −）は酸素原子（−Ｏ−）によって置換されていてもよいが、２つ以上のメチレン基が連続して酸素原子に置換されることはなく、環Ｌはトランス−１，４−シクロヘキシレン基、１，４−フェニレン基またはピリミジン−２，５−ジイル基を示し、環Ｍはトランス−１，４−シクロヘキシレン基、環上の１つ以上の水素原子がＦで置換されていてもよい１，４−フェニレン基またはピリミジン−２，５−ジイル基を示し、環Ｎはトランス−１，４−シクロヘキシレン基または１，４−フェニレン基を示し、Ｚ11およびＺ13は相互に独立して−ＣＯＯ−、−（ＣＨ2 ）2 −または共有結合を示し、Ｚ12は−ＣＨ＝ＣＨ−、−Ｃ≡Ｃ−、−ＣＯＯ−または共有結合を示し、ｈは０または１を示す）
からなる群から選択される化合物を少なくとも１種類含有することを特徴とする液晶組成物。
（１０）第一成分として、（１）ないし（６）のいずれかに記載の液晶性化合物を少なくとも１種類含有し、第二成分の一部分として、一般式（２）、（３）および（４）からなる群から選択される化合物を少なくとも１種類含有し、第二成分の他の部分として、一般式（５）、（６）、（７）、（８）および（９）からなる群から選択される化合物を少なくとも１種類含有することを特徴とする液晶組成物。
（１１）（７）から（１０）のいずれかに記載の液晶組成物を用いて構成した液晶表示素子。
【００２６】
本発明の（１）式の化合物は、外部環境に対して非常に安定であり、かつ非常に低粘性であり、また、大きな誘電率異方性を有する。さらに他の液晶化合物との相溶性、特に低温相溶性に優れた化合物である。さらに本発明の化合物の利用として置換基Ｒ1 にアルキル基、Ｒ2 にＣＮ基以外を選択したものは高い電圧保持率を示し、ＴＦＴ方式の表示素子用の液晶材料、特に低電圧駆動、高速応答用に好ましい特性を示し、一方置換基Ｒ1 にアルケニル基またはアルキル基、Ｒ2 にアルケニル基またはＣＮ基を選択したものは極めて低粘性あるいは高い透明点を有し、ＳＴＮ表示素子用の減粘剤として非常に有用である。
本発明の化合物の使用により、外部環境に対して安定であり、低電圧駆動かつ高速応答の可能な新規な液晶組成物および液晶表示素子を提供することができる。
【００２７】
本発明の化合物の優れた特性、特に低い粘性、大きな誘電率異方性および優れた低温相溶性は、後述の実施例から明らかなように、１，４−ブチレン基中の隣接する２つのメチレン基をジフルオロメチレンオキシ（−ＣＦ2 Ｏ−）基に置換した中央結合基に起因するものと考えられる。
【００２８】
中央結合基を持たない化合物、または中央結合基に１，２−エチレン基、１，４−ブチレン基もしくはジフルオロメチレンオキシ基を有する化合物は、従来の技術の項でも示したように既に特公昭６３−４４１３２号、米国特許第５、０３２、３１３号、特開平２−２８９５２９号、特開平３−６６６３２号、特開平５−１１２７７８号および特開平５−３１０６０５号で開示されている。しかしながらそれら化合物は液晶材料として
１）低電圧駆動性
２）高速応答性
３）相溶性、特に低温における相溶性
の１）〜３）の総合的なバランスに優れているとは言えず、これら特性のバランスに優れた材料が必要であった。
【００２９】
本発明の化合物は、（１）式のＲ1 、Ｒ2 、環Ａ、Ｂ、Ｃ、Ｄ、Ｚ1 、Ｚ2 、ｍ、ｎ、ｏおよびｐを適切に選択した化合物を使用することにより目的に応じた液晶組成物を調製できる。
すなわち特に液晶温度範囲がより高温側になければならない液晶組成物に使用する場合はｍ＝ｎ＝１である４環系の化合物を、そうでない場合は２環系または３環系を用いれば良い。
【００３０】
アクティブマトリックス用の液晶組成物等のように、特に高い電圧保持率を必要とする場合には側鎖Ｒ1 にアルキル基、Ｒ2 にＣＮ基以外を選択し、ＳＴＮ用等の減粘材として使用する場合には側鎖Ｒ1 にアルキル基またはアルケニル基を選択し、Ｒ2 にアルキル基、アルケニル基またはＣＮ基を選択すれば良い。
【００３１】
また、誘電率異方性値が比較的大きな化合物を得る為には、環Ｃまたは環Ｄに１，４−フェニレン基を選択し、さらにＲ2 にハロゲン原子、ＣＮ基、ＣＦ3 基、ＯＣＦ3 基またはＯＣＨＦ2 基を選択すれば良く、更に大きな誘電率異方性値の要求に対しては、環Ｃまたは環Ｄ上のＲ2 のオルト位に１個または２個のフッ素原子を置換すれば良く、双極子が同一方向に向くように導入することで目的が達成できる。さらに環Ａ、環Ｂ、環Ｃまたは環Ｄの側方位にフッ素原子が置換したものは、無いものと比較し、相溶性、特に低温相溶性に優れた特徴を示す。
【００３２】
屈折率異方性値も（１）式のＲ1 、Ｒ2 、環Ａ、Ｂ、Ｃ、Ｄ、Ｚ1 、Ｚ2 、ｍ、ｎ、ｏおよびｐを適切に選択することで任意に調整できる。すなわち大きな屈折率異方性値が必要な場合には１、４−フェニレン環を多く含み、Ｚ1 およびＺ2 が単結合である化合物を選択すれば良く、小さな屈折率異方性値が必要な場合にはトランス−１、４−シクロヘキシレンを多く含む化合物を選択すれば良い。
【００３３】
本発明の「アルキル基」という用語は、１〜１５個の炭素原子を有する直鎖および枝別れしたアルキル基を意味し、特に低粘性という観点から１〜５個の炭素原子を有する基が好ましい。具体的にはメチル基、エチル基、プロピル基、ブチル基、ペンチル基、ヘキシル基、ヘプチル基、オクチル基、ノニル基、イソプロピル基、イソブチル基、イソアミル基、イソヘキシル基、２−メチルブチル基、２−メチルペンチル基、３−メチルペンチル基等が好ましいが、ラセミ体、Ｓ体、Ｒ体を網羅する。
【００３４】
本発明の「アルケニル基」という用語は２〜１５個の炭素原子を有する直鎖のアルケニル基を意味し、ビニル、１Ｅ−アルケニル、２Ｚ−アルケニル、３−アルケニル、３Ｅ−アルケニル、４−アルケニル基が好ましく、さらに具体的には１−エテニル、１Ｅ−プロペニル、１Ｅ−ブテニル、１Ｅ−ヘキセニル、２−プロペニル、２Ｚ−ブテニル、２Ｚ−ペンテニル、２Ｚ−ヘキセニル、３−ブテニル、３Ｅ−ペンテニル、３Ｅ−ヘキセニル基を掲げることができる。
【００３５】
環Ａ、Ｂ、Ｃ、Ｄとしてはベンゼン環、シクロヘキサン環、シクロヘキセン環、ピリミジン環、ピリジン環、ピラジン環、ピリダジン環、ジオキサン環、ジチアン環またはそれらのハロゲン置換された環が掲げられるが、特に好ましくはベンゼン環、シクロヘキサン環またはそれらのハロゲン置換された環である。
【発明の実施の形態】
【００３６】
本発明において一般式（１）で表される化合物の好ましい態様は、次の（１- ａ）から（１- ｃ）の一般式により表される化合物（式中Ｒ1 、Ｒ2 、環Ａ、環Ｂ、環Ｃ、環Ｄ、Ｚ1 、Ｚ2 、ｍおよびｎは前記と同一の意味を示す）である。
【００３７】
【化１７】
0003646399.tif 000011
【００３８】
【化１８】
0003646399.tif 000012
【００３９】
【化１９】
0003646399.tif 000013
【００４０】
さらに骨格構造として特に好ましい化合物は一般式群（１−１）〜（１−１１７）式により表される化合物（式中Ｒ1 、Ｒ2 は前記と同一の意味を表し、Ｗは下記の結合基を表す。また、一般式群におけるベンゼン環上の任意の水素原子はフッ素原子に置換していても良い）である。
【００４１】
【化２０】
0003646399.tif 000014
【００４２】
【化２１】
0003646399.tif 000015
【化２２】
0003646399.tif 000016
【００４３】
【化２３】
0003646399.tif 000017
【００４４】
【化２４】
0003646399.tif 000018
【００４５】
【化２５】
0003646399.tif 000019
【００４６】
【化２６】
0003646399.tif 000020
【００４７】
【化２７】
0003646399.tif 000021
【００４８】
【化２８】
0003646399.tif 000022
【００４９】
上記一般式（１−１）〜（１−１１７）で表される化合物はいずれも低粘性であり、かつ低温相溶性に極めて優れた特徴を有する。またＲ1 あるいはＲ2 がハロゲン原子、ＣＦ3 基、ＯＣＦ3 基、ＣＨＦ2 基またはＣＮ基である場合は既知の同一の置換基を有する化合物と比較し大きな誘電率異方性を示す。
また、一般式（１−１）〜（１−３７）、（１−９４）、（１−９５）、（１−１０３）および（１−１０４）で表される２環系または３環系化合物は、比較的高い透明点を有しながら極めて低粘性であり、液晶組成物の成分として添加した場合、透明点を維持しつつ粘度を低下させることが可能である。さらに一般式（１−３８）〜（１−９３）および（１−９６）〜（１−１０２）、（１−１０５）〜（１−１１７）で表される４環系の化合物は、比較的低粘性でありながら著しく高い透明点を有し、液晶組成物の成分として添加した場合、粘度を維持しながら、透明点を著しく上昇させることが可能である。
【００５０】
上述のように本発明の化合物（２環系〜４環系化合物）のみから組成物を調製するか、または既知の液晶性化合物と併用して使用することにより、外部環境に対して非常に安定であり、低電圧駆動、高速応答可能な液晶組成物および液晶表示素子を提供することができる。
【００５１】
本発明により提供される液晶組成物は、一般式（１）で示される液晶性化合物を少なくとも１種類含む第一成分でもよいが、これに加え、第二成分として既述参照の一般式（２）、（３）および（４）からなる群から選ばれる少なくとも１種類の化合物（以下、第二Ａ成分と称する）および／または一般式（５）、（６）、（７）、（８）および（９）からなる群から選ばれる少なくとも１種類の化合物（以下、第二Ｂ成分と称する）を混合したものが好ましく、さらに、しきい値電圧、液晶相温度範囲、屈折率異方性値、誘電率異方性値および粘度等を調整する目的で、公知の化合物を第三成分として混合することもできる。
【００５２】
上記第二Ａ成分のうち、一般式（２）、（３）および（４）に含まれる化合物の好適例として、それぞれ（２−１）〜（２−１５）、（３−１）〜（３−４８）および（４−１）〜（４−５５）を挙げることができる。
【００５３】
【化２９】
0003646399.tif 000023
【００５４】
【化３０】
0003646399.tif 000024
【００５５】
【化３１】
0003646399.tif 000025
【００５６】
【化３２】
0003646399.tif 000026
【００５７】
【化３３】
0003646399.tif 000027
【００５８】
【化３４】
0003646399.tif 000028
【００５９】
【化３５】
0003646399.tif 000029
【００６０】
【化３６】
0003646399.tif 000030
【００６１】
【化３７】
0003646399.tif 000031
【００６２】
これらの一般式（２）〜（４）で示される化合物は、誘電率異方性値が正を示し、熱安定性や化学的安定性が非常に優れている。
該化合物の使用量は、液晶組成物の全重量に対して１〜９９重量％の範囲が適するが、好ましくは１０〜９７重量％、より好ましくは４０〜９５重量％である。
【００６３】
次に、前記第二Ｂ成分のうち、一般式（５）、（６）および（７）に含まれる化合物の好適例として、それぞれ（５−１）〜（５−２４）、（６−１）〜（６−３）および（７−１）〜（７−２８）を挙げることができる。
【００６４】
【化３８】
0003646399.tif 000032
【００６５】
【化３９】
0003646399.tif 000033
【００６６】
【化４０】
0003646399.tif 000034
【００６７】
【化４１】
0003646399.tif 000035
【００６８】
【化４２】
0003646399.tif 000036
【００６９】
これらの一般式（５）〜（７）で示される化合物は、誘電率異方性値が正でその値が大きく、組成物成分として特にしきい値電圧を小さくする目的で使用される。また、粘度の調整、屈折率異方性値の調整および液晶相温度範囲を広げる等の目的や、さらに急峻性を改良する目的にも使用される。
【００７０】
また第二Ｂ成分のうち、一般式（８）および（９）に含まれる化合物の好適例として、それぞれ（８−１）〜（８−８）および（９−１）〜（９−１２）を挙げることができる。
【００７１】
【化４３】
0003646399.tif 000037
【００７２】
【化４４】
0003646399.tif 000038
【００７３】
本発明に従い使用される液晶組成物は、それ自体公知または慣用な方法で調製される。一般には、種々の成分を高い温度で互いに溶解させる方法がとられている。また、本発明の液晶材料は、適当な添加物によって意図する用途に応じた改良がなされ、最適化される。このような添加物は当業者によく知られており、文献等に詳細に記載されている。通常、液晶のらせん構造を誘起して必要なねじれ角を調整し、逆ねじれ（ｒｅｖｅｒｓｅ−ｔｗｉｓｔ）を防ぐためキラルドープ材（ｃｈｉｒａｌ  ｄｏｐａｎｔ）などを添加する。
【００７４】
また、本発明に従い使用される液晶組成物は、メロシアニン系、スチリル系、アゾ系、アゾメチン系、アゾキシ系、キノフタロン系、アントラキノン系およびテトラジン系等の二色性色素を添加してゲストホスト（ＧＨ）モード用の液晶組成物としても使用できる。またネマチック液晶をマイクロカプセル化して作成したＮＣＡＰや液晶中に三次元編み目状高分子を作成したポリマーネットワーク液晶表示素子（ＰＮＬＣＤ）に代表されるポリマー分散型液晶表示素子（ＰＤＬＣＤ）用の液晶組成物としても使用できる。その他複屈折制御（ＥＣＢ）モードや動的散乱（ＤＳ）モード用の液晶組成物としても使用できる。
【００７５】
さらに本発明化合物を含有するネマチック液晶組成物として以下に示すような組成例（組成例１〜２１）を示すことができる。ただし組成例中の化合物は次表に示す取り決めに従い略号で示した。すなわち左末端基はａ、ａＯ、ａＯｂ、Ｖａ、ａＶｂおよびａＶｂＶｄで、結合基は２、Ｅ、Ｔ、Ｖ、ＣＦ２Ｏ、ＣＦ２Ｏ２および１ＣＦ２Ｏ１で、環構造はＢ、Ｂ（Ｆ）、Ｂ（２Ｆ）、Ｂ（２Ｆ，３Ｆ）、Ｂ（Ｆ，Ｆ）、Ｈ、Ｐｙ、ＤおよびＣｈで、右末端基はＦ、ＣＬ、Ｃ、ＣＦ３、ＯＣＦ３、ＯＣＦ２Ｈ、ｗ、Ｏｗ、ＥＭｅ、ｗＶおよびｗＶｚで示した。
【００７６】
【表１】
0003646399.tif 000039
【００７７】
組成例１
２−ＢＣＦ２Ｏ２Ｂ（Ｆ，Ｆ）−Ｆ                            ５．０％
３−ＢＣＦ２Ｏ２Ｂ（Ｆ，Ｆ）−Ｆ                            ５．０％
３−Ｂ（Ｆ）ＣＦ２Ｏ２Ｂ（Ｆ，Ｆ）−Ｆ                      ５．０％
５−Ｂ（Ｆ，Ｆ）ＣＦ２Ｏ２Ｂ（Ｆ，Ｆ）−Ｆ                  ５．０％
１Ｖ−Ｈ１ＣＦ２Ｏ１Ｂ（Ｆ，Ｆ）−Ｆ                      １０．０％
１Ｖ２−Ｈ１ＣＦ２Ｏ１Ｂ（Ｆ，Ｆ）−Ｆ                    １０．０％
２−ＨＢ（Ｆ）ＣＦ２Ｏ２Ｂ（Ｆ，Ｆ）−Ｆ                  １０．０％
３−ＨＢ（Ｆ，Ｆ）ＣＦ２Ｏ２Ｂ（Ｆ，Ｆ）−Ｆ              １０．０％
２−ＨＢＣＦ２Ｏ２Ｂ（Ｆ，Ｆ）−Ｆ                          ６．０％
３−ＨＢＣＦ２Ｏ２Ｂ（Ｆ，Ｆ）−Ｆ                          ７．０％
５−ＨＢＣＦ２Ｏ２Ｂ（Ｆ，Ｆ）−Ｆ                          ７．０％
Ｖ２−ＨＢＣＦ２Ｏ２Ｂ（Ｆ，Ｆ）−Ｆ                      １０．０％
１Ｖ２−ＨＢＣＦ２Ｏ２Ｂ（Ｆ，Ｆ）−Ｆ                    １０．０％
【００７８】
組成例２
３−ＢＣＦ２Ｏ２Ｂ（Ｆ）−Ｆ                                ５．０％
５−Ｂ（Ｆ）ＣＦ２Ｏ２Ｂ（Ｆ）−Ｆ                          ５．０％
Ｖ−Ｈ１ＣＦ２Ｏ１Ｂ（Ｆ）−Ｆ                            １０．０％
１Ｖ２−Ｈ１ＣＦ２Ｏ１Ｂ（Ｆ）−Ｆ                        １０．０％
２−ＨＢ（Ｆ）ＣＦ２Ｏ２Ｂ（Ｆ）−Ｆ                        ５．０％
３−ＨＢ（Ｆ）ＣＦ２Ｏ２Ｂ（Ｆ）−Ｆ                        ８．０％
５−ＨＢ（Ｆ）ＣＦ２Ｏ２Ｂ（Ｆ）−Ｆ                        ７．０％
３−ＨＢＣＦ２Ｏ２Ｂ（Ｆ）−Ｆ                            １０．０％
５−ＨＢＣＦ２Ｏ２Ｂ（Ｆ）−Ｆ                            １０．０％
Ｖ２−ＨＢＣＦ２Ｏ２Ｂ（Ｆ）−Ｆ                          １０．０％
１Ｖ２−ＨＢＣＦ２Ｏ２Ｂ（Ｆ）−Ｆ                          ７．０％
１Ｖ−Ｈ１ＣＦ２Ｏ１Ｈ−４                                  ５．０％
１Ｖ２−Ｈ１ＣＦ２Ｏ１Ｈ−５                                ５．０％
Ｖ２−ＨＢ（Ｆ）ＣＦ２Ｏ２ＢＨ−３                          ３．０％
【００７９】
組成例３
３−ＨＢＣＦ２Ｏ２Ｂ（Ｆ，Ｆ）−Ｆ                          ５．０％
５−ＨＢＣＦ２Ｏ２Ｂ（Ｆ，Ｆ）−Ｆ                        １０．０％
５−ＨＢＣＦ２Ｏ２Ｂ−ＣＦ３                                ５．０％
５−ＨＢＣＦ２Ｏ２Ｂ（Ｆ）−Ｆ                              ５．０％
３−ＨＢＣＦ２Ｏ２Ｂ−ＯＣＦ３                              ５．０％
７−ＨＢ（Ｆ，Ｆ）−Ｆ                                      ８．０％
３−ＨＨＢ（Ｆ，Ｆ）−Ｆ                                    ６．０％
４−ＨＨＢ（Ｆ，Ｆ）−Ｆ                                    ３．０％
３−Ｈ２ＨＢ（Ｆ，Ｆ）−Ｆ                                １０．０％
４−Ｈ２ＨＢ（Ｆ，Ｆ）−Ｆ                                  ６．０％
５−Ｈ２ＨＢ（Ｆ，Ｆ）−Ｆ                                  ６．０％
３−ＨＨ２Ｂ（Ｆ，Ｆ）−Ｆ                                １０．０％
５−ＨＨ２Ｂ（Ｆ，Ｆ）−Ｆ                                  ５．０％
３−ＨＢＢ（Ｆ，Ｆ）−Ｆ                                    ５．０％
５−ＨＢＢ（Ｆ，Ｆ）−Ｆ                                    ５．０％
３−ＨＨＢＢ（Ｆ，Ｆ）−Ｆ                                  ３．０％
３−ＨＨ２ＢＢ（Ｆ，Ｆ）−Ｆ                                ３．０％
【００８０】
組成例４
３−ＨＢＣＦ２Ｏ２Ｂ（Ｆ，Ｆ）−Ｆ                          ５．０％
３−ＨＢＣＦ２Ｏ２Ｂ−ＯＣＦ３                              ５．０％
３−ＨＢ−ＣＬ                                              ４．０％
５−ＨＢ−ＣＬ                                              ４．０％
７−ＨＢ−ＣＬ                                              ５．０％
２−ＨＨＢ−ＣＬ                                            ６．０％
３−ＨＨＢ−ＣＬ                                            ７．０％
５−ＨＨＢ−ＣＬ                                            ６．０％
２−ＨＢＢ（Ｆ）−Ｆ                                        ６．０％
３−ＨＢＢ（Ｆ）−Ｆ                                        ６．０％
５−ＨＢＢ（Ｆ）−Ｆ                                      １２．０％
３−ＨＢＢ（Ｆ，Ｆ）−Ｆ                                  １３．０％
５−ＨＢＢ（Ｆ，Ｆ）−Ｆ                                  １３．０％
３−Ｈ２ＨＢ（Ｆ）−ＣＬ                                    ３．０％
３−ＨＢ（Ｆ）ＴＢ−２                                      ３．０％
３−ＨＢ（Ｆ）ＶＢ−２                                      ２．０％
【００８１】
組成例５
５−ＨＢＣＦ２Ｏ２Ｂ（Ｆ，Ｆ）−Ｆ                        １０．０％
５−ＨＢＣＦ２Ｏ２Ｂ−ＣＦ３                                ５．０％
３−ＨＢＣＦ２Ｏ２Ｂ−ＯＣＦ３                              ５．０％
２−ＨＢＢ（Ｆ）−Ｆ                                        ３．０％
３−ＨＢＢ（Ｆ）−Ｆ                                        ３．０％
５−ＨＢＢ（Ｆ）−Ｆ                                        ６．０％
２−ＨＢＢ−Ｆ                                              ３．０％
３−ＨＢＢ−Ｆ                                              ３．０％
３−Ｈ２ＨＢ（Ｆ，Ｆ）−Ｆ                                  ６．０％
４−Ｈ２ＨＢ（Ｆ，Ｆ）−Ｆ                                  ６．０％
５−Ｈ２ＨＢ（Ｆ，Ｆ）−Ｆ                                  ６．０％
３−ＨＨＢ（Ｆ，Ｆ）−Ｆ                                    ３．０％
４−ＨＨＢ（Ｆ，Ｆ）−Ｆ                                    ３．０％
３−ＨＨ２Ｂ（Ｆ，Ｆ）−Ｆ                                １２．０％
５−ＨＨ２Ｂ（Ｆ，Ｆ）−Ｆ                                  ６．０％
３−ＨＢＢ（Ｆ，Ｆ）−Ｆ                                    ６．０％
５−ＨＢＢ（Ｆ，Ｆ）−Ｆ                                    ６．０％
３−ＨＨＢ−ＣＬ                                            ４．０％
５−ＨＨＢ−ＣＬ                                            ４．０％
【００８２】
組成例６
３−ＨＢＣＦ２Ｏ２Ｂ（Ｆ，Ｆ）−Ｆ                          ８．０％
５−ＨＢＣＦ２Ｏ２Ｂ（Ｆ，Ｆ）−Ｆ                          ３．０％
３−ＨＢＣＦ２Ｏ２Ｂ−ＯＣＦ３                              ５．０％
２−ＨＢＢ（Ｆ）−Ｆ                                        ８．０％
３−ＨＢＢ（Ｆ）−Ｆ                                        ８．０％
５−ＨＢＢ（Ｆ）−Ｆ                                      １６．０％
５−ＨＢ−Ｆ                                                ６．０％
７−ＨＢ−Ｆ                                                ６．０％
５−ＨＨＢ−ＯＣＦ３                                        ８．０％
３−Ｈ２ＨＢ−ＯＣＦ３                                      ８．０％
５−Ｈ２ＨＢ−ＯＣＦ３                                      ８．０％
３−ＨＨ２Ｂ−ＯＣＦ３                                      ８．０％
５−ＨＨ２Ｂ−ＯＣＦ３                                      ８．０％
【００８３】
組成例７
３−ＨＢＣＦ２Ｏ２Ｂ−ＯＣＦ３                              ５．０％
５−Ｈ２Ｂ（Ｆ）−Ｆ                                        ４．０％
７−ＨＢ（Ｆ）−Ｆ                                        １０．０％
２−ＨＨＢ（Ｆ）−Ｆ                                      １２．０％
３−ＨＨＢ（Ｆ）−Ｆ                                      １２．０％
５−ＨＨＢ（Ｆ）−Ｆ                                      １２．０％
２−Ｈ２ＨＢ（Ｆ）−Ｆ                                    １２．０％
３−Ｈ２ＨＢ（Ｆ）−Ｆ                                      ６．０％
５−Ｈ２ＨＢ（Ｆ）−Ｆ                                    １２．０％
２−ＨＢＢ（Ｆ）−Ｆ                                        ２．５％
３−ＨＢＢ（Ｆ）−Ｆ                                        ２．５％
５−ＨＢＢ（Ｆ）−Ｆ                                        ５．０％
３−ＨＨＢ−Ｆ                                              ５．０％
【００８４】
組成例８
３−ＨＢＣＦ２Ｏ２Ｂ（Ｆ，Ｆ）−Ｆ                          ７．０％
１Ｖ２−ＨＢＣＦ２Ｏ２Ｂ（Ｆ）−Ｆ                          ７．０％
７−ＨＢ（Ｆ）−Ｆ                                        １０．０％
３−ＨＢ−Ｏ２                                            １０．０％
２−ＨＨＢ−１                                              ６．０％
３−ＨＨＢ−１                                              ８．０％
３−ＨＨＢ−Ｆ                                              ３．０％
２−ＨＨＢ（Ｆ）−Ｆ                                        ７．０％
３−ＨＨＢ（Ｆ）−Ｆ                                        ７．０％
５−ＨＨＢ（Ｆ）−Ｆ                                        ７．０％
２−ＨＢＢ（Ｆ）−Ｆ                                        ７．０％
３−ＨＢＢ（Ｆ）−Ｆ                                        ７．０％
５−ＨＢＢ（Ｆ）−Ｆ                                      １４．０％
【００８５】
組成例９
３−ＨＢＣＦ２Ｏ２Ｂ−ＯＣＦ３                              ６．０％
３−ＨＢＣＦ２Ｏ２Ｂ（Ｆ，Ｆ）−Ｆ                          ６．０％
３−ＨＢ（２Ｆ，３Ｆ）ＣＦ２Ｏ２ＢＨ−５                    ２．０％
５−ＨＥＢ−Ｆ                                              ３．０％
７−ＨＢ（Ｆ）−Ｆ                                          ４．０％
２−ＨＨＢ（Ｆ）−Ｆ                                      １３．０％
３−ＨＨＢ（Ｆ）−Ｆ                                      １３．０％
５−ＨＨＢ（Ｆ）−Ｆ                                      １３．０％
２−Ｈ２ＨＢ（Ｆ）−Ｆ                                      ４．０％
３−Ｈ２ＨＢ（Ｆ）−Ｆ                                      ２．０％
５−Ｈ２ＨＢ（Ｆ）−Ｆ                                      ４．０％
３−ＨＨ２Ｂ（Ｆ）−Ｆ                                      ３．０％
５−ＨＨ２Ｂ（Ｆ）−Ｆ                                      ３．０％
３−ＨＨＢ−１                                              ５．０％
３−ＨＨＢ−３                                              ８．０％
３−ＨＨＥＢＢ−Ｆ                                          ３．０％
５−ＨＨＥＢＢ−Ｆ                                          ２．０％
３−ＨＨＥＢ−Ｆ                                            ３．０％
５−ＨＨＥＢ−Ｆ                                            ３．０％
【００８６】
組成例１０
３−ＨＢＣＦ２Ｏ２Ｂ−ＯＣＦ３                              ５．０％
３−ＨＢＣＦ２Ｏ２Ｂ（Ｆ，Ｆ）−Ｆ                          ７．０％
５−Ｂ（Ｆ，Ｆ）ＣＦ２Ｏ２Ｂ（Ｆ，Ｆ）−ＯＣＦ２Ｈ          ７．０％
Ｖ−ＨＢＣＦ２Ｏ２Ｂ−ＯＣＦ３                              ７．０％
７−ＨＢ（Ｆ，Ｆ）−Ｆ                                      ３．０％
３−ＨＨＢ（Ｆ，Ｆ）−Ｆ                                    ５．０％
３−Ｈ２ＨＢ（Ｆ，Ｆ）−Ｆ                                  ５．０％
３−ＨＢＢ（Ｆ，Ｆ）−Ｆ                                  １０．０％
５−ＨＢＢ（Ｆ，Ｆ）−Ｆ                                  １０．０％
３−Ｈ２ＢＢ（Ｆ，Ｆ）−Ｆ                                  ５．０％
４−Ｈ２ＢＢ（Ｆ，Ｆ）−Ｆ                                  ５．０％
５−Ｈ２ＢＢ（Ｆ，Ｆ）−Ｆ                                  ５．０％
３−ＨＢＥＢ（Ｆ，Ｆ）−Ｆ                                  ２．０％
４−ＨＢＥＢ（Ｆ，Ｆ）−Ｆ                                  ２．０％
５−ＨＢＥＢ（Ｆ，Ｆ）−Ｆ                                  ２．０％
３−ＨＨＥＢ（Ｆ，Ｆ）−Ｆ                                １０．０％
４−ＨＨＥＢ（Ｆ，Ｆ）−Ｆ                                  ３．０％
５−ＨＨＥＢ（Ｆ，Ｆ）−Ｆ                                  ３．０％
２−ＨＨＨＢ（Ｆ，Ｆ）−Ｆ                                  ２．０％
３−ＨＨ２ＨＢ（Ｆ，Ｆ）−Ｆ                                ２．０％
【００８７】
組成例１１
３−Ｂ（Ｆ）ＣＦ２Ｏ２Ｂ−１                                ８．０％
３−Ｂ（Ｆ，Ｆ）ＣＦ２Ｏ２Ｂ−５                            ８．０％
３−Ｂ（２Ｆ，３Ｆ）ＣＦ２Ｏ２Ｂ−５                        ６．０％
Ｖ−Ｈ１ＣＦ２Ｏ１Ｈ−４                                    ２．０％
Ｖ２−Ｈ１ＣＦ２Ｏ１Ｈ−５                                  ２．０％
３−ＨＢ（Ｆ）ＣＦ２Ｏ２Ｂ−２                              ６．０％
３−ＨＢ（Ｆ）ＣＦ２Ｏ２Ｂ−３                              ６．０％
３−ＨＢ（Ｆ）ＣＦ２Ｏ２Ｂ−４                              ６．０％
３−ＨＢ（２Ｆ，３Ｆ）ＣＦ２Ｏ２Ｂ−５                      ５．０％
Ｖ２−ＨＢ−Ｃ                                            １２．０％
１Ｖ２−ＨＢ−Ｃ                                          １１．０％
１Ｖ２−ＢＥＢ（Ｆ，Ｆ）−Ｃ                              １１．０％
３−ＨＨ−ＥＭｅ                                            ２．０％
２−Ｈ２ＢＴＢ−３                                          ３．０％
２−Ｈ２ＢＴＢ−４                                          ３．０％
３−Ｈ２ＢＴＢ−２                                          ３．０％
３−Ｈ２ＢＴＢ−３                                          ３．０％
３−Ｈ２ＢＴＢ−４                                          ３．０％
【００８８】
組成例１２
２−Ｂ（Ｆ）ＣＦ２Ｏ２Ｂ−４                                ３．０％
３−Ｂ（Ｆ，Ｆ）ＣＦ２Ｏ２Ｂ−５                            ３．０％
３−Ｂ（２Ｆ，３Ｆ）ＣＦ２Ｏ２Ｂ−５                        ３．０％
３−ＨＢ（２Ｆ，３Ｆ）ＣＦ２Ｏ２Ｂ（２Ｆ）−３              ５．０％
３−ＨＢ（２Ｆ，３Ｆ）ＣＦ２Ｏ２Ｂ（２Ｆ，３Ｆ）−４        ５．０％
５−ＨＢ（Ｆ）ＣＦ２Ｏ２ＢＨ−３                            ２．０％
３Ｏ１−ＢＥＢ（Ｆ）−Ｃ                                  １１．０％
Ｖ２−ＨＢ−Ｃ                                            １１．０％
３−ＨＢ−Ｏ２                                              ３．０％
２−ＢＴＢ−Ｏ１                                            ５．０％
３−ＢＴＢ−Ｏ１                                            ５．０％
４−ＢＴＢ−Ｏ１                                            ５．０％
４−ＢＴＢ−Ｏ２                                            ５．０％
５−ＢＴＢ−Ｏ１                                            ５．０％
３−ＨＨＢ−Ｏ１                                            ３．０％
３−Ｈ２ＢＴＢ−２                                          ２．０％
３−Ｈ２ＢＴＢ−３                                          ３．０％
３−Ｈ２ＢＴＢ−４                                          ３．０％
３−ＨＢ（Ｆ）ＴＢ−２                                      ２．０％
３−ＨＢ（Ｆ）ＴＢ−３                                      ２．０％
３−ＨＢ（Ｆ）ＴＢ−４                                      ２．０％
２−ＰｙＢＨ−３                                            ４．０％
３−ＰｙＢＨ−３                                            ４．０％
３−ＰｙＢＢ−２                                            ４．０％
【００８９】
組成例１３
３−ＨＢＣＦ２Ｏ２Ｂ−ＯＣＦ３                              ８．０％
３−ＨＢＣＦ２Ｏ２Ｂ（Ｆ，Ｆ）−Ｆ                          ８．０％
２−ＢＢ−Ｃ                                                ７．０％
１Ｏ１−ＨＢ−Ｃ                                            ８．０％
２Ｏ１−ＨＢ−Ｃ                                            ７．０％
２−ＢＥＢ−Ｃ                                              ４．０％
５−ＰｙＢ−Ｆ                                              ５．０％
３−ＰｙＢＢ−Ｆ                                            ５．０％
２−ＰｙＢ−２                                              ３．０％
３−ＰｙＢ−２                                              ３．０％
４−ＰｙＢ−２                                              ３．０％
２−ＰｙＢＨ−３                                            ５．０％
３−ＰｙＢＨ−３                                            ５．０％
４−ＰｙＢＨ−３                                            ５．０％
３−ＰｙＢ−Ｏ２                                            ５．０％
２−ＨＨＢ−１                                              ４．０％
３−ＨＨＢ−１                                              ６．０％
３−ＨＨＢ−３                                              ９．０％
【００９０】
組成例１４
３−ＨＢＣＦ２Ｏ２Ｂ−ＯＣＦ３                              ５．０％
５−ＨＢＣＦ２Ｏ２Ｂ−ＯＣＦ３                              ５．０％
５−ＨＢＣＦ２Ｏ２Ｂ−ＣＦ３                                ５．０％
１Ｖ−Ｈ１ＣＦ２Ｏ１Ｂ−２                                  ６．０％
３−ＰｙＢ（Ｆ）−Ｆ                                        ６．０％
３−ＰｙＢＢ−Ｆ                                            ４．０％
４−ＰｙＢＢ−Ｆ                                            ４．０％
５−ＰｙＢＢ−Ｆ                                            ４．０％
２−ＰｙＢ−２                                              ６．０％
３−ＰｙＢ−２                                              ６．０％
４−ＰｙＢ−２                                              ６．０％
３−ＨＥＢ−Ｏ４                                            ４．０％
４−ＨＥＢ−Ｏ２                                            ４．０％
５−ＨＥＢ−Ｏ１                                            ４．０％
２−Ｈ２ＢＴＢ−４                                          ４．０％
３−Ｈ２ＢＴＢ−４                                          ４．０％
３−ＨＨＢ−１                                              ７．０％
３−ＨＨＢ−３                                              ７．０％
３−ＨＨＥＢＢ−Ｃ                                          ３．０％
５−ＨＨＥＢＢ−Ｃ                                          ３．０％
３−ＨＢＥＢＢ−Ｃ                                          ３．０％
【００９１】
組成例１５
３−ＨＢＣＦ２Ｏ２Ｂ−ＣＦ３                                ９．０％
５−ＨＢＣＦ２Ｏ２Ｂ（Ｆ，Ｆ）−ＯＣＦ３                    ９．０％
２−ＢＥＢ−Ｃ                                              ５．０％
２−ＢＢ−Ｃ                                                ８．０％
３Ｏ−ＢＢ−Ｃ                                              ３．０％
３−ＨＢ−Ｃ                                                ５．０％
１Ｏ−ＢＥＢ−２                                          １０．０％
３−ＨＥＢ−Ｏ４                                            ７．０％
４−ＨＥＢ−Ｏ２                                            ７．０％
５−ＨＥＢ−Ｏ１                                            ７．０％
４−ＨＥＢ−４                                              ５．０％
５−ＨＥＢ−１                                              ４．０％
３−ＨＢＥＢ−Ｆ                                            ５．０％
３−ＨＨＥＢ−Ｆ                                            ５．０％
５−ＨＨＥＢ−Ｆ                                            ５．０％
３−ＨＥＢＥＢ−Ｆ                                          ３．０％
３−ＨＥＢＥＢ−１                                          ３．０％
【００９２】
組成例１６
５−ＨＢＣＦ２ＯＢ−ＣＦ３                                  ５．０％
５−ＨＢＣＦ２ＯＢ（Ｆ，Ｆ）−ＣＦ３                      １０．０％
３−ＤＢ−Ｃ                                                ４．０％
４−ＤＢ−Ｃ                                                ４．０％
１Ｏ１−ＨＢ−Ｃ                                            ５．０％
２−ＰｙＢ−２                                              ９．０％
３−ＰｙＢ−２                                              ９．０％
４−ＰｙＢ−２                                              ９．０％
２−ＰｙＢＨ−３                                            ７．０％
３−ＰｙＢＨ−３                                            ６．０％
４−ＰｙＢＨ−３                                            ６．０％
１Ｏ１−ＨＨ−５                                            ８．０％
３−ＨＢ（Ｆ）ＴＢ−２                                      ６．０％
３−ＨＢ（Ｆ）ＴＢ−３                                      ６．０％
３−ＨＢ（Ｆ）ＴＢ−４                                      ６．０％
【００９３】
組成例１７
３−ＨＢＣＦ２Ｏ２Ｂ（Ｆ，Ｆ）−ＯＣＦ２Ｈ                １４．０％
５−ＨＢＣＦ２Ｏ２Ｂ（Ｆ，Ｆ）−Ｆ                        １４．０％
５−ＨＢＣＦ２Ｏ２Ｂ（Ｆ）−ＯＣＦ３                        ４．０％
１Ｖ２−ＢＥＢ（Ｆ，Ｆ）−Ｃ                              １２．０％
３Ｏ１−ＢＥＢ（Ｆ）−Ｃ                                    ６．０％
５−ＢＥＢ（Ｆ）−Ｃ                                        ５．０％
３−ＨＢ−Ｃ                                                ９．０％
３−ＨＢ（Ｆ）−Ｃ                                          ７．０％
３−ＨＨＢ（Ｆ）−Ｃ                                        ６．０％
３−ＰｙＢＢ−Ｆ                                            ８．０％
４−ＰｙＢＢ−Ｆ                                            ８．０％
５−ＰｙＢＢ−Ｆ                                            ７．０％
【００９４】
組成例１８
３−ＨＢＣＦ２Ｏ２Ｂ−ＯＣＦ３                            １０．０％
５−ＨＢＣＦ２Ｏ２Ｂ−ＯＣＦ３                              ５．０％
２−ＨＢ（Ｆ）−Ｃ                                        １０．０％
３−ＨＢ（Ｆ）−Ｃ                                        １０．０％
３Ｏ１−ＢＥＢ（Ｆ）−Ｃ                                    ７．０％
３−ＨＨＥＢ−Ｆ                                            ４．０％
５−ＨＨＥＢ−Ｆ                                            ４．０％
３−ＨＨＥＢ（Ｆ，Ｆ）−Ｆ                                １５．０％
５−ＨＨＥＢ（Ｆ，Ｆ）−Ｆ                                １０．０％
３−ＨＢＥＢ（Ｆ，Ｆ）−Ｆ                                  ５．０％
５−ＨＢＥＢ（Ｆ，Ｆ）−Ｆ                                  ５．０％
３−ＨＨＢ−１                                              ８．０％
３−ＨＨＢ−Ｏ１                                            ４．０％
３−ＨＨＢ−３                                              ３．０％
【００９５】
組成例１９
３−ＨＢ（Ｆ，Ｆ）ＣＦ２Ｏ２Ｂ−ＣＦ３                      ５．０％
３−ＨＢ（Ｆ，Ｆ）ＣＦ２Ｏ２Ｂ（Ｆ，Ｆ）−Ｆ                ５．０％
５−ＨＢ（Ｆ）ＣＦ２Ｏ２Ｂ−ＯＣＦ３                        ５．０％
１Ｖ−ＨＢ−Ｃ                                              ９．０％
１Ｖ２−ＨＢ−Ｃ                                            ９．０％
３−ＨＢ−Ｃ                                              １４．０％
２−ＨＨＢ−Ｃ                                              ３．０％
３−ＨＨＢ−Ｃ                                              ４．０％
Ｖ２−ＨＨ−３                                              ６．０％
Ｖ−ＨＨ−５                                                ４．０％
１Ｏ１−ＨＨ−５                                            ８．０％
２−ＢＴＢ−Ｏ１                                          １１．０％
Ｖ−ＨＨＢ−１                                              ８．０％
Ｖ−ＨＢＢ−２                                              ５．０％
１Ｖ２−ＨＢＢ−２                                          ４．０％
【００９６】
組成例２０
２−ＨＢ（Ｆ）ＣＦ２Ｏ２Ｂ−１                              ６．０％
３−ＨＢ（２Ｆ，３Ｆ）ＣＦ２Ｏ２Ｂ−１                      ８．０％
３−ＨＢＣＦ２Ｏ２Ｂ−ＯＣＦ３                              ８．０％
２−ＨＢ−Ｃ                                              １０．０％
３−ＨＢ−Ｃ                                              １０．０％
１Ｏ１−ＨＢ−Ｃ                                            ８．０％
２−ＢＴＢ−１                                              ３．０％
１−ＢＴＢ−６                                              ６．０％
４−ＢＴＢ−４                                              ３．０％
２−ＨＨＢ−Ｃ                                              ５．０％
３−ＨＨＢ−Ｃ                                              ４．０％
４−ＨＨＢ−Ｃ                                              ４．０％
５−ＨＨＢ−Ｃ                                              ５．０％
２−ＨＨＢ（Ｆ）−Ｃ                                        ６．０％
３−ＨＨＢ（Ｆ）−Ｃ                                        ６．０％
５−ＨＢＥＢ（Ｆ）−Ｃ                                      ４．０％
３−ＨＢ（Ｆ）ＥＢ（Ｆ）−Ｃ                                ４．０％
【００９７】
組成例２１
３−Ｂ（Ｆ，Ｆ）ＣＦ２Ｏ２Ｂ−５                            ５．０％
３−ＨＢＣＦ２Ｏ２Ｂ−ＯＣＦ３                              ８．０％
１Ｖ２−ＢＥＢ（Ｆ，Ｆ）−Ｃ                              １１．０％
２Ｏ１−ＢＥＢ（Ｆ）−Ｃ                                    ５．０％
３Ｏ１−ＢＥＢ（Ｆ）−Ｃ                                    ９．０％
３−ＨＢ（Ｆ）−Ｃ                                        １５．０％
３−ＨＨ−４                                                ５．０％
３−ＨＨ−５                                                ４．０％
１Ｏ１−ＨＨ−３                                            ３．０％
４−ＢＴＢ−Ｏ２                                            ４．０％
２−ＨＨＢ（Ｆ）−Ｃ                                      １３．０％
３−ＨＨＢ（Ｆ）−Ｃ                                      １４．０％
３−Ｈ２ＢＴＢ−２                                          ４．０％
【００９８】
［化合物の製法］
本発明の化合物（１）は通常の有機合成化学的手法を駆使することで容易に製造できる。例えばオーガニック・シンセシス、オーガニック・リアクションズ、実験化学講座（丸善株式会社出版）等に記載の手法を適当に選択、組み合わせることで容易に合成できる。
【００９９】
すなわち、一般式（１）で示される化合物はアルキルハライド誘導体（１７）にブチルリチウムを作用させリチオ化後、さらに二硫化炭素を作用させることでジチオカルボン酸誘導体（１８）を製造する。次いで化合物（１８）を塩化チオニルでチオンカルボン酸クロリドとし、これにアルコール誘導体（１９）をピリジン等の塩基の存在下で作用させチオンカルボン酸−Ｏ−エステル（２０）とする。さらに（２０）にジエチルアミノサルファートリフルオリド（以下ＤＡＳＴと省略する）を作用させるか、あるいは特開平５−２５５１６５号記載の方法に順次、Ｎ−ブロモコハク酸イミドの存在下、二水素三フッ化四級アンモニウム塩を作用させることで（１）が製造できる。
【０１００】
【化４５】
0003646399.tif 000040
【０１０１】
（式中Ｒ1 、Ｒ2 、環Ａ、Ｂ、Ｃ、Ｄ、Ｚ1 、Ｚ2 、ｍ、ｎ、ｏおよびｐは前記と同一の意味を表し、ＸはＣｌ、ＢｒあるいはＩ原子を表す）
【０１０２】
一般式（１）においてＲ1 が１−アルケニル基であるものは既知の有機合成的手法にて製造することが可能であるが、以下の方法にて好適に製造できる。すなわちオーガニック・リアクションズ、Ｖｏｌ．１４、第３章に記載の方法に準じ、アルキルハライドから調製したウイッティヒ試薬（２２）にテトラヒドロフラン（以下ＴＨＦと略す）中、ナトリウムアルコキシドあるいはアルキルリチウム等の塩基を作用させ調製したイリドにアルデヒド誘導体（２１）を作用させ、１−アルケニル誘導体（１７ａ）が製造できる。また、（１７ａ）については必要に応じて、特公平４−３０３８２号記載の方法に準じ、ベンゼンスルフィン酸あるいはｐ−トルエンスルフィン酸を作用させ異性化するか、あるいは特公平６−６２４６２号記載の方法に準じて、オレフィンの反転を行うことによりアルケニル基がトランス（Ｅ）体である誘導体を精製することができる。すなわち後者の方法に従えば、化合物（１７ａ）にｍ−クロロ過安息香酸を作用させ、オキシラン誘導体（２３）に誘導後、ジブロモトリフェニルホスホランを作用させ、１、２−ジブロモ置換体（２４）を製造する。（２４）は再結晶操作にてエリスロ体のみを精製後、酢酸中金属亜鉛にて還元することにより、（１Ｅ）−アルケニル誘導体（１７ｂ）を製造することができる。化合物（１７ａ）あるいは（１７ｂ）を前述の化合物（１）の合成操作において化合物（１７）の代わりに使用することでＲ1 が１−アルケニル基である誘導体を製造できる。
【０１０３】
【化４６】
0003646399.tif 000041
【０１０４】
（式中環Ａ、Ｂ、Ｚ1 、ｍおよびｏは前記と同一の意味を表し、ＸはＣｌ、ＢｒあるいはＩ原子を表し、Ｒ11は炭素数１から１３のアルキル基を表す。）
【０１０５】
また、１−アルケニル以外のアルケニル誘導体については以下の方法にて好適に製造することができる。すなわちメトキシメチルトリフェニルホスホニウムクロリドにナトリウムアルコキシドあるいはアルキルリチウム等の塩基を作用させ調製したイリドにアルデヒド誘導体（２１）を作用させ化合物（２５）を製造する。次いで（２５）をぎ酸、酢酸、塩酸あるいは硫酸等で処理することで１炭素増炭したアルデヒド誘導体（２１ａ）を製造することができる。化合物（２１）から（２１ａ）へ誘導した同操作を（２１ａ）にｑ回作用させることでｑ炭素分増炭したアルデヒド誘導体（２１ｂ）を製造することができ、さらに化合物（２１ａ）に上記同様の操作でウィッティヒ試薬（２２）から調製したイリドを作用させることで１−アルケニル以外のアルケニル誘導体（１７ｃ）を製造できる。また、（１７ｃ）は必要に応じて上述の異性化あるいはオレフィンの反転操作を行うことでトランス（Ｅ）−アルケニル誘導体（１７ｄ）を製造できる。化合物（１７ｃ）あるいは（１７ｄ）を前述の化合物（１）の合成操作において化合物（１７）の代わりに使用することでＲ1 が１−アルケニル基以外のアルケニル基である誘導体を製造できる。
【０１０６】
【化４７】
0003646399.tif 000042
【０１０７】
（式中環Ａ、Ｂ、Ｚ1 、ｍおよびｏは前記と同一の意味を表し、ＸはＣｌ、ＢｒあるいはＩ原子を表し、Ｒ11は炭素数１から１３のアルキル基を表し、ｑは２〜１１の整数を表す。）
【０１０８】
前述の一般式（１−３４）〜（１−３７）、（１−７０）〜（１−７３）、（１−９０）、（１−９３）および（１−１１３）で表されるジシクロヘキシルエチレンの部分構造を有する化合物については以下の操作にて好適に製造できる。すなわちアルキルハライド誘導体（２６）からオーガニック・リアクションズ記載の方法にて製造したウイッティヒ試薬（２７）にナトリウムアルコキシドあるいはアルキルリチウム等の塩基を作用させイリドを調製し、次いでそこにアルデヒド誘導体（２８）を作用させジシクロヘキシルエチレン誘導体を製造する。得られたジシクロヘキシルエチレン誘導体は上述の異性化あるいはオレフィンの反転操作を実施することでトランス体（１７ｅ）を製造できる。また、アルデヒド誘導体（２８）の代わりに化合物（２９）を作用させることで化合物（３０）が製造でき、（３０）を水素化リチウムアルミニウムで還元することでアルコール体（１９ａ）が製造できる。化合物（１７ｅ）あるいは（１９ａ）を前述の化合物（１）の合成操作において化合物（１７）あるいは化合物（１９）の代わりに使用することで上述のジシクロヘキシルエチレンの部分構造を有する化合物を製造できる。
【０１０９】
【化４８】
0003646399.tif 000043
【０１１０】
（式中ｏおよびｐは前記と同一の意味を表し、ＸはＣｌ、ＢｒあるいはＩ原子を表し、Ｒ12は前記Ｒ1 あるいはＲ2 と同一の意味を表す。）
【０１１１】
前述の一般式（１−９４）〜（１−１０１）、（１−１０３）〜（１−１１０）および（１−１１２）で表されるトランの部分構造を有する化合物について通常のアルキン生成反応を使用して容易に合成できるが、以下のカストロ反応（Ｊ．Ｏｒｇ．Ｃｈｅｍ．，２８、２１６３（１９６３））を使用して好適に製造できる。すなわちフェニルアセチレン誘導体（３１）にハロゲン化物（３２）を塩基性条件下、触媒の存在下作用し（１７ｆ）を製造できる。また、同様にして（３１）に（３３）を作用させて（３４）が製造でき、さらに（３４）を水素化リチウムアルミニウムにて還元することで（１９ｂ）が製造できる。本反応における溶媒としてはジエチルアミン、トリエチルアミンといった汎用のアミン系化合物が好ましく、また、触媒としてはＰｄ系、Ｎｉ系の化合物が好適である。
以上の操作で得た化合物（１７ｆ）あるいは（１９ｂ）を前述の化合物（１）の合成操作において化合物（１７）あるいは化合物（１９）の代わりに使用することで上述のトランの部分構造を有する化合物を製造できる。
【０１１２】
【化４９】
0003646399.tif 000044
【０１１３】
（式中ｏおよびｐは前記と同一の意味を表し、ＸはＣｌ、ＢｒあるいはＩ原子を表し、Ｒ12は前記Ｒ1 あるいはＲ2 と同一の意味を表す。）
【０１１４】
また、フェニルアセチレン誘導体（３１）はアセトフェノン誘導体（３５）から製造することができる。すなわち（３５）のカルボニル基を塩素化し（３６）とした後、強塩基の存在下脱塩化水素反応を行うことによって（３１）を製造することができる。
【０１１５】
【化５０】
0003646399.tif 000045
（式中Ｒ12は前記Ｒ1 あるいはＲ2 と同一の意味を表す。）
【０１１６】
また、前述の一般式で表されるその他の化合物群についても既知の反応の選択、組み合わせにより容易に製造することが可能である。
【実施例】
以下、実施例により本発明の化合物の製造法および使用例についてさらに詳細に説明するが、本発明はこれらの実施例になんら制限されるものではない。なお、各実施例中においてCrは結晶を、N はネマチック相を、S はスメクチック相を、またIso は等方性液体を示し、相転移温度の単位は全て℃である。また、質量スペクトル（GC-MS ）においてＭ+ は分子イオンピークを表す。
【０１１７】
実施例１
α、α−ジフルオロ−４−プロピルベンジルオキシ−２−（４−トリフルオロメトキシフェニル）エタン（化合物Ｎｏ. ３）（一般式（１）においてｑ＝ｒ＝１、環Ｂおよび環Ｃが１、４−フェニレン基、ｍ＝ｎ＝０、ｏ＝０、ｐ＝２、Ｒ1 ＝n-Ｃ3 Ｈ7 、Ｒ2 がＯＣＦ３基あるもの）の製造
製造工程は大きく３工程に分けられる。各製造工程に分けて以下に詳述する。
【０１１８】
第１工程
攪拌機、温度計および窒素導入管を備えた500ml 三つ口フラスコ中、窒素雰囲下、削り状マグネシウム3.9g(158.2mmol) をＴＨＦ100ml に攪拌しながら懸濁させ、４−プロピルブロモベンゼン30g(150.7mmol)のＴＨＦ溶液200ml を内温が５０℃を越えないように30分を要して滴下した。反応溶液は温浴にて５０℃に加熱しながら、２時間攪拌し、熟成した。次いで氷浴にて内温を５℃まで冷却後、二硫化炭素34.4g(452.1mmol)を内温が１０℃を越えないように20分を要して滴下した。反応溶液は１０℃以下を保ちながら３０分間攪拌後、室温まで昇温し、２時間攪拌した。反応溶液を再度５℃以下まで冷却後、６規定塩酸40mlを添加し反応を終了した。反応溶液はジエチルエーテル400ml で抽出後、水500ml にて洗浄、無水硫酸マグネシウムで乾燥した。ジエチルエーテルを留去、濃縮して23.3g の濃赤紫色油状物を得た。これが４−プロピルフェニルジチオカルボン酸である。
【０１１９】
第２工程
上述の操作で得た４−プロピルフェニルジチオカルボン酸23.3g を500ml ナス型フラスコ中ジエチルエーテル300ml に溶解し、室温下塩化チオニル35.4g （297.5mmol ）を添加後温浴上で加熱還流を10時間行った。ジエチルエーテルおよび未反応の塩化チオニルをアスピレーター減圧下、留去、濃縮し濃赤紫色の油状物質22.2g を得た。これが４−プロピルフェニルチオンカルボン酸クロリドである。次に攪拌機、温度計および窒素導入管を備えた500ml 三つ口フラスコ中、窒素雰囲気下２−（４−トリフルオロメトキシフェニル）エタノール（３８）27.7g(134.3mmol)およびピリジン10.6g(134.3mmol)をトルエン50mlに溶解し、室温で攪拌しながら上記操作で得た４−プロピルフェニルチオンカルボン酸クロリド22.2g のトルエン溶液80mlを30分を要して滴下した。滴下後反応溶液は温浴上内温を６０℃まで加熱し、３時間攪拌熟成を行った。室温まで冷却後、反応溶液に水300ml 、６規定塩酸50mlを添加しトルエン層を分離後、さらに水層をトルエン300ml で抽出した。抽出層は水500ml 、２規定水酸化ナトリウム水溶液100ml および水500ml で順次洗浄後無水硫酸マグネシウムで乾燥した。減圧下トルエンを留去、濃縮して濃赤紫色ペースト状物38.3g を得た。反応物はシリカゲルを充填剤とし、展開溶媒としてヘプタンを使用したカラムクロマトグラフィーにて精製後、さらにヘプタンから再結晶して淡黄色の針状結晶物26.1g を得た。これがチオンカルボン酸−Ｏ−エステル誘導体（３７）である。
【０１２０】
【化５１】
0003646399.tif 000046
【０１２１】
第３工程
300ml ナス型フラスコ中窒素気流下、上記操作で得たチオンカルボン酸−Ｏ−エステル誘導体（３７）10ｇ(27.1mmol)をジクロロメタン70mlに溶解し、室温下ＤＡＳＴ13.1g(81.4mmol) を添加し、室温下25時間攪拌した。反応溶液を氷水200ml に添加し、反応を終了後、ジクロロメタン層を分離、さらに水層をジクロロメタン100ml で抽出した。抽出層は水200ml 、２規定水酸化ナトリウム水溶液50mlおよび水200ml で順次洗浄後無水硫酸マグネシウムで乾燥した。ジクロロメタンを留去、濃縮して淡黄色結晶状の混合物9.0gを得た。反応物はシリカゲルを充填剤とし、展開溶媒としてヘプタンを使用したカラムクロマトグラフィーにて精製後、さらにヘプタンから再結晶して無色針状結晶物3.9gを得た。これが目的とするα、α−ジフルオロ−４−プロピルベンジルオキシ−２−（４−トリフルオロメトキシフェニル）エタンである。尚各種スペクトルの測定結果はその構造を強く指示した。
ＧＣ−ＭＳ：Ｍ+ ３７４
【０１２２】
上記合成操作に使用した２−（４−トリフルオロメトキシフェニル）エタノールは以下の操作にて合成した。
攪拌機、温度計および窒素導入管を備えた1000ml三つ口フラスコ中、窒素雰囲下、削り状マグネシウム7.4g(304.9mmol) をＴＨＦ200ml に攪拌しながら懸濁させ、４−トリフルオロメトキシブロモベンゼン70.0g(290.4mmol)のＴＨＦ溶液300ml を内温が５０℃を越えないように45分を要して滴下した。反応溶液は温浴にて５０℃に加熱しながら、２時間攪拌し、熟成した。次いで氷浴にて内温を５℃まで冷却後、エチレンオキシド25.6g(580.9mmol)を一気に加え、室温にて５時間攪拌した。反応溶液を再度５℃以下まで冷却後、６規定塩酸80mlを添加し反応を終了した。反応溶液はジエチルエーテル600ml で抽出後、水600ml にて洗浄、無水硫酸マグネシウムで乾燥した。ジエチルエーテルを留去、濃縮して45.5g の無色油状物を得た。得られた反応物はシリカゲルを充填剤とし、展開溶媒としてヘプタン〜酢酸エチルを使用したカラムクロマトグラフィーにて精製後、減圧蒸留にてｂｐ．９１〜９３℃／５Torrの留分を分取し、無色油状物を30.9g 得た。これが２−（４−トリフルオロメトキシフェニル）エタノール（３８）である。
【０１２３】
【化５２】
0003646399.tif 000047
【０１２４】
上記製造方法に準じて、４−プロピルブロモベンゼンにかえてアルキル基の鎖長の異なる４−アルキルブロモベンゼンを用いて、以下の化合物が製造できる。
【０１２５】
（化合物Ｎｏ. １）
α、α−ジフルオロ−４−メチルベンジルオキシ−２−（４−トリフルオロメトキシフェニル）エタン
（化合物Ｎｏ. ２）
α、α−ジフルオロ−４−エチルベンジルオキシ−２−（４−トリフルオロメトキシフェニル）エタン
（化合物Ｎｏ. ４）
α、α−ジフルオロ−４−ブチルベンジルオキシ−２−（４−トリフルオロメトキシフェニル）エタン
（化合物Ｎｏ. ５）
α、α−ジフルオロ−４−ペンチルベンジルオキシ−２−（４−トリフルオロメトキシフェニル）エタン
（化合物Ｎｏ. ６）
α、α−ジフルオロ−４−ヘキシルベンジルオキシ−２−（４−トリフルオロメトキシフェニル）エタン
（化合物Ｎｏ. ７）
α、α−ジフルオロ−４−ヘプチルベンジルオキシ−２−（４−トリフルオロメトキシフェニル）エタン
（化合物Ｎｏ. ８）
α、α−ジフルオロ−４−オクチルベンジルオキシ−２−（４−トリフルオロメトキシフェニル）エタン
（化合物Ｎｏ. ９）
α、α−ジフルオロ−４−ノニルベンジルオキシ−２−（４−トリフルオロメトキシフェニル）エタン
（化合物Ｎｏ. １０）
α、α−ジフルオロ−４−デシルベンジルオキシ−２−（４−トリフルオロメトキシフェニル）エタン
【０１２６】
また上記製造方法に準じて、２−（４−トリフルオロメトキシフェニル）エタノールにかえて種々の既知のエタノール誘導体を用いて、以下の化合物が製造できる。
【０１２７】
（化合物Ｎｏ. １１）
α、α−ジフルオロ−４−エチルベンジルオキシ−２−（４−フルオロフェニル）エタン
（化合物Ｎｏ. １２）
α、α−ジフルオロ−４−プロピルベンジルオキシ−２−（４−フルオロフェニル）エタン
（化合物Ｎｏ. １３）
α、α−ジフルオロ−４−ペンチルベンジルオキシ−２−（４−フルオロフェニル）エタン
（化合物Ｎｏ. １４）
α、α−ジフルオロ−４−エチルベンジルオキシ−２−（３、４−ジフルオロフェニル）エタン
（化合物Ｎｏ. １５）
α、α−ジフルオロ−４−プロピルベンジルオキシ−２−（３、４−ジフルオロフェニル）エタン
（化合物Ｎｏ. １６）
α、α−ジフルオロ−４−ペンチルベンジルオキシ−２−（３、４−ジフルオロフェニル）エタン
（化合物Ｎｏ. １７）
α、α−ジフルオロ−４−エチルベンジルオキシ−２−（３、４、５−トリフルオロフェニル）エタン
（化合物Ｎｏ. １８）
α、α−ジフルオロ−４−プロピルベンジルオキシ−２−（３、４、５−トリフルオロフェニル）エタン
（化合物Ｎｏ. １９）
α、α−ジフルオロ−４−ペンチルベンジルオキシ−２−（３、４、５−トリフルオロフェニル）エタン
【０１２８】
（化合物Ｎｏ. ２０）
α、α−ジフルオロ−４−エチルベンジルオキシ−２−（４−トリフルオロメチルフェニル）エタン
（化合物Ｎｏ. ２１）
α、α−ジフルオロ−４−プロピルベンジルオキシ−２−（４−トリフルオロメチルフェニル）エタン
（化合物Ｎｏ. ２２）
α、α−ジフルオロ−４−ペンチルベンジルオキシ−２−（４−トリフルオロメチルフェニル）エタン
（化合物Ｎｏ. ２３）
α、α−ジフルオロ−４−エチルベンジルオキシ−２−（３−フルオロ−４−トリフルオロメチルフェニル）エタン
（化合物Ｎｏ. ２４）
α、α−ジフルオロ−４−プロピルベンジルオキシ−２−（３−フルオロ−４−トリフルオロメチルフェニル）エタン
（化合物Ｎｏ. ２５）
α、α−ジフルオロ−４−ペンチルベンジルオキシ−２−（３−フルオロ−４−トリフルオロメチルフェニル）エタン
（化合物Ｎｏ. ２６）
α、α−ジフルオロ−４−エチルベンジルオキシ−２−（３、５−ジフルオロ−４−トリフルオロメチルフェニル）エタン
（化合物Ｎｏ. ２７）
α、α−ジフルオロ−４−プロピルベンジルオキシ−２−（３、５−ジフルオロ−４−トリフルオロメチルフェニル）エタン
（化合物Ｎｏ. ２８）
α、α−ジフルオロ−４−ペンチルベンジルオキシ−２−（３、５−ジフルオロ−４−トリフルオロメチルフェニル）エタン
（化合物Ｎｏ. ２９）
α、α−ジフルオロ−４−エチルベンジルオキシ−２−（３−フルオロ−４−トリフルオロメトキシフェニル）エタン
（化合物Ｎｏ. ３０）
α、α−ジフルオロ−４−プロピルベンジルオキシ−２−（３−フルオロ−４−トリフルオロメトキシフェニル）エタン
（化合物Ｎｏ．３１）
α、α−ジフルオロ−４−ペンチルベンジルオキシ−２−（３−フルオロ−４−トリフルオロメトキシフェニル）エタン
（化合物Ｎｏ. ３２）
α、α−ジフルオロ−４−エチルベンジルオキシ−２−（３、５−ジフルオロ−４−トリフルオロメトキシフェニル）エタン
（化合物Ｎｏ. ３３）
α、α−ジフルオロ−４−プロピルベンジルオキシ−２−（３、５−ジフルオロ−４−トリフルオロメトキシフェニル）エタン
（化合物Ｎｏ. ３４）
α、α−ジフルオロ−４−ペンチルベンジルオキシ−２−（３、５−ジフルオロ−４−トリフルオロメトキシフェニル）エタン
（化合物Ｎｏ. ３５）
α、α−ジフルオロ−４−エチルベンジルオキシ−２−（４−ジフルオロメトキシフェニル）エタン
（化合物Ｎｏ. ３６）
α、α−ジフルオロ−４−プロピルベンジルオキシ−２−（４−ジフルオロメトキシフェニル）エタン
（化合物Ｎｏ. ３７）
α、α−ジフルオロ−４−ペンチルベンジルオキシ−２−（４−ジフルオロメトキシフェニル）エタン
（化合物Ｎｏ. ３８）
α、α−ジフルオロ−４−エチルベンジルオキシ−２−（３−フルオロ−４−ジフルオロメトキシフェニル）エタン
（化合物Ｎｏ. ３９）
α、α−ジフルオロ−４−プロピルベンジルオキシ−２−（３−フルオロ−４−ジフルオロメトキシフェニル）エタン
【０１２９】
（化合物Ｎｏ. ４０）
α、α−ジフルオロ−４−ペンチルベンジルオキシ−２−（３−フルオロ−４−ジフルオロメトキシフェニル）エタン
（化合物Ｎｏ. ４１）
α、α−ジフルオロ−４−エチルベンジルオキシ−２−（３、５−ジフルオロ−４−ジフルオロメトキシフェニル）エタン
（化合物Ｎｏ. ４２）
α、α−ジフルオロ−４−プロピルベンジルオキシ−２−（３、５−ジフルオロ−４−ジフルオロメトキシフェニル）エタン
（化合物Ｎｏ. ４３）
α、α−ジフルオロ−４−ペンチルベンジルオキシ−２−（３、５−ジフルオロ−４−ジフルオロメトキシフェニル）エタン
（化合物Ｎｏ. ４４）
α、α−ジフルオロ−４−エチルベンジルオキシ−２−（４−シアノフェニル）エタン
（化合物Ｎｏ. ４５）
α、α−ジフルオロ−４−プロピルベンジルオキシ−２−（４−シアノフェニル）エタン
（化合物Ｎｏ. ４６）
α、α−ジフルオロ−４−ペンチルベンジルオキシ−２−（４−シアノフェニル）エタン
（化合物Ｎｏ. ４７）
α、α−ジフルオロ−４−エチルベンジルオキシ−２−（３−フルオロ−４−シアノフェニル）エタン
（化合物Ｎｏ. ４８）
α、α−ジフルオロ−４−プロピルベンジルオキシ−２−（３−フルオロ−４−シアノフェニル）エタン
（化合物Ｎｏ. ４９）
α、α−ジフルオロ−４−ペンチルベンジルオキシ−２−（３−フルオロ−４−シアノフェニル）エタン
（化合物Ｎｏ. ５０）
α、α−ジフルオロ−４−エチルベンジルオキシ−２−（３、５−ジフルオロ−４−シアノフェニル）エタン
（化合物Ｎｏ. ５１）
α、α−ジフルオロ−４−プロピルベンジルオキシ−２−（３、５−ジフルオロ−４−シアノフェニル）エタン
（化合物Ｎｏ. ５２）
α、α−ジフルオロ−４−ペンチルベンジルオキシ−２−（３、５−ジフルオロ−４−シアノフェニル）エタン
（化合物Ｎｏ. ５３）
α、α−ジフルオロ−４−エチルベンジルオキシ−２−（４−プロピルフェニル）エタン
（化合物Ｎｏ. ５４）
α、α−ジフルオロ−４−プロピルベンジルオキシ−２−（４−プロピルフェニル）エタン
（化合物Ｎｏ. ５５）
α、α−ジフルオロ−４−ペンチルベンジルオキシ−２−（４−プロピルフェニル）エタン
（化合物Ｎｏ. ５６）
α、α−ジフルオロ−４−エチルベンジルオキシ−２−（４−ペンチルフェニル）エタン
（化合物Ｎｏ. ５７）
α、α−ジフルオロ−４−プロピルベンジルオキシ−２−（４−ペンチルフェニル）エタン
（化合物Ｎｏ. ５８）
α、α−ジフルオロ−４−ペンチルベンジルオキシ−２−（４−ペンチルフェニル）エタン
（化合物Ｎｏ. ５９）
α、α−ジフルオロ−２−フルオロ−４−プロピルベンジルオキシ−２−（４−トリフルオロメトキシフェニル）エタン
（化合物Ｎｏ. ６０）
α、α−ジフルオロ−２−フルオロ−４−ペンチルベンジルオキシ−２−（４−トリフルオロメトキシフェニル）エタン
（化合物Ｎｏ. ６１）
α、α−ジフルオロ−２、６−ジフルオロ−４−プロピルベンジルオキシ−２−（４−トリフルオロメトキシフェニル）エタン
（化合物Ｎｏ. ６２）
α、α−ジフルオロ−２−フルオロ−４−プロピルベンジルオキシ−２−（４−プロピフェニル）エタン
（化合物Ｎｏ. ６３）
α、α−ジフルオロ−２−フルオロ−４−プロピルベンジルオキシ−２−（４−ペンチルフェニル）エタン
（化合物Ｎｏ. ６４）
α、α−ジフルオロ−２、６−ジフルオロ−４−プロピルベンジルオキシ−２−（４−ペンチルフェニル）エタン
（化合物Ｎｏ. ６５）
α、α−ジフルオロ−２、３−ジフルオロ−４−プロピルベンジルオキシ−２−（４−ペンチルフェニル）エタン
【０１３０】
実施例２
α、α−ジフルオロ−４−（トランス−４−プロピルシクロヘキシル）ベンジルオキシ−２−（４−トリフルオロメトキシフェニル）エタン（化合物Ｎｏ. ６８）
（一般式（１）においてｍ＝１、ｎ＝０、ｑ＝ｒ＝１、環Ａがトランス−１、４−シクロヘキシレン基、環Ｂおよび環Ｃが１、４−フェニレン基、、ｏ＝０、ｐ＝２、Ｒ1 ＝n-Ｃ3 Ｈ7 、Ｒ2 がＯＣＦ３基あるもの）の製造
【０１３１】
実施例１の第１工程において、４−プロピルブロモベンゼンのかわりに４−（トランス−４−プロピルシクロヘキシル）ブロモベンゼンを使用し、以下、実施例１と同様に操作することで目的とするα、α−ジフルオロ−４−（トランス−４−プロピルシクロヘキシル）ベンジルオキシ−２−（４−トリフルオロメトキシフェニル）エタンを得た。尚各種スペクトルの測定結果はその構造を支持した。
ＧＣ−ＭＳ：Ｍ+ ４５６
【０１３２】
上記製造方法に準じて、４−（トランス−４−プロピルシクロヘキシル）ブロモベンゼンにかえてアルキル基の鎖長の異なる４−（トランス−４−アルキルシクロヘキシル）ブロモベンゼンを用いて、以下の化合物が製造できる。
（化合物Ｎｏ. ６６）
α、α−ジフルオロ−４−（トランス−４−メチルシクロヘキシル）ベンジルオキシ−２−（４−トリフルオロメトキシフェニル）エタン
（化合物Ｎｏ. ６７）
α、α−ジフルオロ−４−（トランス−４−エチルシクロヘキシル）ベンジルオキシ−２−（４−トリフルオロメトキシフェニル）エタン
（化合物Ｎｏ. ６９）
α、α−ジフルオロ−４−（トランス−４−ブチルシクロヘキシル）ベンジルオキシ−２−（４−トリフルオロメトキシフェニル）エタン
（化合物Ｎｏ. ７０）
α、α−ジフルオロ−４−（トランス−４−ペンチルシクロヘキシル）ベンジルオキシ−２−（４−トリフルオロメトキシフェニル）エタン
（化合物Ｎｏ. ７１）
α、α−ジフルオロ−４−（トランス−４−ヘキシルシクロヘキシル）ベンジルオキシ−２−（４−トリフルオロメトキシフェニル）エタン
（化合物Ｎｏ. ７２）
α、α−ジフルオロ−４−（トランス−４−ヘプチルシクロヘキシル）ベンジルオキシ−２−（４−トリフルオロメトキシフェニル）エタン
（化合物Ｎｏ. ７３）
α、α−ジフルオロ−４−（トランス−４−オクチルシクロヘキシル）ベンジルオキシ−２−（４−トリフルオロメトキシフェニル）エタン
（化合物Ｎｏ. ７４）
α、α−ジフルオロ−４−（トランス−４−ノニルシクロヘキシル）ベンジルオキシ−２−（４−トリフルオロメトキシフェニル）エタン
（化合物Ｎｏ. ７５）
α、α−ジフルオロ−４−（トランス−４−デシルシクロヘキシル）ベンジルオキシ−２−（４−トリフルオロメトキシフェニル）エタン
【０１３３】
上記および実施例１に示した製造方法に準じて、２−（４−トリフルオロメトキシフェニル）エタノールに代えて種々の既知のエタノール誘導体を用いて、以下の化合物が製造できる。
（化合物Ｎｏ. ７６）
α、α−ジフルオロ−４−（トランス−４−プロピルシクロヘキシル）ベンジルオキシ−２−（３−フルオロ−４−トリフルオロメトキシフェニル）エタン
（化合物Ｎｏ. ７７）
α、α−ジフルオロ−４−（トランス−４−ペンチルシクロヘキシル）ベンジルオキシ−２−（３−フルオロ−４−トリフルオロメトキシフェニル）エタン
（化合物Ｎｏ. ７８）
α、α−ジフルオロ−４−（トランス−４−プロピルシクロヘキシル）ベンジルオキシ−２−（３、５−ジフルオロ−４−トリフルオロメトキシフェニル）エタン
（化合物Ｎｏ. ７９）
α、α−ジフルオロ−４−（トランス−４−ペンチルシクロヘキシル）ベンジルオキシ−２−（３、５−ジフルオロ−４−トリフルオロメトキシフェニル）エタン
（化合物Ｎｏ. ８０）
α、α−ジフルオロ−４−（トランス−４−プロピルシクロヘキシル）ベンジルオキシ−２−（３、４−ジフルオロフェニル）エタン
（化合物Ｎｏ. ８１）
α、α−ジフルオロ−４−（トランス−４−ペンチルシクロヘキシル）ベンジルオキシ−２−（３、４−ジフルオロフェニル）エタン
（化合物Ｎｏ. ８２）
α、α−ジフルオロ−４−（トランス−４−プロピルシクロヘキシル）ベンジルオキシ−２−（３、４、５−トリフルオロフェニル）エタン
（化合物Ｎｏ. ８３）
α、α−ジフルオロ−４−（トランス−４−ペンチルシクロヘキシル）ベンジルオキシ−２−（３、４、５−トリフルオロフェニル）エタン
（化合物Ｎｏ. ８４）
α、α−ジフルオロ−４−（トランス−４−プロピルシクロヘキシル）ベンジルオキシ−２−（４−ジフルオロメトキシフェニル）エタン
【０１３４】
（化合物Ｎｏ. ８５）
α、α−ジフルオロ−４−（トランス−４−ペンチルシクロヘキシル）ベンジルオキシ−２−（４−ジフルオロメトキシフェニル）エタン
（化合物Ｎｏ. ８６）
α、α−ジフルオロ−４−（トランス−４−プロピルシクロヘキシル）ベンジルオキシ−２−（３−フルオロ−４−ジフルオロメトキシフェニル）エタン
（化合物Ｎｏ. ８７）
α、α−ジフルオロ−４−（トランス−４−ペンチルシクロヘキシル）ベンジルオキシ−２−（３−フルオロ−４−ジフルオロメトキシフェニル）エタン
（化合物Ｎｏ. ８８）
α、α−ジフルオロ−４−（トランス−４−プロピルシクロヘキシル）ベンジルオキシ−２−（３、５−ジフルオロ−４−ジフルオロメトキシフェニル）エタン
（化合物Ｎｏ. ８９）
α、α−ジフルオロ−４−（トランス−４−ペンチルシクロヘキシル）ベンジルオキシ−２−（３、５−ジフルオロ−４−ジフルオロメトキシフェニル）エタン
（化合物Ｎｏ. ９０）
α、α−ジフルオロ−４−（トランス−４−プロピルシクロヘキシル）ベンジルオキシ−２−（４−シアノフェニル）エタン
（化合物Ｎｏ. ９１）
α、α−ジフルオロ−４−（トランス−４−ペンチルシクロヘキシル）ベンジルオキシ−２−（４−シアノフェニル）エタン
（化合物Ｎｏ. ９２）
α、α−ジフルオロ−４−（トランス−４−プロピルシクロヘキシル）ベンジルオキシ−２−（３−フルオロ−４−シアノフェニル）エタン
（化合物Ｎｏ. ９３）
α、α−ジフルオロ−４−（トランス−４−ペンチルシクロヘキシル）ベンジルオキシ−２−（３−フルオロ−４−シアノフェニル）エタン
（化合物Ｎｏ. ９４）
α、α−ジフルオロ−４−（トランス−４−プロピルシクロヘキシル）ベンジルオキシ−２−（３、５−ジフルオロ−４−シアノフェニル）エタン
（化合物Ｎｏ. ９５）
α、α−ジフルオロ−４−（トランス−４−ペンチルシクロヘキシル）ベンジルオキシ−２−（３、５−ジフルオロ−４−シアノフェニル）エタン
【０１３５】
（化合物Ｎｏ. ９６）
α、α−ジフルオロ−４−（トランス−４−プロピルシクロヘキシル）ベンジルオキシ−２−（４−プロピルフェニル）エタン
（化合物Ｎｏ. ９７）
α、α−ジフルオロ−４−（トランス−４−ペンチルシクロヘキシル）ベンジルオキシ−２−（４−プロピルフェニル）エタン
（化合物Ｎｏ. ９８）
α、α−ジフルオロ−４−（トランス−４−プロピルシクロヘキシル）ベンジルオキシ−２−（４−ペンチルフェニル）エタン
（化合物Ｎｏ. ９９）
α、α−ジフルオロ−４−（トランス−４−ペンチルシクロヘキシル）ベンジルオキシ−２−（４−ペンチルフェニル）エタン
（化合物Ｎｏ. １００）
α、α−ジフルオロ−４−（トランス−４−プロピルシクロヘキシル）ベンジルオキシ−２−（３−フルオロ−４−プロピルフェニル）エタン
（化合物Ｎｏ. １０１）
α、α−ジフルオロ−４−（トランス−４−ペンチルシクロヘキシル）ベンジルオキシ−２−（３−フルオロ−４−プロピルフェニル）エタン
（化合物Ｎｏ. １０２）
α、α−ジフルオロ−４−（トランス−４−プロピルシクロヘキシル）ベンジルオキシ−２−（３−フルオロ−４−ペンチルフェニル）エタン
（化合物Ｎｏ. １０３）
α、α−ジフルオロ−４−（トランス−４−ペンチルシクロヘキシル）ベンジルオキシ−２−（３−フルオロ−４−ペンチルフェニル）エタン
（化合物Ｎｏ. １０４）
α、α−ジフルオロ−４−（トランス−４−プロピルシクロヘキシル）ベンジルオキシ−２−（２−フルオロ−４−プロピルフェニル）エタン
（化合物Ｎｏ. １０５）
α、α−ジフルオロ−４−（トランス−４−ペンチルシクロヘキシル）ベンジルオキシ−２−（２−フルオロ−４−プロピルフェニル）エタン
（化合物Ｎｏ. １０６）
α、α−ジフルオロ−４−（トランス−４−プロピルシクロヘキシル）ベンジルオキシ−２−（２−フルオロ−４−ペンチルフェニル）エタン
（化合物Ｎｏ. １０７）
α、α−ジフルオロ−４−（トランス−４−ペンチルシクロヘキシル）ベンジルオキシ−２−（２−フルオロ−４−ペンチルフェニル）エタン
（化合物Ｎｏ. １０８）
α、α−ジフルオロ−２−フルオロ−４−（トランス−４−プロピルシクロヘキシル）ベンジルオキシ−２−（４−プロピルフェニル）エタン
（化合物Ｎｏ. １０９）
α、α−ジフルオロ−２−フルオロ−４−（トランス−４−ペンチルシクロヘキシル）ベンジルオキシ−２−（４−プロピルフェニル）エタン
（化合物Ｎｏ. １１０）
α、α−ジフルオロ−２−フルオロ−４−（トランス−４−プロピルシクロヘキシル）ベンジルオキシ−２−（４−ペンチルフェニル）エタン
（化合物Ｎｏ. １１１）
α、α−ジフルオロ−２−フルオロ−４−（トランス−４−ペンチルシクロヘキシル）ベンジルオキシ−２−（４−ペンチルフェニル）エタン
（化合物Ｎｏ. １１２）
α、α−ジフルオロ−２−フルオロ−４−（トランス−４−プロピルシクロヘキシル）ベンジルオキシ−２−（２−フルオロ−４−プロピルフェニル）エタン（化合物Ｎｏ. １１３）
α、α−ジフルオロ−２−フルオロ−４−（トランス−４−ペンチルシクロヘキシル）ベンジルオキシ−２−（２−フルオロ−４−プロピルフェニル）エタン（化合物Ｎｏ. １１４）
α、α−ジフルオロ−２−フルオロ−４−（トランス−４−プロピルシクロヘキシル）ベンジルオキシ−２−（２−フルオロ−４−ペンチルフェニル）エタン
【０１３６】
（化合物Ｎｏ. １１５）
α、α−ジフルオロ−２−フルオロ−４−（トランス−４−ペンチルシクロヘキシル）ベンジルオキシ−２−（２−フルオロ−４−ペンチルフェニル）エタン（化合物Ｎｏ. １１６）
α、α−ジフルオロ−２−フルオロ−４−（トランス−４−プロピルシクロヘキシル）ベンジルオキシ−２−（４−トリフルオロメトキシフェニル）エタン
（化合物Ｎｏ. １１７）
α、α−ジフルオロ−２−フルオロ−４−（トランス−４−ペンチルシクロヘキシル）ベンジルオキシ−２−（４−トリフルオロメトキシフェニル）エタン
（化合物Ｎｏ. １１８）
α、α−ジフルオロ−２−フルオロ−４−（トランス−４−プロピルシクロヘキシル）ベンジルオキシ−２−（３−フルオロ−４−トリフルオロメトキシフェニル）エタン
（化合物Ｎｏ. １１９）
α、α−ジフルオロ−２−フルオロ−４−（トランス−４−ペンチルシクロヘキシル）ベンジルオキシ−２−（３−フルオロ−４−トリフルオロメトキシフェニル）エタン
（化合物Ｎｏ. １２０）
α、α−ジフルオロ−２−フルオロ−４−（トランス−４−プロピルシクロヘキシル）ベンジルオキシ−２−（３、５−ジフルオロ−４−トリフルオロメトキシフェニル）エタン
（化合物Ｎｏ. １２１）
α、α−ジフルオロ−２−フルオロ−４−（トランス−４−ペンチルシクロヘキシル）ベンジルオキシ−２−（３、５−ジフルオロ−４−トリフルオロメトキシフェニル）エタン
（化合物Ｎｏ. １２２）
α、α−ジフルオロ−２−フルオロ−４−（トランス−４−プロピルシクロヘキシル）ベンジルオキシ−２−（３、４−ジフルオロフェニル）エタン
（化合物Ｎｏ. １２３）
α、α−ジフルオロ−２−フルオロ−４−（トランス−４−ペンチルシクロヘキシル）ベンジルオキシ−２−（３、４−ジフルオロフェニル）エタン
（化合物Ｎｏ. １２４）
α、α−ジフルオロ−２−フルオロ−４−（トランス−４−プロピルシクロヘキシル）ベンジルオキシ−２−（３、４、５−トリフルオロフェニル）エタン
（化合物Ｎｏ. １２５）
α、α−ジフルオロ−２−フルオロ−４−（トランス−４−ペンチルシクロヘキシル）ベンジルオキシ−２−（３、４、５−トリフルオロフェニル）エタン
（化合物Ｎｏ. １２６）
α、α−ジフルオロ−２−フルオロ−４−（トランス−４−プロピルシクロヘキシル）ベンジルオキシ−２−（４−シアノフェニル）エタン
（化合物Ｎｏ. １２７）
α、α−ジフルオロ−２−フルオロ−４−（トランス−４−ペンチルシクロヘキシル）ベンジルオキシ−２−（４−シアノフェニル）エタン
（化合物Ｎｏ. １２８）
α、α−ジフルオロ−２−フルオロ−４−（トランス−４−プロピルシクロヘキシル）ベンジルオキシ−２−（３−フルオロ−４−シアノフェニル）エタン
（化合物Ｎｏ. １２９）
α、α−ジフルオロ−２−フルオロ−４−（トランス−４−ペンチルシクロヘキシル）ベンジルオキシ−２−（３−フルオロ−４−シアノフェニル）エタン
（化合物Ｎｏ. １３０）
α、α−ジフルオロ−２−フルオロ−４−（トランス−４−プロピルシクロヘキシル）ベンジルオキシ−２−（３、５−ジフルオロ−４−シアノフェニル）エタン
（化合物Ｎｏ. １３１）
α、α−ジフルオロ−２−フルオロ−４−（トランス−４−ペンチルシクロヘキシル）ベンジルオキシ−２−（３、５−ジフルオロ−４−シアノフェニル）エタン
（化合物Ｎｏ. １３２）
α、α−ジフルオロ−２、３−ジフルオロ−４−（トランス−４−プロピルシクロヘキシル）ベンジルオキシ−２−（４−プロピルフェニル）エタン
（化合物Ｎｏ. １３３）
α、α−ジフルオロ−２、３−ジフルオロ−４−（トランス−４−ペンチルシクロヘキシル）ベンジルオキシ−２−（４−プロピルフェニル）エタン
（化合物Ｎｏ. １３４）
α、α−ジフルオロ−２、３−ジフルオロ−４−（トランス−４−プロピルシクロヘキシル）ベンジルオキシ−２−（４−ペンチルフェニル）エタン
【０１３７】
（化合物Ｎｏ. １３５）
α、α−ジフルオロ−２、３−ジフルオロ−４−（トランス−４−ペンチルシクロヘキシル）ベンジルオキシ−２−（４−ペンチルフェニル）エタン
（化合物Ｎｏ. １３６）
α、α−ジフルオロ−２、３−ジフルオロ−４−（トランス−４−プロピルシクロヘキシル）ベンジルオキシ−２−（２−フルオロ−４−プロピルフェニル）エタン
（化合物Ｎｏ. １３７）
α、α−ジフルオロ−２、３−ジフルオロ−４−（トランス−４−ペンチルシクロヘキシル）ベンジルオキシ−２−（２−フルオロ−４−プロピルフェニル）エタン
（化合物Ｎｏ. １３８）
α、α−ジフルオロ−２、３−ジフルオロ−４−（トランス−４−プロピルシクロヘキシル）ベンジルオキシ−２−（２−フルオロ−４−ペンチルフェニル）エタン
（化合物Ｎｏ. １３９）
α、α−ジフルオロ−２、３−ジフルオロ−４−（トランス−４−ペンチルシクロヘキシル）ベンジルオキシ−２−（２−フルオロ−４−ペンチルフェニル）エタン
（化合物Ｎｏ. １４０）
α、α−ジフルオロ−２、３−ジフルオロ−４−（トランス−４−プロピルシクロヘキシル）ベンジルオキシ−２−（３−フルオロ−４−プロピルフェニル）エタン
（化合物Ｎｏ. １４１）
α、α−ジフルオロ−２、３−ジフルオロ−４−（トランス−４−ペンチルシクロヘキシル）ベンジルオキシ−２−（３−フルオロ−４−プロピルフェニル）エタン
（化合物Ｎｏ. １４２）
α、α−ジフルオロ−２、３−ジフルオロ−４−（トランス−４−プロピルシクロヘキシル）ベンジルオキシ−２−（３−フルオロ−４−ペンチルフェニル）エタン
（化合物Ｎｏ. １４３）
α、α−ジフルオロ−２、３−ジフルオロ−４−（トランス−４−ペンチルシクロヘキシル）ベンジルオキシ−２−（３−フルオロ−４−ペンチルフェニル）エタン
（化合物Ｎｏ. １４４）
α、α−ジフルオロ−２、３−ジフルオロ−４−（トランス−４−プロピルシクロヘキシル）ベンジルオキシ−２−（２、３−ジフルオロ−４−プロピルフェニル）エタン
【０１３８】
（化合物Ｎｏ. １４５）
α、α−ジフルオロ−２、３−ジフルオロ−４−（トランス−４−ペンチルシクロヘキシル）ベンジルオキシ−２−（２、３−ジフルオロ−４−プロピルフェニル）エタン
（化合物Ｎｏ. １４６）
α、α−ジフルオロ−２、３−ジフルオロ−４−（トランス−４−プロピルシクロヘキシル）ベンジルオキシ−２−（２、３−ジフルオロ−４−ペンチルフェニル）エタン
（化合物Ｎｏ. １４７）
α、α−ジフルオロ−２、３−ジフルオロ−４−（トランス−４−ペンチルシクロヘキシル）ベンジルオキシ−２−（２、３−ジフルオロ−４−ペンチルフェニル）エタン
（化合物Ｎｏ. １４８）
α、α−ジフルオロ−２、６−ジフルオロ−４−（トランス−４−プロピルシクロヘキシル）ベンジルオキシ−２−（４−トリフルオロメトキシフェニル）エタン
（化合物Ｎｏ. １４９）
α、α−ジフルオロ−２、６−ジフルオロ−４−（トランス−４−ペンチルシクロヘキシル）ベンジルオキシ−２−（４−トリフルオロメトキシフェニル）エタン
（化合物Ｎｏ. １５０）
α、α−ジフルオロ−２、６−ジフルオロ−４−（トランス−４−プロピルシクロヘキシル）ベンジルオキシ−２−（３−フルオロ−４−トリフルオロメトキシフェニル）エタン
（化合物Ｎｏ. １５１）
α、α−ジフルオロ−２、６−ジフルオロ−４−（トランス−４−ペンチルシクロヘキシル）ベンジルオキシ−２−（３−フルオロ−４−トリフルオロメトキシフェニル）エタン
（化合物Ｎｏ. １５２）
α、α−ジフルオロ−２、６−ジフルオロ−４−（トランス−４−プロピルシクロヘキシル）ベンジルオキシ−２−（３、５−ジフルオロ−４−トリフルオロメトキシフェニル）エタン
（化合物Ｎｏ. １５３）
α、α−ジフルオロ−２、６−ジフルオロ−４−（トランス−４−ペンチルシクロヘキシル）ベンジルオキシ−２−（３、５−ジフルオロ−４−トリフルオロメトキシフェニル）エタン
（化合物Ｎｏ. １５４）
α、α−ジフルオロ−２、６−ジフルオロ−４−（トランス−４−プロピルシクロヘキシル）ベンジルオキシ−２−（３、４−ジフルオロフェニル）エタン
（化合物Ｎｏ. １５５）
α、α−ジフルオロ−２、６−ジフルオロ−４−（トランス−４−ペンチルシクロヘキシル）ベンジルオキシ−２−（３、４−ジフルオロフェニル）エタン
（化合物Ｎｏ. １５６）
α、α−ジフルオロ−２、６−ジフルオロ−４−（トランス−４−プロピルシクロヘキシル）ベンジルオキシ−２−（３、４、５−トリフルオロフェニル）エタン
（化合物Ｎｏ. １５７）
α、α−ジフルオロ−２、６−ジフルオロ−４−（トランス−４−ペンチルシクロヘキシル）ベンジルオキシ−２−（３、４、５−トリフルオロフェニル）エタン
（化合物Ｎｏ. １５８）
α、α−ジフルオロ−２、６−ジフルオロ−４−（トランス−４−プロピルシクロヘキシル）ベンジルオキシ−２−（４−シアノフェニル）エタン
（化合物Ｎｏ. １５９）
α、α−ジフルオロ−２、６−ジフルオロ−４−（トランス−４−ペンチルシクロヘキシル）ベンジルオキシ−２−（４−シアノフェニル）エタン
（化合物Ｎｏ. １６０）
α、α−ジフルオロ−２、６−ジフルオロ−４−（トランス−４−プロピルシクロヘキシル）ベンジルオキシ−２−（３−フルオロ−４−シアノフェニル）エタン
（化合物Ｎｏ. １６１）
α、α−ジフルオロ−２、６−ジフルオロ−４−（トランス−４−ペンチルシクロヘキシル）ベンジルオキシ−２−（３−フルオロ−４−シアノフェニル）エタン
（化合物Ｎｏ. １６２）
α、α−ジフルオロ−２、６−ジフルオロ−４−（トランス−４−プロピルシクロヘキシル）ベンジルオキシ−２−（３、５−ジフルオロ−４−シアノフェニル）エタン
（化合物Ｎｏ. １６３）
α、α−ジフルオロ−２、６−ジフルオロ−４−（トランス−４−ペンチルシクロヘキシル）ベンジルオキシ−２−（３、５−ジフルオロ−４−シアノフェニル）エタン
【０１３９】
（化合物Ｎｏ. １６４）
α、α−ジフルオロ−４−（トランス−４−メチルシクロヘキシル）ベンジルオキシ−２−（４−（トランス−４−メチルシクロヘキシル）フェニル）エタン（化合物Ｎｏ. １６５）
α、α−ジフルオロ−４−（トランス−４−メチルシクロヘキシル）ベンジルオキシ−２−（４−（トランス−４−エチルシクロヘキシル）フェニル）エタン（化合物Ｎｏ. １６６）
α、α−ジフルオロ−４−（トランス−４−メチルシクロヘキシル）ベンジルオキシ−２−（４−（トランス−４−プロピルシクロヘキシル）フェニル）エタン
（化合物Ｎｏ. １６７）
α、α−ジフルオロ−４−（トランス−４−メチルシクロヘキシル）ベンジルオキシ−２−（４−（トランス−４−ペンチルシクロヘキシル）フェニル）エタン
（化合物Ｎｏ. １６８）
α、α−ジフルオロ−４−（トランス−４−メチルシクロヘキシル）ベンジルオキシ−２−（４−（トランス−４−ヘキシルシクロヘキシル）フェニル）エタン
（化合物Ｎｏ. １６９）
α、α−ジフルオロ−４−（トランス−４−エチルシクロヘキシル）ベンジルオキシ−２−（４−（トランス−４−メチルシクロヘキシル）フェニル）エタン（化合物Ｎｏ. １７０）
α、α−ジフルオロ−４−（トランス−４−エチルシクロヘキシル）ベンジルオキシ−２−（４−（トランス−４−エチルシクロヘキシル）フェニル）エタン（化合物Ｎｏ. １７１）
α、α−ジフルオロ−４−（トランス−４−エチルシクロヘキシル）ベンジルオキシ−２−（４−（トランス−４−プロピルシクロヘキシル）フェニル）エタン
（化合物Ｎｏ. １７２）
α、α−ジフルオロ−４−（トランス−４−エチルシクロヘキシル）ベンジルオキシ−２−（４−（トランス−４−ペンチルシクロヘキシル）フェニル）エタン
（化合物Ｎｏ. １７３）
α、α−ジフルオロ−４−（トランス−４−プロピルシクロヘキシル）ベンジルオキシ−２−（４−（トランス−４−メチルシクロヘキシル）フェニル）エタン
（化合物Ｎｏ. １７４）
α、α−ジフルオロ−４−（トランス−４−プロピルシクロヘキシル）ベンジルオキシ−２−（４−（トランス−４−エチルシクロヘキシル）フェニル）エタン
（化合物Ｎｏ. １７５）
α、α−ジフルオロ−４−（トランス−４−プロピルシクロヘキシル）ベンジルオキシ−２−（４−（トランス−４−プロピルシクロヘキシル）フェニル）エタン
（化合物Ｎｏ. １７６）
α、α−ジフルオロ−４−（トランス−４−プロピルシクロヘキシル）ベンジルオキシ−２−（４−（トランス−４−ペンチルシクロヘキシル）フェニル）エタン
（化合物Ｎｏ. １７７）
α、α−ジフルオロ−４−（トランス−４−ペンチルシクロヘキシル）ベンジルオキシ−２−（４−（トランス−４−メチルシクロヘキシル）フェニル）エタン
（化合物Ｎｏ. １７８）
α、α−ジフルオロ−４−（トランス−４−ペンチルシクロヘキシル）ベンジルオキシ−２−（４−（トランス−４−エチルシクロヘキシル）フェニル）エタン
（化合物Ｎｏ. １７９）
α、α−ジフルオロ−４−（トランス−４−ペンチルシクロヘキシル）ベンジルオキシ−２−（４−（トランス−４−プロピルシクロヘキシル）フェニル）エタン
（化合物Ｎｏ. １８０）
α、α−ジフルオロ−４−（トランス−４−ペンチルシクロヘキシル）ベンジルオキシ−２−（４−（トランス−４−ペンチルシクロヘキシル）フェニル）エタン
【０１４０】
（化合物Ｎｏ. １８１）
α、α−ジフルオロ−２−フルオロ−４−（トランス−４−メチルシクロヘキシル）ベンジルオキシ−２−（４−（トランス−４−メチルシクロヘキシル）フェニル）エタン
（化合物Ｎｏ. １８２）
α、α−ジフルオロ−２−フルオロ−４−（トランス−４−メチルシクロヘキシル）ベンジルオキシ−２−（４−（トランス−４−エチルシクロヘキシル）フェニル）エタン
（化合物Ｎｏ. １８３）
α、α−ジフルオロ−２−フルオロ−４−（トランス−４−メチルシクロヘキシル）ベンジルオキシ−２−（４−（トランス−４−プロピルシクロヘキシル）フェニル）エタン
（化合物Ｎｏ. １８４）
α、α−ジフルオロ−２−フルオロ−４−（トランス−４−メチルシクロヘキシル）ベンジルオキシ−２−（４−（トランス−４−ペンチルシクロヘキシル）フェニル）エタン
（化合物Ｎｏ. １８５）
α、α−ジフルオロ−２−フルオロ−４−（トランス−４−エチルシクロヘキシル）ベンジルオキシ−２−（４−（トランス−４−メチルシクロヘキシル）フェニル）エタン
（化合物Ｎｏ. １８６）
α、α−ジフルオロ−２−フルオロ−４−（トランス−４−エチルシクロヘキシル）ベンジルオキシ−２−（４−（トランス−４−エチルシクロヘキシル）フェニル）エタン
（化合物Ｎｏ. １８７）
α、α−ジフルオロ−２−フルオロ−４−（トランス−４−エチルシクロヘキシル）ベンジルオキシ−２−（４−（トランス−４−プロピルシクロヘキシル）フェニル）エタン
（化合物Ｎｏ. １８８）
α、α−ジフルオロ−２−フルオロ−４−（トランス−４−エチルシクロヘキシル）ベンジルオキシ−２−（４−（トランス−４−ペンチルシクロヘキシル）フェニル）エタン
（化合物Ｎｏ. １８９）
α、α−ジフルオロ−２−フルオロ−４−（トランス−４−プロピルシクロヘキシル）ベンジルオキシ−２−（４−（トランス−４−メチルシクロヘキシル）フェニル）エタン
（化合物Ｎｏ. １９０）
α、α−ジフルオロ−２−フルオロ−４−（トランス−４−プロピルシクロヘキシル）ベンジルオキシ−２−（４−（トランス−４−エチルシクロヘキシル）フェニル）エタン
（化合物Ｎｏ. １９１）
α、α−ジフルオロ−２−フルオロ−４−（トランス−４−プロピルシクロヘキシル）ベンジルオキシ−２−（４−（トランス−４−プロピルシクロヘキシル）フェニル）エタン
（化合物Ｎｏ. １９２）
α、α−ジフルオロ−２−フルオロ−４−（トランス−４−プロピルシクロヘキシル）ベンジルオキシ−２−（４−（トランス−４−ペンチルシクロヘキシル）フェニル）エタン
（化合物Ｎｏ. １９３）
α、α−ジフルオロ−２−フルオロ−４−（トランス−４−ペンチルシクロヘキシル）ベンジルオキシ−２−（４−（トランス−４−メチルシクロヘキシル）フェニル）エタン
（化合物Ｎｏ. １９４）
α、α−ジフルオロ−２−フルオロ−４−（トランス−４−ペンチルシクロヘキシル）ベンジルオキシ−２−（４−（トランス−４−エチルシクロヘキシル）フェニル）エタン
（化合物Ｎｏ. １９５）
α、α−ジフルオロ−２−フルオロ−４−（トランス−４−ペンチルシクロヘキシル）ベンジルオキシ−２−（４−（トランス−４−プロピルシクロヘキシル）フェニル）エタン
（化合物Ｎｏ. １９６）
α、α−ジフルオロ−２−フルオロ−４−（トランス−４−ペンチルシクロヘキシル）ベンジルオキシ−２−（４−（トランス−４−ペンチルシクロヘキシル）フェニル）エタン
【０１４１】
（化合物Ｎｏ. １９７）
α、α−ジフルオロ−２、３−ジフルオロ−４−（トランス−４−メチルシクロヘキシル）ベンジルオキシ−２−（４−（トランス−４−メチルシクロヘキシル）フェニル）エタン
（化合物Ｎｏ. １９８）
α、α−ジフルオロ−２、３−ジフルオロ−４−（トランス−４−メチルシクロヘキシル）ベンジルオキシ−２−（４−（トランス−４−エチルシクロヘキシル）フェニル）エタン
（化合物Ｎｏ. １９９）
α、α−ジフルオロ−２、３−ジフルオロ−４−（トランス−４−メチルシクロヘキシル）ベンジルオキシ−２−（４−（トランス−４−プロピルシクロヘキシル）フェニル）エタン
（化合物Ｎｏ. ２００）
α、α−ジフルオロ−２、３−ジフルオロ−４−（トランス−４−メチルシクロヘキシル）ベンジルオキシ−２−（４−（トランス−４−ペンチルシクロヘキシル）フェニル）エタン
（化合物Ｎｏ. ２０１）
α、α−ジフルオロ−２、３−ジフルオロ−４−（トランス−４−エチルシクロヘキシル）ベンジルオキシ−２−（４−（トランス−４−メチルシクロヘキシル）フェニル）エタン
（化合物Ｎｏ. ２０２）
α、α−ジフルオロ−２、３−ジフルオロ−４−（トランス−４−エチルシクロヘキシル）ベンジルオキシ−２−（４−（トランス−４−エチルシクロヘキシル）フェニル）エタン
（化合物Ｎｏ. ２０３）
α、α−ジフルオロ−２、３−ジフルオロ−４−（トランス−４−エチルシクロヘキシル）ベンジルオキシ−２−（４−（トランス−４−プロピルシクロヘキシル）フェニル）エタン
（化合物Ｎｏ. ２０４）
α、α−ジフルオロ−２、３−ジフルオロ−４−（トランス−４−エチルシクロヘキシル）ベンジルオキシ−２−（４−（トランス−４−ペンチルシクロヘキシル）フェニル）エタン
（化合物Ｎｏ. ２０５）
α、α−ジフルオロ−２、３−ジフルオロ−４−（トランス−４−プロピルシクロヘキシル）ベンジルオキシ−２−（４−（トランス−４−メチルシクロヘキシル）フェニル）エタン
（化合物Ｎｏ. ２０６）
α、α−ジフルオロ−２、３−ジフルオロ−４−（トランス−４−プロピルシクロヘキシル）ベンジルオキシ−２−（４−（トランス−４−エチルシクロヘキシル）フェニル）エタン
（化合物Ｎｏ. ２０７）
α、α−ジフルオロ−２、３−ジフルオロ−４−（トランス−４−プロピルシクロヘキシル）ベンジルオキシ−２−（４−（トランス−４−プロピルシクロヘキシル）フェニル）エタン
（化合物Ｎｏ. ２０８）
α、α−ジフルオロ−２、３−ジフルオロ−４−（トランス−４−プロピルシクロヘキシル）ベンジルオキシ−２−（４−（トランス−４−ペンチルシクロヘキシル）フェニル）エタン
（化合物Ｎｏ. ２０９）
α、α−ジフルオロ−２、３−ジフルオロ−４−（トランス−４−ペンチルシクロヘキシル）ベンジルオキシ−２−（４−（トランス−４−メチルシクロヘキシル）フェニル）エタン
（化合物Ｎｏ. ２１０）
α、α−ジフルオロ−２、３−ジフルオロ−４−（トランス−４−ペンチルシクロヘキシル）ベンジルオキシ−２−（４−（トランス−４−エチルシクロヘキシル）フェニル）エタン
（化合物Ｎｏ. ２１１）
α、α−ジフルオロ−２、３−ジフルオロ−４−（トランス−４−ペンチルシクロヘキシル）ベンジルオキシ−２−（４−（トランス−４−プロピルシクロヘキシル）フェニル）エタン
（化合物Ｎｏ. ２１２）
α、α−ジフルオロ−２、３−ジフルオロ−４−（トランス−４−ペンチルシクロヘキシル）ベンジルオキシ−２−（４−（トランス−４−ペンチルシクロヘキシル）フェニル）エタン
【０１４２】
実施例３
（トランス−４−プロピルシクロヘキシル）メチレンオキシ−１、１−ジフルオロ−２−（トランス−４−エテニルシクロヘキシル）エタン（化合物Ｎｏ. ２１５）（一般式（１）においてｍ＝ｎ＝０、ｑ＝ｒ＝１、環Ｂおよび環Ｃが１、４−シクロヘキシレン基、ｏ＝ｐ＝１、Ｒ1 がエテニル基、Ｒ2 がｎ−Ｃ３Ｈ７であるもの）の製造
【０１４３】
製造工程は大きく１）４−エテニルシクロヘキシルメチレンブロミド（３９）の製造、２）（トランス−４−プロピルシクロヘキシル）メチレンオキシ−１、１−ジフルオロ−２−（トランス−４−エテニルシクロヘキシル）エタンの製造の２つの段階に大きく分けられる。各製造段階に分けて以下に詳述する。
【０１４４】
「４−エテニルシクロヘキシルメチレンブロミド（３９）の合成」
第１工程
攪拌機、温度計および窒素導入管を備えた1000ml三つ口フラスコ中、窒素雰囲気下メトキシメチルトリフェニルホスホニウムクロリド158.0g(461.0mmol) をＴＨＦ400ml に懸濁し、ドライアイス−アセトン浴中−５０℃以下まで冷却後、カリウム−ｔ−ブトキシド54.3g(484.1mmol)を添加し、同−５０℃以下を保ちつつ２時間攪拌しイリドを調製した。次いで同温度にてシクロヘキサンジオンモノエチレンケタール60.g(384.2mmol) のＴＨＦ溶液150ml を２５分を要して滴下し、同温度で１時間攪拌後室温まで昇温し、さらに４時間室温で攪拌した。反応溶液に水400ml を添加し反応を終了後、ＴＨＦ層を分離し、さらに水層をトルエン400ml で抽出した。抽出層は水600ml で洗浄後、無水硫酸マグネシウムで乾燥し、減圧下溶媒を留去、濃縮した。濃縮残査はシリカゲルを充填剤とし、展開溶媒としてトルエンを使用したカラムクロマトグラフィーにて精製し、黄褐色油状の反応物64.4g を得た。次に反応物は1000mlのナス型スラスコ中トルエン200ml に溶解し、９９％ぎ酸81.3g(1748.0mmol) を添加し、10時間加熱還流を行った。反応溶液はそのまま減圧下濃縮し、濃縮物44.1g を得た。濃縮残査は減圧蒸留に付し、bp. １４１℃／３２Torrの留分を分取し、無色油状物30.gを得た。これが４−ホルミルシクロヘキサノンである。
【０１４５】
第２工程
攪拌機および温度計を備えた500ml 三つ口フラスコ中、エタノール250ml に上記操作で得た４−ホルミルシクロヘキサノン30.4g(241.2mmol)を溶解させ、室温で攪拌しながら水素化ホウ素ナトリウム7.3g(192.9mmol) を添加し、室温で５時間攪拌した。反応溶液を氷冷下１０℃以下まで冷却後、３Ｎ塩酸水溶液80mlを添加し反応を終了した。反応溶液は減圧下エタノールを留去後、ジエチルエーテル400ml で抽出した。抽出層は水300ml で洗浄後、無水硫酸マグネシウムで乾燥後、溶媒を留去しアルコール誘導体（４０）30.3g を得た。
【０１４６】
【化５３】
0003646399.tif 000048
【０１４７】
第３工程
攪拌機、冷却管および温度計を備えた500ml 三つ口フラスコ中アルコール誘導体（４０）30.3g をキシレン40mlに溶解し、４７％臭化水素酸水溶液122.0g（709.2mmol ）を添加し、８時間加熱環流を行った。室温まで冷却後、反応溶液に水300ml を添加し、酢酸エチル400ml で抽出した。抽出層は水400ml 、飽和炭酸水素ナトリウム水溶液100ml および水400ml で順次洗浄後、無水硫酸マグネシウムで乾燥し、減圧下溶媒を留去濃縮し、濃縮物43.5g を得た。濃縮物はシリカゲルを充填剤とし、展開溶媒としてトルエンを使用したカラムクロマトグラフィーにて精製し、無色油状物37.9g を得た。これがブロム置換体（４１）である。
【０１４８】
【化５４】
0003646399.tif 000049
【０１４９】
第４工程
攪拌機、温度計および窒素導入管を備えた500ml 三つ口フラスコ中、窒素雰囲気下メトキシメチルトリフェニルホスホニウムクロリド81.7g(238.3mmol)をＴＨＦ400ml に懸濁し、ドライアイス−アセトン浴中−５０℃以下まで冷却後、カリウム−ｔ−ブトキシド28.1g(250.2mmol)を添加し、同−５０℃以下を保ちつつ２時間攪拌しイリドを調製した。次いで同温度にて上記操作で得たブロム置換体（４１）37.9g(198.6mmol)のＴＨＦ溶液100ml を２０分を要して滴下し、同温度で１時間攪拌後室温まで昇温し、さらに４時間室温で攪拌した。反応溶液に水200ml を添加し反応を終了後、ＴＨＦ層を分離し、さらに水層をトルエン200ml で抽出した。抽出層は水400ml で洗浄後、無水硫酸マグネシウムで乾燥し、減圧下溶媒を留去、濃縮した。濃縮残査はシリカゲルを充填剤とし、展開溶媒としてトルエンを使用したカラムクロマトグラフィーにて精製し、黄褐色油状の反応物40. 9gを得た。次に反応物は500ml のナス型スラスコ中トルエン200ml に溶解し、９９％ぎ酸21.7g(466.8mmol)を添加し、４時間加熱還流を行った。反応溶液はそのまま減圧下濃縮し、濃縮物31.8g を得た。濃縮残査はシリカゲルを充填剤とし、展開溶媒としてトルエンを使用したカラムクロマトグラフィーにて精製し、無色油状の反応物27.9g を得た。これがアルデヒド誘導体（４２）である。
【０１５０】
【化５５】
0003646399.tif 000050
【０１５１】
第５工程
攪拌機、温度計および窒素導入管を備えた500ml 三つ口フラスコ中、窒素雰囲気下メチルトリフェニルホスホニウムブロミド58.4g(163.6mmol)をＴＨＦ200ml に懸濁し、ドライアイス−アセトン浴中−５０℃以下まで冷却後、カリウム−ｔ−ブトキシド19.3g （171.8mmol)を添加し、同−５０℃以下を保ちつつ２時間攪拌しイリドを調製した。次いで同温度にて上記操作で得たアルデヒド誘導体（４２）27.9g(136.4mmol)のＴＨＦ溶液80mlを１５分を要して滴下し、同温度で１時間攪拌後室温まで昇温し、さらに４時間室温で攪拌した。反応溶液に水200ml を添加し反応を終了後、ＴＨＦ層を分離し、さらに水層をトルエン200ml で抽出した。抽出層は水400ml で洗浄後、無水硫酸マグネシウムで乾燥し、減圧下溶媒を留去、濃縮した。濃縮残査はシリカゲルを充填剤とし、展開溶媒としてヘプタン−トルエンの混合溶媒を使用したカラムクロマトグラフィーにて精製し、無色油状の反応物24.7g を得た。これが４−エテニルシクロヘキシルメチレンブロミド（３９）である
【０１５２】
【化５６】
0003646399.tif 000051
【０１５３】
２）（トランス−４−プロピルシクロヘキシル）メチレンオキシ−１、１−ジフルオロ−２−（トランス−４−エテニルシクロヘキシル）エタンの製造
【０１５４】
第６工程
攪拌機、温度計および窒素導入管を備えた500ml 三つ口フラスコ中、窒素雰囲気下、上記操作で得た４−エテニルシクロヘキシルメチレンブロミド（３９）24. g （121.4mmol ）をＴＨＦ80mlに溶解し、アセトン−ドライアイス浴にて−５０℃以下まで冷却後、ｎ−ブチルリチウム1.6 Ｍ溶液113.8ml を−５０以下を保ちながら５０分を要して滴下した。滴下後さらに同温度で２時間攪拌後、二硫化炭素27.7g （364.2mmol ）を同−５０℃以下にて１５分を要して滴下した。滴下後２時間攪拌し、室温まで徐々に２０分を要して昇温し、さらに２時間攪拌した。反応溶液に水100ml および３Ｎ塩酸水溶液50mlを添加し反応を終了後、反応物をジエチルエーテル300ml にて抽出した。抽出層は水400ml にて洗浄後、無水硫酸マグネシウムで乾燥、溶媒を留去して赤紫色油状物24.1g を得た。これがジチオカルボン酸誘導体（４３）である
【０１５５】
【化５７】
0003646399.tif 000052
【０１５６】
第７工程
実施例１に示した製造方法に準じて上記ジチオカルボン酸誘導体（４３）24.1g とトランス−４−プロピルシクロヘキサンカルビノール（４４）28.0g （182.1mmol ）から目的物（トランス−４−プロピルシクロヘキシル）メチレンオキシ−１、１−ジフルオロ−２−（トランス−４−エテニルシクロヘキシル）エタン3.9gを得た。尚各種スペクトルの測定結果はその構造を支持した。
ＧＣ−ＭＳ：Ｍ+ ３２８
【０１５７】
【化５８】
0003646399.tif 000053
【０１５８】
【化５９】
0003646399.tif 000054
【０１５９】
上記製造方法に準じて、その第６工程においてトランス−４−プロピルシクロヘキサンカルビノール（４４）に代えてアルキル鎖の異なるトランス−４−アルキルシクロヘキサンカルビノールまたはトランス−４−（トランス−４−アルキルシクロヘキシル）シクロヘキサンカルビノールを用いて、以下の化合物が製造できる。
【０１６０】
（化合物Ｎｏ. ２１３）
（トランス−４−メチルシクロヘキシル）メチレンオキシ−１、１−ジフルオロ−２−（トランス−４−エテニルシクロヘキシル）エタン
（化合物Ｎｏ. ２１４）
（トランス−４−エチルシクロヘキシル）メチレンオキシ−１、１−ジフルオロ−２−（トランス−４−エテニルシクロヘキシル）エタン
（化合物Ｎｏ. ２１６）
（トランス−４−ブチルシクロヘキシル）メチレンオキシ−１、１−ジフルオロ−２−（トランス−４−エテニルシクロヘキシル）エタン
（化合物Ｎｏ. ２１７）
（トランス−４−ペンチルシクロヘキシル）メチレンオキシ−１、１−ジフルオロ−２−（トランス−４−エテニルシクロヘキシル）エタン
（化合物Ｎｏ. ２１８）
（トランス−４−ヘキシルシクロヘキシル）メチレンオキシ−１、１−ジフルオロ−２−（トランス−４−エテニルシクロヘキシル）エタン
（化合物Ｎｏ. ２１９）
（トランス−４−ヘプチルシクロヘキシル）メチレンオキシ−１、１−ジフルオロ−２−（トランス−４−エテニルシクロヘキシル）エタン
（化合物Ｎｏ. ２２０）
（トランス−４−オクチルシクロヘキシル）メチレンオキシ−１、１−ジフルオロ−２−（トランス−４−エテニルシクロヘキシル）エタン
（化合物Ｎｏ. ２２１）
（トランス−４−ノニルシクロヘキシル）メチレンオキシ−１、１−ジフルオロ−２−（トランス−４−エテニルシクロヘキシル）エタン
（化合物Ｎｏ. ２２２）
（トランス−４−デシルシクロヘキシル）メチレンオキシ−１、１−ジフルオロ−２−（トランス−４−エテニルシクロヘキシル）エタン
【０１６１】
（化合物Ｎｏ. ２２３）
トランス−４−（トランス−４−メチルシクロヘキシル）シクロヘキシルメチレンオキシ−１、１−ジフルオロ−２−（トランス−４−エテニルシクロヘキシル）エタン
（化合物Ｎｏ. ２２４）
トランス−４−（トランス−４−エチルシクロヘキシル）シクロヘキシルメチレンオキシ−１、１−ジフルオロ−２−（トランス−４−エテニルシクロヘキシル）エタン
（化合物Ｎｏ. ２２５）
トランス−４−（トランス−４−プロピルシクロヘキシル）シクロヘキシルメチレンオキシ−１、１−ジフルオロ−２−（トランス−４−エテニルシクロヘキシル）エタン
（化合物Ｎｏ. ２２６）
トランス−４−（トランス−４−ペンチルシクロヘキシル）シクロヘキシルメチレンオキシ−１、１−ジフルオロ−２−（トランス−４−エテニルシクロヘキシル）エタン
【０１６２】
上記製造方法に準じて、その第５工程においてメチルトリフェニルホスホニウムブロミドにかえてエチルトリフェニルホスホニウムヨージドを使用し、さらに生成物を特公平４−３０３８２号記載の方法に準じ、ベンゼンスルフィン酸もしくはｐ−トルエンスルフィン酸を作用させ異性化を行うか、または特公平６−６２４６２号記載の方法に準じて、オレフィンの立体反転を行うことで、以下の化合物が製造できる。
（化合物Ｎｏ. ２２７）
（トランス−４−メチルシクロヘキシル）メチレンオキシ−１、１−ジフルオロ−２−（トランス−４−（（Ｅ）−１−プロペニル）シクロヘキシル）エタン
（化合物Ｎｏ. ２２８）
（トランス−４−エチルシクロヘキシル）メチレンオキシ−１、１−ジフルオロ−２−（トランス−４−（（Ｅ）−１−プロペニル）シクロヘキシル）エタン
（化合物Ｎｏ. ２２９）
（トランス−４−プロピルシクロヘキシル）メチレンオキシ−１、１−ジフルオロ−２−（トランス−４−（（Ｅ）−１−プロペニル）シクロヘキシル）エタン（化合物Ｎｏ. ２３０）
（トランス−４−ペンチルシクロヘキシル）メチレンオキシ−１、１−ジフルオロ−２−（トランス−４−（（Ｅ）−１−プロペニル）シクロヘキシル）エタン
【０１６３】
（化合物Ｎｏ. ２３１）
トランス−４−（トランス−４−メチルシクロヘキシル）シクロヘキシルメチレンオキシ−１、１−ジフルオロ−２−（トランス−４−（（Ｅ）−１−プロペニル）シクロヘキシル）エタン
（化合物Ｎｏ. ２３２）
トランス−４−（トランス−４−エチルシクロヘキシル）シクロヘキシルメチレンオキシ−１、１−ジフルオロ−２−（トランス−４−（（Ｅ）−１−プロペニル）シクロヘキシル）エタン
（化合物Ｎｏ. ２３３）
トランス−４−（トランス−４−プロピルシクロヘキシル）シクロヘキシルメチレンオキシ−１、１−ジフルオロ−２−（トランス−４−（（Ｅ）−１−プロペニル）シクロヘキシル）エタン
（化合物Ｎｏ. ２３４）
トランス−４−（トランス−４−ペンチルシクロヘキシル）シクロヘキシルメチレンオキシ−１、１−ジフルオロ−２−（トランス−４−（（Ｅ）−１−プロペニル）シクロヘキシル）エタン
【０１６４】
上記製造方法に準じて、その第１工程において１、４−シクロヘキサンジオンモノエチレンケタールにかえて４、４’−ジシクロヘキサンジオンモノエチレンケタール（４５）を使用することで、以下の化合物が製造できる。
【０１６５】
【化６０】
0003646399.tif 000055
【０１６６】
（化合物Ｎｏ. ２３５）
（トランス−４−メチルシクロヘキシル）メチレンオキシ−１、１−ジフルオロ−２−（トランス−４−（トランス−４−エテニルシクロヘキシル）シクロヘキシル）エタン
（化合物Ｎｏ. ２３６）
（トランス−４−エチルシクロヘキシル）メチレンオキシ−１、１−ジフルオロ−２−（トランス−４−（トランス−４−エテニルシクロヘキシル）シクロヘキシル）エタン
（化合物Ｎｏ. ２３７）
（トランス−４−プロピルシクロヘキシル）メチレンオキシ−１、１−ジフルオロ−２−（トランス−４−（トランス−４−エテニルシクロヘキシル）シクロヘキシル）エタン
（化合物Ｎｏ. ２３８）
（トランス−４−ペンチルシクロヘキシル）メチレンオキシ−１、１−ジフルオロ−２−（トランス−４−（トランス−４−エテニルシクロヘキシル）シクロヘキシル）エタン
【０１６７】
（化合物Ｎｏ. ２３９）
（トランス−４−メチルシクロヘキシル）メチレンオキシ−１、１−ジフルオロ−２−（トランス−４−（トランス−４−（（Ｅ）−１−プロペニル）シクロヘキシル）シクロヘキシル）エタン
（化合物Ｎｏ. ２４０）
（トランス−４−エチルシクロヘキシル）メチレンオキシ−１、１−ジフルオロ−２−（トランス−４−（トランス−４−（（Ｅ）−１−プロペニル）シクロヘキシル）シクロヘキシル）エタン
（化合物Ｎｏ. ２４１）
（トランス−４−プロピルシクロヘキシル）メチレンオキシ−１、１−ジフルオロ−２−（トランス−４−（トランス−４−（（Ｅ）−１−プロペニル）シクロヘキシル）シクロヘキシル）エタン
（化合物Ｎｏ. ２４２）
（トランス−４−ペンチルシクロヘキシル）メチレンオキシ−１、１−ジフルオロ−２−（トランス−４−（トランス−４−（（Ｅ）−１−プロペニル）シクロヘキシル）シクロヘキシル）エタン
【０１６８】
上記製造方法に準じて、その第７工程においてトランス−４−プロピルシクロヘキサンアルビノールにかえて種々のベンジルアルコール誘導体を使用することで、以下の化合物が製造できる。
【０１６９】
（化合物Ｎｏ. ２４３）
４−メチルベンジルオキシ−１、１−ジフルオロ−２−（トランス−４−エテニルシクロヘキシル）エタン
（化合物Ｎｏ. ２４４）
４−エチルベンジルオキシ−１、１−ジフルオロ−２−（トランス−４−エテニルシクロヘキシル）エタン
（化合物Ｎｏ. ２４５）
４−プロピルベンジルオキシ−１、１−ジフルオロ−２−（トランス−４−エテニルシクロヘキシル）エタン
（化合物Ｎｏ. ２４６）
４−ペンチルベンジルオキシ−１、１−ジフルオロ−２−（トランス−４−エテニルシクロヘキシル）エタン
【０１７０】
（化合物Ｎｏ. ２４７）
４−メチルベンジルオキシ−１、１−ジフルオロ−２−（トランス−４−（（Ｅ）−１−プロペニル）シクロヘキシル）エタン
（化合物Ｎｏ. ２４８）
４−エチルベンジルオキシ−１、１−ジフルオロ−２−（トランス−４−（（Ｅ）−１−プロペニル）シクロヘキシル）エタン
（化合物Ｎｏ. ２４９）
４−プロピルベンジ
ルオキシ−１、１−ジフルオロ−２−（トランス−４−（（Ｅ）−１−プロペニル）シクロヘキシル）エタン
（化合物Ｎｏ. ２５０）
４−ペンチルベンジルオキシ−１、１−ジフルオロ−２−（トランス−４−（（Ｅ）−１−プロペニル）シクロヘキシル）エタン
【０１７１】
（化合物Ｎｏ. ２５１）
４−シアノベンジルオキシ−１、１−ジフルオロ−２−（トランス−４−エテニルシクロヘキシル）エタン
（化合物Ｎｏ. ２５２）
３−フルオロ−４−シアノベンジルオキシ−１、１−ジフルオロ−２−（トランス−４−エテニルシクロヘキシル）エタン
（化合物Ｎｏ. ２５３）
３、５−ジフルオロ−４−シアノベンジルオキシ−１、１−ジフルオロ−２−（トランス−４−エテニルシクロヘキシル）エタン
（化合物Ｎｏ. ２５４）
３、４−ジフルオロベンジルオキシ−１、１−ジフルオロ−２−（トランス−４−エテニルシクロヘキシル）エタン
（化合物Ｎｏ. ２５５）
３、４、５−トリフルオロベンジルオキシ−１、１−ジフルオロ−２−（トランス−４−エテニルシクロヘキシル）エタン
【０１７２】
（化合物Ｎｏ. ２５６）
４−トリフルオロメトキシベンジルオキシ−１、１−ジフルオロ−２−（トランス−４−エテニルシクロヘキシル）エタン
（化合物Ｎｏ. ２５７）
３−フルオロ−４−トリフルオロメトキシベンジルオキシ−１、１−ジフルオロ−２−（トランス−４−エテニルシクロヘキシル）エタン
（化合物Ｎｏ. ２５８）
３、５−ジフルオロ−４−トリフルオロメトキシベンジルオキシ−１、１−ジフルオロ−２−（トランス−４−エテニルシクロヘキシル）エタン
（化合物Ｎｏ. ２５９）
４−ジフルオロメトキシベンジルオキシ−１、１−ジフルオロ−２−（トランス−４−エテニルシクロヘキシル）エタン
（化合物Ｎｏ. ２６０）
３−フルオロ−４−ジフルオロメトキシベンジルオキシ−１、１−ジフルオロ−２−（トランス−４−エテニルシクロヘキシル）エタン
（化合物Ｎｏ. ２６１）
３、５−ジフルオロ−４−ジフルオロメトキシベンジルオキシ−１、１−ジフルオロ−２−（トランス−４−エテニルシクロヘキシル）エタン
（化合物Ｎｏ. ２６２）
４−トリフルオロメチルベンジルオキシ−１、１−ジフルオロ−２−（トランス−４−エテニルシクロヘキシル）エタン
（化合物Ｎｏ. ２６３）
３−フルオロ−４−トリフルオロメチルベンジルオキシ−１、１−ジフルオロ−２−（トランス−４−エテニルシクロヘキシル）エタン
（化合物Ｎｏ. ２６４）
３、５−ジフルオロ−４−トリフルオロメチルベンジルオキシ−１、１−ジフルオロ−２−（トランス−４−エテニルシクロヘキシル）エタン
【０１７３】
（化合物Ｎｏ. ２６５）
４−シアノベンジルオキシ−１、１−ジフルオロ−２−（トランス−４−（（Ｅ）−１−プロペニル）シクロヘキシル）エタン
（化合物Ｎｏ. ２６６）
３−フルオロ−４−シアノベンジルオキシ−１、１−ジフルオロ−２−（トランス−４−（（Ｅ）−１−プロペニル）シクロヘキシル）エタン
（化合物Ｎｏ. ２６７）
３、５−ジフルオロ−４−シアノベンジルオキシ−１、１−ジフルオロ−２−（トランス−４−（（Ｅ）−１−プロペニル）シクロヘキシル）エタン
（化合物Ｎｏ. ２６８）
３、４−ジフルオロベンジルオキシ−１、１−ジフルオロ−２−（トランス−４−（（Ｅ）−１−プロペニル）シクロヘキシル）エタン
（化合物Ｎｏ. ２６９）
３、４、５−トリフルオロベンジルオキシ−１、１−ジフルオロ−２−（トランス−４−（（Ｅ）−１−プロペニル）シクロヘキシル）エタン
【０１７４】
（化合物Ｎｏ. ２７０）
４−トリフルオロメトキシベンジルオキシ−１、１−ジフルオロ−２−（トランス−４−（（Ｅ）−１−プロペニル）シクロヘキシル）エタン
（化合物Ｎｏ. ２７１）
３−フルオロ−４−トリフルオロメトキシベンジルオキシ−１、１−ジフルオロ−２−（トランス−４−（（Ｅ）−１−プロペニル）シクロヘキシル）エタン
（化合物Ｎｏ. ２７２）
３、５−ジフルオロ−４−トリフルオロメトキシベンジルオキシ−１、１−ジフルオロ−２−（トランス−４−（（Ｅ）−１−プロペニル）シクロヘキシル）エタン
（化合物Ｎｏ. ２７３）
４−ジフルオロメトキシベンジルオキシ−１、１−ジフルオロ−２−（トランス−４−（（Ｅ）−１−プロペニル）シクロヘキシル）エタン
（化合物Ｎｏ. ２７４）
３−フルオロ−４−ジフルオロメトキシベンジルオキシ−１、１−ジフルオロ−２−（トランス−４−（（Ｅ）−１−プロペニル）シクロヘキシル）エタン
（化合物Ｎｏ. ２７５）
３、５−ジフルオロ−４−ジフルオロメトキシベンジルオキシ−１、１−ジフルオロ−２−（トランス−４−（（Ｅ）−１−プロペニル）シクロヘキシル）エタン
（化合物Ｎｏ. ２７６）
４−トリフルオロメチルベンジルオキシ−１、１−ジフルオロ−２−（トランス−４−エテニルシクロヘキシル）エタン
（化合物Ｎｏ. ２７７）
３−フルオロ−４−トリフルオロメチルベンジルオキシ−１、１−ジフルオロ−２−（トランス−４−（（Ｅ）−１−プロペニル）シクロヘキシル）エタン
（化合物Ｎｏ. ２７８）
３、５−ジフルオロ−４−トリフルオロメチルベンジルオキシ−１、１−ジフルオロ−２−（トランス−４−（（Ｅ）−１−プロペニル）シクロヘキシル）エタン
【０１７５】
（化合物Ｎｏ. ２７９）
４−（トランス−４−メチルシクロヘキシル）ベンジルオキシ−１、１−ジフルオロ−２−（トランス−４−エテニルシクロヘキシル）エタン
（化合物Ｎｏ. ２８０）
４−（トランス−４−エチルシクロヘキシル）ベンジルオキシ−１、１−ジフルオロ−２−（トランス−４−エテニルシクロヘキシル）エタン
（化合物Ｎｏ. ２８１）
４−（トランス−４−プロピルシクロヘキシル）ベンジルオキシ−１、１−ジフルオロ−２−（トランス−４−エテニルシクロヘキシル）エタン
（化合物Ｎｏ. ２８２）
４−（トランス−４−ペンチルシクロヘキシル）ベンジルオキシ−１、１−ジフルオロ−２−（トランス−４−エテニルシクロヘキシル）エタン
【０１７６】
（化合物Ｎｏ. ２８３）
４−（トランス−４−メチルシクロヘキシル）ベンジルオキシ−１、１−ジフルオロ−２−（トランス−４−（（Ｅ）−１−プロペニル）シクロヘキシル）エタン
（化合物Ｎｏ. ２８４）
４−（トランス−４−エチルシクロヘキシル）ベンジルオキシ−１、１−ジフルオロ−２−（トランス−４−（（Ｅ）−１−プロペニル）シクロヘキシル）エタン
（化合物Ｎｏ. ２８５）
４−（トランス−４−プロピルシクロヘキシル）ベンジルオキシ−１、１−ジフルオロ−２−（トランス−４−（（Ｅ）−１−プロペニル）シクロヘキシル）エタン
（化合物Ｎｏ. ２８６）
４−（トランス−４−ペンチルシクロヘキシル）ベンジルオキシ−１、１−ジフルオロ−２−（トランス−４−（（Ｅ）−１−プロペニル）シクロヘキシル）エタン
【０１７７】
（化合物Ｎｏ. ２８７）
４−（トランス−４−エテニルシクロヘキシル）ベンジルオキシ−１、１−ジフルオロ−２−（トランス−４−エテニルシクロヘキシル）エタン
（化合物Ｎｏ. ２８８）
４−（トランス−４−エテニルシクロヘキシル）ベンジルオキシ−１、１−ジフルオロ−２−（トランス−４−（（Ｅ）−１−プロペニル）シクロヘキシル）エタン
（化合物Ｎｏ. ２８９）
４−（トランス−４−（（Ｅ）−１−プロペニル）シクロヘキシル）ベンジルオキシ−１、１−ジフルオロ−２−（トランス−４−エテニルシクロヘキシル）エタン
（化合物Ｎｏ. ２９０）
４−（トランス−４−（（Ｅ）−１−プロペニル）シクロヘキシル）ベンジルオキシ−１、１−ジフルオロ−２−（トランス−４−（（Ｅ）−１−プロペニル）シクロヘキシル）エタン
【０１７８】
実施例４
（トランス−４−メチルシクロヘキシル）メチレンオキシ−１、１−ジフルオロ−２−（トランス−４−（３−ブテニル）シクロヘキシル）エタン（化合物Ｎｏ. ２９１）（一般式（１）においてｍ＝ｎ＝０、ｑ＝ｒ＝１、環Ｂおよび環Ｃが１、４−シクロヘキシレン基、ｏ＝ｐ＝１、Ｒ1 が３−ブテニル基、Ｒ2 がｎ−Ｃ３Ｈ７であるもの）の製造
【０１７９】
第１工程
攪拌機、温度計および窒素導入管を備えた1000ml三つ口フラスコ中、窒素雰囲気下２−（１、３−ジオキサン−２−イル）エチルトリフェニルホスホニウムブロミド69.6g(156.9mmol)をＴＨＦ300ml に懸濁し、ドライアイス−アセトン浴中−５０℃以下まで冷却後、カリウム−ｔ−ブトキシド18.5g （164.8mmol)を添加し、同−５０℃以下を保ちつつ２時間攪拌しイリドを調製した。次いで同温度にて実施例３、第３工程にて製造方法を示した化合物（４１）25.0g(130.8mmol)のＴＨＦ溶液70mlを20分を要して滴下し、同温度で１時間攪拌後室温まで昇温し、さらに４時間室温で攪拌した。反応溶液に水200ml を添加し反応を終了後、ＴＨＦ層を分離し、さらに水層をトルエン200ml で抽出した。抽出層は水400ml で洗浄後、無水硫酸マグネシウムで乾燥し、減圧下溶媒を留去、濃縮した。濃縮残査はシリカゲルを充填剤とし、展開溶媒としてトルエンを使用したカラムクロマトグラフィーにて精製し、無色油状の反応物32.4g を得た。これがエキソメチレン誘導体（４６）である。
【０１８０】
【化６１】
0003646399.tif 000056
【０１８１】
第２工程
500ml のナス型フラスコ中上記操作で得たエキソメチレン誘導体（４６）32.4g （117.7mmol ）をトルエン／エタノールの１／１混合溶液300ml に溶解し、５％パラジウム炭素触媒1.6gを添加し、室温下、水素圧１〜２Kg/cm2の条件下８時間攪拌した。反応溶液は触媒を炉取分別し、減圧下濃縮して反応物30.0g を得た。反応物は500ml ナス型フラスコ中トルエン100ml に溶解し、９９％−ぎ酸12.6g （270.7mmol ）を添加し、８時間加熱環流を行った。反応溶液に水100ml を添加し、トルエン300ml で抽出した。抽出層は水300ml 、飽和炭酸水素ナトリウム水溶液200ml および水300ml で順次洗浄後、無水硫酸マグネシウムで乾燥し、減圧下溶媒を留去濃縮した。濃縮残査はシリカゲルを充填剤とし、展開溶媒としてトルエンを使用したカラムクロマトグラフィーにて精製し、無色油状の反応物21.2g を得た。これがアルデヒド誘導体（４７）である。
【０１８２】
【化６２】
0003646399.tif 000057
【０１８３】
第３工程
攪拌機、温度計および窒素導入管を備えた500ml 三つ口フラスコ中、窒素雰囲気下メチルトリフェニルホスホニウムブロミド38.9g(109.2mmol)をＴＨＦ100ml に懸濁し、ドライアイス−アセトン浴中−５０℃以下まで冷却後、カリウム−ｔ−ブトキシド12.9g （114.7mmol)を添加し、同−５０℃以下を保ちつつ２時間攪拌しイリドを調製した。次いで同温度にて上記操作で得たアルデヒド誘導体（４７）21.2g(90.mmol)のＴＨＦ溶液60mlを10分を要して滴下し、同温度で１時間攪拌後室温まで昇温し、さらに４時間室温で攪拌した。反応溶液に水100ml を添加し反応を終了後、ＴＨＦ層を分離し、さらに水層をトルエン200ml で抽出した。抽出層は水300ml で洗浄後、無水硫酸マグネシウムで乾燥し、減圧下溶媒を留去、濃縮した。濃縮残査はシリカゲルを充填剤とし、展開溶媒としてトルエン−ヘプタン系の混合溶媒を使用したカラムクロマトグラフィーにて精製し、無色油状の反応物16.5g を得た。これが４−（３−ブテニル）シクロヘキシルメチレンブロミド（４８）である。
【０１８４】
【化６３】
0003646399.tif 000058
【０１８５】
第４工程
実施例３に示した方法に準じて、４−（３−ブテニル）シクロヘキシルメチレンブロミド（４８）とトランス−４−メチルシクロヘキサンカルビノールから目的物である（トランス−４−メチルシクロヘキシル）メチレンオキシ−１、１−ジフルオロ−２−（トランス−４−（３−ブテニル）シクロヘキシル）エタンを2.5g得た。尚各種スペクトルの測定結果はその構造を支持した。
ＧＣ−ＭＳ：Ｍ+ ３５６
【０１８６】
上記製造方法に準じて、トランス−４−メチルシクロヘキサンカルビノールに代えてアルキル鎖の異なるトランス−４−アルキルシクロヘキサンカルビノールを使用して以下の化合物を製造できる。
（化合物Ｎｏ. ２９２）
（トランス−４−エチルシクロヘキシル）メチレンオキシ−１、１−ジフルオロ−２−（トランス−４−（３−ブテニル）シクロヘキシル）エタン
（化合物Ｎｏ. ２９３）
（トランス−４−プロピルシクロヘキシル）メチレンオキシ−１、１−ジフルオロ−２−（トランス−４−（３−ブテニル）シクロヘキシル）エタン
（化合物Ｎｏ. ２９４）
（トランス−４−ブチルシクロヘキシル）メチレンオキシ−１、１−ジフルオロ−２−（トランス−４−（３−ブテニル）シクロヘキシル）エタン
（化合物Ｎｏ. ２９５）
（トランス−４−ペンチルシクロヘキシル）メチレンオキシ−１、１−ジフルオロ−２−（トランス−４−（３−ブテニル）シクロヘキシル）エタン
（化合物Ｎｏ. ２９６）
（トランス−４−ヘキシルシクロヘキシル）メチレンオキシ−１、１−ジフルオロ−２−（トランス−４−（３−ブテニルシクロヘキシル）エタン
（化合物Ｎｏ. ２９７）
（トランス−４−ヘプチルシクロヘキシル）メチレンオキシ−１、１−ジフルオロ−２−（トランス−４−（３−ブテニル）シクロヘキシル）エタン
【０１８７】
上記製造方法に準じて、第３工程で使用したメチルトリフェニルホスホニウムブロミドの代わりにエチルトリフェニルホスホニウムヨージドを使用し、さらに生成物を特公平４−３０３８２号記載の方法に準じ、ベンゼンスルフィン酸もしくはｐ−トルエンスルフィン酸を作用させ異性化を行うか、または特公平６−６２４６２号記載の方法に準じて、オレフィンの立体反転を行うことで、以下の化合物が製造できる。
【０１８８】
（化合物Ｎｏ. ２９８）
（トランス−４−メチルシクロヘキシル）メチレンオキシ−１、１−ジフルオロ−２−
（トランス−４−（（Ｅ）−３−ペンテニル）シクロヘキシル）エタン
（化合物Ｎｏ. ２９９）
（トランス−４−エチルシクロヘキシル）メチレンオキシ−１、１−ジフルオロ−２−（トランス−４−（（Ｅ）−３−ペンテニル）シクロヘキシル）エタン
（化合物Ｎｏ. ３００）
（トランス−４−プロピルシクロヘキシル）メチレンオキシ−１、１−ジフルオロ−２−（トランス−４−（（Ｅ）−３−ペンテニル）シクロヘキシル）エタン（化合物Ｎｏ. ３０１）
（トランス−４−ブチルシクロヘキシル）メチレンオキシ−１、１−ジフルオロ−２−（トランス−４−（（Ｅ）−３−ペンテニル）シクロヘキシル）エタン
（化合物Ｎｏ. ３０２）
（トランス−４−ペンチルシクロヘキシル）メチレンオキシ−１、１−ジフルオロ−２−（トランス−４−（（Ｅ）−３−ペンテニル）シクロヘキシル）エタン
（化合物Ｎｏ. ３０３）
（トランス−４−ヘプチルシクロヘキシル）メチレンオキシ−１、１−ジフルオロ−２−（トランス−４−（（Ｅ）−３−ペンテニル）シクロヘキシル）エタン
【０１８９】
上記製造方法に準じて、第４工程で使用したトランス−４−メチルシクロヘキサンカルビノールの代わりに種々のベンジルアルコール誘導体を使用することで、以下の化合物が製造できる。
【０１９０】
（化合物Ｎｏ. ３０４）
４−メチルベンジルオキシ−１、１−ジフルオロ−２−（トランス−４−（３−ブテニル）シクロヘキシル）エタン
（化合物Ｎｏ. ３０５）
４−エチルベンジルオキシ−１、１−ジフルオロ−２−（トランス−４−（３−ブテニル）シクロヘキシル）エタン
（化合物Ｎｏ. ３０６）
４−プロピルベンジルオキシ−１、１−ジフルオロ−２−（トランス−４−（３−ブテニル）シクロヘキシル）エタン
（化合物Ｎｏ. ３０７）
４−ペンチルベンジルオキシ−１、１−ジフルオロ−２−（トランス−４−（３−ブテニル）シクロヘキシル）エタン
（化合物Ｎｏ. ３０８）
４−ヘプチルベンジルオキシ−１、１−ジフルオロ−２−（トランス−４−（３−ブテニル）シクロヘキシル）エタン
（化合物Ｎｏ. ３０９）
４−メチルベンジルオキシ−１、１−ジフルオロ−２−（トランス−４−（（Ｅ）−３−ペンテニル）シクロヘキシル）エタン
（化合物Ｎｏ. ３１０）
４−エチルベンジルオキシ−１、１−ジフルオロ−２−（トランス−４−（（Ｅ）−３−ペンテニル）シクロヘキシル）エタン
（化合物Ｎｏ. ３１１）
４−プロピルベンジルオキシ−１、１−ジフルオロ−２−（トランス−４−（（Ｅ）−３−ペンテニル）シクロヘキシル）エタン
（化合物Ｎｏ. ３１２）
４−ペンチルベンジルオキシ−１、１−ジフルオロ−２−（トランス−４−（（Ｅ）−３−ペンテニル）シクロヘキシル）エタン
（化合物Ｎｏ. ３１３）
４−ヘプチルベンジルオキシ−１、１−ジフルオロ−２−（トランス−４−（（Ｅ）−３−ペンテニル）シクロヘキシル）エタン
【０１９１】
（化合物Ｎｏ. ３１４）
４−ビニルベンジルオキシ−１、１−ジフルオロ−２−（トランス−４−（３−ブテニル）シクロヘキシル）エタン
（化合物Ｎｏ. ３１５）
４−ビニルベンジルオキシ−１、１−ジフルオロ−２−（トランス−４−（（Ｅ）−３−ペンテニル）シクロヘキシル）エタン
（化合物Ｎｏ. ３１６）
４−（（Ｅ）−１−プロペニル）ベンジルオキシ−１、１−ジフルオロ−２−（トランス−４−（３−ブテニル）シクロヘキシル）エタン
（化合物Ｎｏ. ３１７）
４−（（Ｅ）−１−プロペニル）ベンジルオキシ−１、１−ジフルオロ−２−（トランス−４−（（Ｅ）−３−ペンテニル）シクロヘキシル）エタン
（化合物Ｎｏ. ３１８）
４−（３−ブテニル）ベンジルオキシ−１、１−ジフルオロ−２−（トランス−４−（３−ブテニル）シクロヘキシル）エタン
（化合物Ｎｏ. ３１９）
４−（３−ブテニル）ベンジルオキシ−１、１−ジフルオロ−２−（トランス−４−（（Ｅ）−３−ペンテニル）シクロヘキシル）エタン
（化合物Ｎｏ. ３２０）
４−（（Ｅ）−３−ペンテニル）ベンジルオキシ−１、１−ジフルオロ−２−（トランス−４−（３−ブテニル）シクロヘキシル）エタン
（化合物Ｎｏ. ３２１）
４−（（Ｅ）−３−ペンテニル）ベンジルオキシ−１、１−ジフルオロ−２−（トランス−４−（（Ｅ）−３−ペンテニル）シクロヘキシル）エタン
【０１９２】
（化合物Ｎｏ. ３２２）
４−シアノベンジルオキシ−１、１−ジフルオロ−２−（トランス−４−（３−ブテニル）シクロヘキシル）エタン
（化合物Ｎｏ. ３２３）
４−シアノベンジルオキシ−１、１−ジフルオロ−２−（トランス−４−（（Ｅ）−３−ペンテニル）シクロヘキシル）エタン
（化合物Ｎｏ. ３２４）
３−フルオロ−４−シアノベンジルオキシ−１、１−ジフルオロ−２−（トランス−４−（３−ブテニル）シクロヘキシル）エタン
（化合物Ｎｏ. ３２５）
３−フルオロ−４−シアノベンジルオキシ−１、１−ジフルオロ−２−（トランス−４−（（Ｅ）−３−ペンテニル）シクロヘキシル）エタン
（化合物Ｎｏ. ３２６）
３、５−ジフルオロ−４−シアノベンジルオキシ−１、１−ジフルオロ−２−（トランス−４−（３−ブテニル）シクロヘキシル）エタン
（化合物Ｎｏ. ３２７）
３、５−ジフルオロ−４−シアノベンジルオキシ−１、１−ジフルオロ−２−（トランス−４−（（Ｅ）−３−ペンテニル）シクロヘキシル）エタン
（化合物Ｎｏ. ３２８）
４−フルオロベンジルオキシ−１、１−ジフルオロ−２−（トランス−４−（３−ブテニル）シクロヘキシル）エタン
（化合物Ｎｏ. ３２９）
４−フルオロベンジルオキシ−１、１−ジフルオロ−２−（トランス−４−（（Ｅ）−３−ペンテニル）シクロヘキシル）エタン
（化合物Ｎｏ. ３３０）
３、４−ジフルオロベンジルオキシ−１、１−ジフルオロ−２−（トランス−４−（３−ブテニル）シクロヘキシル）エタン
（化合物Ｎｏ. ３３１）
３、４−ジフルオロベンジルオキシ−１、１−ジフルオロ−２−（トランス−４−（（Ｅ）−３−ペンテニル）シクロヘキシル）エタン
（化合物Ｎｏ. ３３２）
３、４、５−トリフルオロベンジルオキシ−１、１−ジフルオロ−２−（トランス−４−（３−ブテニル）シクロヘキシル）エタン
（化合物Ｎｏ. ３３３）
３、４、５−トリフルオロベンジルオキシ−１、１−ジフルオロ−２−（トランス−４−（（Ｅ）−３−ペンテニル）シクロヘキシル）エタン
（化合物Ｎｏ. ３３４）
４−トリフルオロメトキシベンジルオキシ−１、１−ジフルオロ−２−（トランス−４−（３−ブテニル）シクロヘキシル）エタン
（化合物Ｎｏ. ３３５）
４−トリフルオロメトキシベンジルオキシ−１、１−ジフルオロ−２−（トランス−４−（（Ｅ）−３−ペンテニル）シクロヘキシル）エタン
（化合物Ｎｏ. ３３６）
３−フルオロ−４−トリフルオロメトキシベンジルオキシ−１、１−ジフルオロ−２−（トランス−４−（３−ブテニル）シクロヘキシル）エタン
（化合物Ｎｏ. ３３７）
３−フルオロ−４−トリフルオロメトキシベンジルオキシ−１、１−ジフルオロ−２−（トランス−４−（（Ｅ）−３−ペンテニル）シクロヘキシル）エタン
（化合物Ｎｏ. ３３８）
３、５−ジフルオロ−４−トリフルオロメトキシベンジルオキシ−１、１−ジフルオロ−２−（トランス−４−（３−ブテニル）シクロヘキシル）エタン
（化合物Ｎｏ. ３３９）
３、５−ジフルオロ−４−トリフルオロメトキシベンジルオキシ−１、１−ジフルオロ−２−（トランス−４−（（Ｅ）−３−ペンテニル）シクロヘキシル）エタン
（化合物Ｎｏ. ３４０）
４−ジフルオロメトキシベンジルオキシ−１、１−ジフルオロ−２−（トランス−４−（３−ブテニル）シクロヘキシル）エタン
（化合物Ｎｏ. ３４１）
４−ジフルオロメトキシベンジルオキシ−１、１−ジフルオロ−２−（トランス−４−（（Ｅ）−３−ペンテニル）シクロヘキシル）エタン
（化合物Ｎｏ. ３４２）
３−フルオロ−４−ジフルオロメトキシベンジルオキシ−１、１−ジフルオロ−２−（トランス−４−（３−ブテニル）シクロヘキシル）エタン
（化合物Ｎｏ. ３４３）
３−フルオロ−４−ジフルオロメトキシベンジルオキシ−１、１−ジフルオロ−２−（トランス−４−（（Ｅ）−３−ペンテニル）シクロヘキシル）エタン
（化合物Ｎｏ. ３４４）
３、５−ジフルオロ−４−ジフルオロメトキシベンジルオキシ−１、１−ジフルオロ−２−（トランス−４−（３−ブテニル）シクロヘキシル）エタン
（化合物Ｎｏ. ３４５）
３、５−ジフルオロ−４−ジフルオロメトキシベンジルオキシ−１、１−ジフルオロ−２−（トランス−４−（（Ｅ）−３−ペンテニル）シクロヘキシル）エタン
（化合物Ｎｏ. ３４６）
４−トリフルオロメチルベンジルオキシ−１、１−ジフルオロ−２−（トランス−４−（３−ブテニル）シクロヘキシル）エタン
（化合物Ｎｏ. ３４７）
４−トリフルオロメチルベンジルオキシ−１、１−ジフルオロ−２−（トランス−４−（（Ｅ）−３−ペンテニル）シクロヘキシル）エタン
（化合物Ｎｏ. ３４８）
３−フルオロ−４−トリフルオロメチルベンジルオキシ−１、１−ジフルオロ−２−（トランス−４−（３−ブテニル）シクロヘキシル）エタン
（化合物Ｎｏ. ３４９）
３−フルオロ−４−トリフルオロメチルベンジルオキシ−１、１−ジフルオロ−２−（トランス−４−（（Ｅ）−３−ペンテニル）シクロヘキシル）エタン
（化合物Ｎｏ. ３５０）
３、５−ジフルオロ−４−トリフルオロメチルベンジルオキシ−１、１−ジフルオロ−２−（トランス−４−（３−ブテニル）シクロヘキシル）エタン
（化合物Ｎｏ. ３５１）
３、５−ジフルオロ−４−トリフルオロメチルベンジルオキシ−１、１−ジフルオロ−２−（トランス−４−（（Ｅ）−３−ペンテニル）シクロヘキシル）エタン
【０１９３】
実施例５
α、α−ジフルオロ−４−（トランス−４−エテニルシクロヘキシル）ベンジルオキシ−２−（４−（トランス−４−プロピルシクロヘキシル）フェニル）エタン（化合物Ｎｏ. ３５４）（一般式（１）においてｍ＝ｎ＝ｑ＝ｒ＝１、環Ｂおよび環Ｃが１、４−フェニレン基、環Ａおよび環Ｄがトランス−１、４−シクロヘキシレン基、ｏ＝０、ｐ＝２、Ｒ1 がエテニル基、Ｒ2 がｎ−Ｃ３Ｈ７であるもの）の製造
【０１９４】
第１工程
攪拌機、温度計、滴下ロートおよび窒素導入管を備えた1000ml三つ口フラスコ中、窒素雰囲気下攪拌しながら４−フェニルシクロヘキサノン30.0g(172.2mmol)をクロロホルム240ml に溶解し、ドライアイス−アセトン浴中−２０℃以下まで冷却後、臭素35.8g （223.8mmol)を同−２０℃以下を保ちながら２０分を要して滴下した。次いで同温度にて３０分間攪拌後、室温まで昇温し、さらに室温で４時間攪拌した。反応溶液を再度−２０℃以下まで冷却後、水200ml を添加し反応を終了した。反応溶液はクロロホルム層を分離後、水層をさらにクロロホルム200ml で抽出し、抽出層は水400ml 、飽和炭酸水素ナトリウム水溶液100ml および水400ml で順次洗浄後、無水硫酸マグネシウムで乾燥した。反応溶液は減圧下濃縮し、濃縮残査をシリカゲルを充填剤とし、展開溶媒としてトルエン−ヘプタン系の混合溶媒を使用したカラムクロマトグラフィーにて精製し、無色結晶物37.0g を得た。これが４−（４−ブロモフェニル）シクロヘキサノンである。
【０１９５】
第２工程
攪拌機、温度計、滴下ロートおよび窒素導入管を備えた1000ml三つ口フラスコ中、窒素雰囲気下メトキシメチルトリフェニルホスホニウムクロリド60.2g(175.7mmol)をＴＨＦ200ml に懸濁し、ドライアイス−アセトン浴中−５０℃以下まで冷却後、カリウム−ｔ−ブトキシド20.7g （184.5mmol)を添加し、同−５０℃以下を保ちつつ２時間攪拌しイリドを調製した。次いで同温度にて上記操作で得た４−（４−ブロモフェニル）シクロヘキサノン37.0g(131.8mmol)のＴＨＦ溶液80mlを15分を要して滴下し、同温度で１時間攪拌後室温まで昇温し、さらに４時間室温で攪拌した。反応溶液に水300ml を添加し反応を終了後、ＴＨＦ層を分離し、さらに水層をトルエン200ml で抽出した。抽出層は水500ml で洗浄後、無水硫酸マグネシウムで乾燥し、減圧下溶媒を留去、濃縮した。濃縮残査はシリカゲルを充填剤とし、展開溶媒としてトルエン−ヘプタン系の混合溶媒を使用したカラムクロマトグラフィーにて精製し、無色結晶状の反応物37.0g を得た。次いで反応物を500ml ナス型フラスコ中トルエン100ml に溶解し、９９％ぎ酸15.3g （329.4mmol ）を添加し、加熱環流を２時間行った。反応溶液に水100ml を添加し、トルエン層を分離後、水層をさらにトルエン200ml で抽出した。抽出層は水300ml 、飽和炭酸水素ナトリウム水溶液100ml および水300ml で順次洗浄後、無水硫酸マグネシウムで乾燥し、減圧下溶媒を留去、濃縮した。濃縮残査はシリカゲルを充填剤とし、展開溶媒としてトルエンを使用したカラムクロマトグラフィーにて精製し、無色結晶状の反応物31.9g を得た。これが４−（４−ブロモフェニル）シクロヘキサンカルバルデヒドである。
【０１９６】
第３工程
攪拌機、温度計、滴下ロートおよび窒素導入管を備えた500ml 三つ口フラスコ中、窒素雰囲気下メチルトリフェニルホスホニウムブロミド51.4g(143.9mmol)をＴＨＦ200ml に懸濁し、ドライアイス−アセトン浴中−５０℃以下まで冷却後、カリウム−ｔ−ブトキシド16.9g （151.1mmol)を添加し、同−５０℃以下を保ちつつ２時間攪拌しイリドを調製した。次いで同温度にて上記操作で得た４−（４−ブロモフェニル）シクロヘキサンカルバルデヒド31.9g(119.9mmol)のＴＨＦ溶液80mlを10分を要して滴下し、同温度で１時間攪拌後室温まで昇温し、さらに４時間室温で攪拌した。反応溶液に水200ml を添加し反応を終了後、ＴＨＦ層を分離し、さらに水層をトルエン200ml で抽出した。抽出層は水400ml で洗浄後、無水硫酸マグネシウムで乾燥し、減圧下溶媒を留去、濃縮した。濃縮残査はシリカゲルを充填剤とし、展開溶媒としてヘプタンを使用したカラムクロマトグラフィーにて精製し、さらにトルエン−エタノールの混合溶媒から再結晶を行い、無色結晶物19.2g を得た。これが４−（トランス−４−エテニルシクロヘキシル）ブロモベンゼン（４９）である。
【０１９７】
【化６４】
0003646399.tif 000059
【０１９８】
第４工程
実施例１に示した製造方法に準じて、上記操作で得た４−（トランス−４−エテニルシクロヘキシル）ブロモベンゼン（４９）ならびに２−（４−（トランス−４−プロピルシクロヘキシル）フェニル）エタノールから目的とするα、α−ジフルオロ−４−（トランス−４−エテニルシクロヘキシル）ベンジルオキシ−２−（４−（トランス−４−プロピルシクロヘキシル）フェニル）エタンを2.5g得た。尚各種スペクトルの測定結果はその構造を支持した。
ＧＣ−ＭＳ：Ｍ+ ４８０
【０１９９】
上記製造方法に準じて、その第４工程において２−（４−（トランス−４−プロピルシクロヘキシル）フェニル）エタノールの代わりにアルキル鎖の異なる２−（４−（トランス−４アルキルシクロヘキシル）フェニル）エタノールを使用して、以下の化合物が製造できる。
【０２００】
（化合物Ｎｏ. ３５２）
α、α−ジフルオロ−４−（トランス−４−エテニルシクロヘキシル）ベンジルオキシ−２−（４−（トランス−４−メチルシクロヘキシル）フェニル）エタン（化合物Ｎｏ. ３５３）
α、α−ジフルオロ−４−（トランス−４−エテニルシクロヘキシル）ベンジルオキシ−２−（４−（トランス−４−エチルシクロヘキシル）フェニル）エタン（化合物Ｎｏ. ３５５）
α、α−ジフルオロ−４−（トランス−４−エテニルシクロヘキシル）ベンジルオキシ−２−（４−（トランス−４−ブチルシクロヘキシル）フェニル）エタン（化合物Ｎｏ. ３５６）
α、α−ジフルオロ−４−（トランス−４−エテニルシクロヘキシル）ベンジルオキシ−２−（４−（トランス−４−ペンチルシクロヘキシル）フェニル）エタン
（化合物Ｎｏ. ３５７）
α、α−ジフルオロ−４−（トランス−４−エテニルシクロヘキシル）ベンジルオキシ−２−（４−（トランス−４−ヘキシルシクロヘキシル）フェニル）エタン
（化合物Ｎｏ. ３５８）
α、α−ジフルオロ−４−（トランス−４−エテニルシクロヘキシル）ベンジルオキシ−２−（４−（トランス−４−ヘプチルシクロヘキシル）フェニル）エタン
【０２０１】
上記製造方法に準じて、第３工程で使用したメチルトリフェニルホスホニウムブロミドの代わりにエチルトリフェニルホスホニウムヨージドを使用し、さらに生成物を特公平４−３０３８２号記載の方法に準じ、ベンゼンスルフィン酸あるいはｐ−トルエンスルフィン酸を作用させ異性化を行うか、あるいは特公平６−６２４６２号記載の方法に準じて、オレフィンの立体反転を行うことで以下の化合物が製造できる。
【０２０２】
（化合物Ｎｏ. ３５９）
α、α−ジフルオロ−４−（トランス−４−（（Ｅ）−１−プロペニル）シクロヘキシル）ベンジルオキシ−２−（４−（トランス−４−メチルシクロヘキシル）フェニル）エタン
（化合物Ｎｏ. ３６０）
α、α−ジフルオロ−４−（トランス−４−（（Ｅ）−１−プロペニル）シクロヘキシル）ベンジルオキシ−２−（４−（トランス−４−エチルシクロヘキシル）フェニル）エタン
（化合物Ｎｏ. ３６１）
α、α−ジフルオロ−４−（トランス−４−（（Ｅ）−１−プロペニル）シクロヘキシル）ベンジルオキシ−２−（４−（トランス−４−プロピルシクロヘキシル）フェニル）エタン
（化合物Ｎｏ. ３６２）
α、α−ジフルオロ−４−（トランス−４−（（Ｅ）−１−プロペニル）シクロヘキシル）ベンジルオキシ−２−（４−（トランス−４−ペンチルシクロヘキシル）フェニル）エタン
（化合物Ｎｏ. ３６３）
α、α−ジフルオロ−４−（トランス−４−（（Ｅ）−１−プロペニル）シクロヘキシル）ベンジルオキシ−２−（４−（トランス−４−ヘプチルシクロヘキシル）フェニル）エタン
【０２０３】
上記製造方法ならびに実施例４に記載の製造方法に準じて、第２工程で使用したメトキシメチルトリフェニルホスホニウムクロリドの代わりに２−（１、３−ジオキサン−２−イル）エチルトリフェニルホスホニウムブロミドを使用し、以下の化合物を製造できる。（化合物Ｎｏ. ３６４）
α、α−ジフルオロ−４−（トランス−４−（３−ブテニル）シクロヘキシル）ベンジルオキシ−２−（４−（トランス−４−メチルシクロヘキシル）フェニル）エタン
（化合物Ｎｏ. ３６５）
α、α−ジフルオロ−４−（トランス−４−（３−ブテニル）シクロヘキシル）ベンジルオキシ−２−（４−（トランス−４−エチルシクロヘキシル）フェニル）エタン
（化合物Ｎｏ. ３６６）
α、α−ジフルオロ−４−（トランス−４−（３−ブテニル）シクロヘキシル）ベンジルオキシ−２−（４−（トランス−４−プロピルシクロヘキシル）フェニル）エタン
（化合物Ｎｏ. ３６７）
α、α−ジフルオロ−４−（トランス−４−（３−ブテニル）シクロヘキシル）ベンジルオキシ−２−（４−（トランス−４−ペンチルシクロヘキシル）フェニル）エタン
（化合物Ｎｏ. ３６８）
α、α−ジフルオロ−４−（トランス−４−（３−ブテニル）シクロヘキシル）ベンジルオキシ−２−（４−（トランス−４−ヘプチルシクロヘキシル）フェニル）エタン
（化合物Ｎｏ. ３６９）
α、α−ジフルオロ−４−（トランス−４−（（Ｅ）−３−ペンテニル）シクロヘキシル）ベンジルオキシ−２−（４−（トランス−４−メチルシクロヘキシル）フェニル）エタン
（化合物Ｎｏ. ３７０）
α、α−ジフルオロ−４−（トランス−４−（（Ｅ）−３−ペンテニル）シクロヘキシル）ベンジルオキシ−２−（４−（トランス−４−エチルシクロヘキシル）フェニル）エタン
（化合物Ｎｏ. ３７１）
α、α−ジフルオロ−４−（トランス−４−（（Ｅ）−３−ペンテニル）シクロヘキシル）ベンジルオキシ−２−（４−（トランス−４−プロピルシクロヘキシル）フェニル）エタン
（化合物Ｎｏ. ３７２）
α、α−ジフルオロ−４−（トランス−４−（（Ｅ）−３−ペンテニル）シクロヘキシル）ベンジルオキシ−２−（４−（トランス−４−ペンチルシクロヘキシル）フェニル）エタン
（化合物Ｎｏ. ３７３）
α、α−ジフルオロ−４−（トランス−４−（（Ｅ）−３−ペンテニル）シクロヘキシル）ベンジルオキシ−２−（４−（トランス−４−ヘプチルシクロヘキシル）フェニル）エタン
【０２０４】
上記製造方法に準じて、種々の既知のエタノール誘導体を使用することで以下の化合物が製造できる。
（化合物Ｎｏ. ３７４）
α、α−ジフルオロ−４−（トランス−４−エテニルシクロヘキシル）ベンジルオキシ−２−（４−トリフルオロメトキシフェニル）エタン
（化合物Ｎｏ. ３７５）
α、α−ジフルオロ−４−（トランス−４−（（Ｅ）−１−プロペニル）シクロヘキシル）ベンジルオキシ−２−（４−トリフルオロメトキシフェニル）エタン（化合物Ｎｏ. ３７６）
α、α−ジフルオロ−４−（トランス−４−（３−ブテニル）シクロヘキシル）ベンジルオキシ−２−（４−トリフルオロメトキシフェニル）エタン
（化合物Ｎｏ. ３７７）
α、α−ジフルオロ−４−（トランス−４−（（Ｅ）−３−ペンテニル）シクロヘキシル）ベンジルオキシ−２−（４−トリフルオロメトキシフェニル）エタン
（化合物Ｎｏ. ３７８）
α、α−ジフルオロ−４−（トランス−４−エテニルシクロヘキシル）ベンジルオキシ−２−（３−フルオロ−４−トリフルオロメトキシフェニル）エタン
（化合物Ｎｏ. ３７９）
α、α−ジフルオロ−４−（トランス−４−（（Ｅ）−１−プロペニル）シクロヘキシル）ベンジルオキシ−２−（３−フルオロ−４−トリフルオロメトキシフェニル）エタン
（化合物Ｎｏ. ３８０）
α、α−ジフルオロ−４−（トランス−４−（３−ブテニル）シクロヘキシル）ベンジルオキシ−２−（３−フルオロ−４−トリフルオロメトキシフェニル）エタン
（化合物Ｎｏ. ３８１）
α、α−ジフルオロ−４−（トランス−４−（（Ｅ）−３−ペンテニル）シクロヘキシル）ベンジルオキシ−２−（３−フルオロ−４−トリフルオロメトキシフェニル）エタン
（化合物Ｎｏ. ３８２）
α、α−ジフルオロ−４−（トランス−４−エテニルシクロヘキシル）ベンジルオキシ−２−（３、５−ジフルオロ−４−トリフルオロメトキシフェニル）エタン
（化合物Ｎｏ. ３８３）
α、α−ジフルオロ−４−（トランス−４−（（Ｅ）−１−プロペニル）シクロヘキシル）ベンジルオキシ−２−（３、５−ジフルオロ−４−トリフルオロメトキシフェニル）エタン
（化合物Ｎｏ. ３８４）
α、α−ジフルオロ−４−（トランス−４−（３−ブテニル）シクロヘキシル）ベンジルオキシ−２−（３、５−ジフルオロ−４−トリフルオロメトキシフェニル）エタン
（化合物Ｎｏ. ３８５）
α、α−ジフルオロ−４−（トランス−４−（（Ｅ）−３−ペンテニル）シクロヘキシル）ベンジルオキシ−２−（３、５−ジフルオロ−４−トリフルオロメトキシフェニル）エタン
【０２０５】
（化合物Ｎｏ. ３８６）
α、α−ジフルオロ−４−（トランス−４−エテニルシクロヘキシル）ベンジルオキシ−２−（４−シアノフェニル）エタン
（化合物Ｎｏ. ３８７）
α、α−ジフルオロ−４−（トランス−４−（（Ｅ）−１−プロペニル）シクロヘキシル）ベンジルオキシ−２−（４−シアノフェニル）エタン
（化合物Ｎｏ. ３８８）
α、α−ジフルオロ−４−（トランス−４−（３−ブテニル）シクロヘキシル）ベンジルオキシ−２−（４−シアノフェニル）エタン
（化合物Ｎｏ. ３８９）
α、α−ジフルオロ−４−（トランス−４−（（Ｅ）−３−ペンテニル）シクロヘキシル）ベンジルオキシ−２−（４−シアノフェニル）エタン
（化合物Ｎｏ. ３９０）
α、α−ジフルオロ−４−（トランス−４−エテニルシクロヘキシル）ベンジルオキシ−２−（３−フルオロ−４−シアノフェニル）エタン
（化合物Ｎｏ. ３９１）
α、α−ジフルオロ−４−（トランス−４−（（Ｅ）−１−プロペニル）シクロヘキシル）ベンジルオキシ−２−（３−フルオロ−４−シアノフェニル）エタン
（化合物Ｎｏ. ３９２）
α、α−ジフルオロ−４−（トランス−４−（３−ブテニル）シクロヘキシル）ベンジルオキシ−２−（３−フルオロ−４−シアノフェニル）エタン
（化合物Ｎｏ. ３９３）
α、α−ジフルオロ−４−（トランス−４−（（Ｅ）−３−ペンテニル）シクロヘキシル）ベンジルオキシ−２−（３−フルオロ−４−シアノフェニル）エタン
（化合物Ｎｏ. ３９４）
α、α−ジフルオロ−４−（トランス−４−エテニルシクロヘキシル）ベンジルオキシ−２−（３、５−ジフルオロ−４−シアノフェニル）エタン
（化合物Ｎｏ. ３９５）
α、α−ジフルオロ−４−（トランス−４−（（Ｅ）−１−プロペニル）シクロヘキシル）ベンジルオキシ−２−（３、５−ジフルオロ−４−シアノフェニル）エタン
（化合物Ｎｏ. ３９６）
α、α−ジフルオロ−４−（トランス−４−（３−ブテニル）シクロヘキシル）ベンジルオキシ−２−（３、５−ジフルオロ−４−シアノフェニル）エタン
（化合物Ｎｏ. ３９７）
α、α−ジフルオロ−４−（トランス−４−（（Ｅ）−３−ペンテニル）シクロヘキシル）ベンジルオキシ−２−（３、５−ジフルオロ−４−シアノフェニル）エタン
【０２０６】
（化合物Ｎｏ. ３９８）
α、α−ジフルオロ−４−（トランス−４−エテニルシクロヘキシル）ベンジルオキシ−２−（４−トリフルオロメチルフェニル）エタン
（化合物Ｎｏ. ３９９）
α、α−ジフルオロ−４−（トランス−４−（（Ｅ）−１−プロペニル）シクロヘキシル）ベンジルオキシ−２−（４−トリフルオロメチルフェニル）エタン
（化合物Ｎｏ. ４００）
α、α−ジフルオロ−４−（トランス−４−（３−ブテニル）シクロヘキシル）ベンジルオキシ−２−（４−トリフルオロメチルフェニル）エタン
（化合物Ｎｏ. ４０１）
α、α−ジフルオロ−４−（トランス−４−（（Ｅ）−３−ペンテニル）シクロヘキシル）ベンジルオキシ−２−（４−トリフルオロメチルフェニル）エタン
（化合物Ｎｏ. ４０２）
α、α−ジフルオロ−４−（トランス−４−エテニルシクロヘキシル）ベンジルオキシ−２−（３−フルオロ−４−トリフルオロメチルフェニル）エタン
（化合物Ｎｏ. ４０３）
α、α−ジフルオロ−４−（トランス−４−（（Ｅ）−１−プロペニル）シクロヘキシル）ベンジルオキシ−２−（３−フルオロ−４−トリフルオロメチルフェニル）エタン
（化合物Ｎｏ. ４０４）
α、α−ジフルオロ−４−（トランス−４−（３−ブテニル）シクロヘキシル）ベンジルオキシ−２−（３−フルオロ−４−トリフルオロメチルフェニル）エタン
（化合物Ｎｏ. ４０５）
α、α−ジフルオロ−４−（トランス−４−（（Ｅ）−３−ペンテニル）シクロヘキシル）ベンジルオキシ−２−（３−フルオロ−４−トリフルオロメチルフェニル）エタン
（化合物Ｎｏ. ４０６）
α、α−ジフルオロ−４−（トランス−４−エテニルシクロヘキシル）ベンジルオキシ−２−（３、５−ジフルオロ−４−トリフルオロメチルフェニル）エタン（化合物Ｎｏ. ４０７）
α、α−ジフルオロ−４−（トランス−４−（（Ｅ）−１−プロペニル）シクロヘキシル）ベンジルオキシ−２−（３、５−ジフルオロ−４−トリフルオロメチルフェニル）エタン
（化合物Ｎｏ. ４０８）
α、α−ジフルオロ−４−（トランス−４−（３−ブテニル）シクロヘキシル）ベンジルオキシ−２−（３、５−ジフルオロ−４−トリフルオロメチルフェニル）エタン
（化合物Ｎｏ. ４０９）
α、α−ジフルオロ−４−（トランス−４−（（Ｅ）−３−ペンテニル）シクロヘキシル）
ベンジルオキシ−２−（３、５−ジフルオロ−４−トリフルオロメチルフェニル）エタン
【０２０７】
（化合物Ｎｏ. ４１０）
α、α−ジフルオロ−４−（トランス−４−エテニルシクロヘキシル）ベンジルオキシ−２−（４−（３−ブテニル）フェニル）エタン
（化合物Ｎｏ. ４１１）
α、α−ジフルオロ−４−（トランス−４−エテニルシクロヘキシル）ベンジルオキシ−２−（４−（（Ｅ）−３−ペンテニル）フェニル）エタン
（化合物Ｎｏ. ４１２）
α、α−ジフルオロ−４−（トランス−４−（（Ｅ）−１−プロペニル）シクロヘキシル）ベンジルオキシ−２−（４−（３−ブテニル）フェニル）エタン
（化合物Ｎｏ. ４１３）
α、α−ジフルオロ−４−（トランス−４−（（Ｅ）−１−プロペニル）シクロヘキシル）ベンジルオキシ−２−（４−（（Ｅ）−３−ペンテニル）フェニル）エタン
（化合物Ｎｏ. ４１４）
α、α−ジフルオロ−４−（トランス−４−（３−ブテニル）シクロヘキシル）ベンジルオキシ−２−（４−（３−ブテニル）フェニル）エタン
（化合物Ｎｏ. ４１５）
α、α−ジフルオロ−４−（トランス−４−（３−ブテニル）シクロヘキシル）ベンジルオキシ−２−（４−（（Ｅ）−３−ペンテニル）フェニル）エタン
（化合物Ｎｏ. ４１６）
α、α−ジフルオロ−４−（トランス−４−（（Ｅ）−３−ペンテニル）シクロヘキシル）ベンジルオキシ−２−（４−（３−ブテニル）フェニル）エタン
（化合物Ｎｏ. ４１７）
α、α−ジフルオロ−４−（トランス−４−（（Ｅ）−３−ペンテニル）シクロヘキシル）ベンジルオキシ−２−（４−（（Ｅ）−３−ペンテニル）フェニル）エタン
【０２０８】
（化合物Ｎｏ. ４１８）
α、α−ジフルオロ−２−フルオロ−４−（トランス−４−エテニルシクロヘキシル）ベンジルオキシ−２−（４−（３−ブテニル）フェニル）エタン
（化合物Ｎｏ. ４１９）
α、α−ジフルオロ−２−フルオロ−４−（トランス−４−エテニルシクロヘキシル）ベンジルオキシ−２−（４−（（Ｅ）−３−ペンテニル）フェニル）エタン
（化合物Ｎｏ. ４２０）
α、α−ジフルオロ−２−フルオロ−４−（トランス−４−（（Ｅ）−１−プロペニル）シクロヘキシル）ベンジルオキシ−２−（４−（３−ブテニル）フェニル）エタン
（化合物Ｎｏ. ４２１）
α、α−ジフルオロ−２−フルオロ−４−（トランス−４−（（Ｅ）−１−プロペニル）シクロヘキシル）ベンジルオキシ−２−（４−（（Ｅ）−３−ペンテニル）フェニル）エタン
（化合物Ｎｏ. ４２２）
α、α−ジフルオロ−２−フルオロ−４−（トランス−４−（３−ブテニル）シクロヘキシル）ベンジルオキシ−２−（４−（３−ブテニル）フェニル）エタン（化合物Ｎｏ. ４２３）
α、α−ジフルオロ−２−フルオロ−４−（トランス−４−（３−ブテニル）シクロヘキシル）ベンジルオキシ−２−（４−（（Ｅ）−３−ペンテニル）フェニル）エタン
（化合物Ｎｏ. ４２４）
α、α−ジフルオロ−２−フルオロ−４−（トランス−４−（（Ｅ）−３−ペンテニル）シクロヘキシル）ベンジルオキシ−２−（４−（３−ブテニル）フェニル）エタン
（化合物Ｎｏ. ４２５）
α、α−ジフルオロ−２−フルオロ−４−（トランス−４−（（Ｅ）−３−ペンテニル）シクロヘキシル）ベンジルオキシ−２−（４−（（Ｅ）−３−ペンテニル）フェニル）エタン
【０２０９】
（化合物Ｎｏ. ４２６）
α、α−ジフルオロ−２、６−ジフルオロ−４−（トランス−４−エテニルシクロヘキシル）ベンジルオキシ−２−（４−（３−ブテニル）フェニル）エタン
（化合物Ｎｏ. ４２７）
α、α−ジフルオロ−２、６−ジフルオロ−４−（トランス−４−エテニルシクロヘキシル）ベンジルオキシ−２−（４−（（Ｅ）−３−ペンテニル）フェニル）エタン
（化合物Ｎｏ. ４２８）
α、α−ジフルオロ−２、６−ジフルオロ−４−（トランス−４−（（Ｅ）−１−プロペニル）シクロヘキシル）ベンジルオキシ−２−（４−（３−ブテニル）フェニル）エタン（化合物Ｎｏ. ４２９）
α、α−ジフルオロ−２、６−ジフルオロ−４−（トランス−４−（（Ｅ）−１−プロペニル）シクロヘキシル）ベンジルオキシ−２−（４−（（Ｅ）−３−ペンテニル）フェニル）エタン
（化合物Ｎｏ. ４３０）
α、α−ジフルオロ−２、６−ジフルオロ−４−（トランス−４−（３−ブテニル）シクロヘキシル）ベンジルオキシ−２−（４−（３−ブテニル）フェニル）エタン
（化合物Ｎｏ. ４３１）
α、α−ジフルオロ−２、６−ジフルオロ−４−（トランス−４−（３−ブテニル）シクロヘキシル）ベンジルオキシ−２−（４−（（Ｅ）−３−ペンテニル）フェニル）エタン（化合物Ｎｏ. ４３２）
α、α−ジフルオロ−２、６−ジフルオロ−４−（トランス−４−（（Ｅ）−３−ペンテニル）シクロヘキシル）ベンジルオキシ−２−（４−（３−ブテニル）フェニル）エタン
（化合物Ｎｏ. ４３３）
α、α−ジフルオロ−２、６−ジフルオロ−４−（トランス−４−（（Ｅ）−３−ペンテニル）シクロヘキシル）ベンジルオキシ−２−（４−（（Ｅ）−３−ペンテニル）フェニル）エタン
【０２１０】
（化合物Ｎｏ. ４３４）
α、α−ジフルオロ−４−（トランス−４−エテニルシクロヘキシル）ベンジルオキシ−２−（４−（トランス−４−エテニルシクロヘキシル）フェニル）エタン
（化合物Ｎｏ. ４３５）
α、α−ジフルオロ−４−（トランス−４−エテニルシクロヘキシル）ベンジルオキシ−２−（４−（トランス−４−（（Ｅ）−１−プロペニル）シクロヘキシル）フェニル）エタン
（化合物Ｎｏ. ４３６）
α、α−ジフルオロ−４−（トランス−４−エテニルシクロヘキシル）ベンジルオキシ−２−（４−（トランス−４−（３−ブテニル）シクロヘキシル）フェニル）エタン
（化合物Ｎｏ. ４３７）
α、α−ジフルオロ−４−（トランス−４−エテニルシクロヘキシル）ベンジルオキシ−２−（４−（トランス−４−（（Ｅ）−３−ペンテニル）シクロヘキシル）フェニル）エタン
（化合物Ｎｏ. ４３８）
α、α−ジフルオロ−４−（トランス−４−（（Ｅ）−１−プロペニル）シクロヘキシル）ベンジルオキシ−２−（４−（トランス−４−エテニルシクロヘキシル）フェニル）エタン
（化合物Ｎｏ. ４３９）
α、α−ジフルオロ−４−（トランス−４−（（Ｅ）−１−プロペニル）シクロヘキシル）ベンジルオキシ−２−（４−（トランス−４−（（Ｅ）−１−プロペニル）シクロヘキシル）フェニル）エタン
（化合物Ｎｏ. ４４０）
α、α−ジフルオロ−４−（トランス−４−（（Ｅ）−１−プロペニル）シクロヘキシル）ベンジルオキシ−２−（４−（トランス−４−（３−ブテニル）シクロヘキシル）フェニル）エタン
（化合物Ｎｏ. ４４１）
α、α−ジフルオロ−４−（トランス−４−（（Ｅ）−１−プロペニル）シクロヘキシル）ベンジルオキシ−２−（４−（トランス−４−（（Ｅ）−３−ペンテニル）シクロヘキシル）フェニル）エタン
（化合物Ｎｏ. ４４２）
α、α−ジフルオロ−４−（トランス−４−（３−ブテニル）シクロヘキシル）ベンジルオキシ−２−（４−（トランス−４−エテニルシクロヘキシル）フェニル）エタン
（化合物Ｎｏ. ４４３）
α、α−ジフルオロ
−４−（トランス−４−（３−ブテニル）シクロヘキシル）ベンジルオキシ−２−（４−（トランス−４−（（Ｅ）−１−プロペニル）シクロヘキシル）フェニル）エタン
（化合物Ｎｏ. ４４４）
α、α−ジフルオロ−４−（トランス−４−（３−ブテニル）シクロヘキシル）ベンジルオキシ−２−（４−（トランス−４−（３−ブテニル）シクロヘキシル）フェニル）エタン
（化合物Ｎｏ. ４４５）
α、α−ジフルオロ−４−（トランス−４−（３−ブテニル）シクロヘキシル）ベンジルオキシ−２−（４−（トランス−４−（（Ｅ）−３−ペンテニル）シクロヘキシル）フェニル）エタン
（化合物Ｎｏ. ４４６）
α、α−ジフルオロ−４−（トランス−４−（（Ｅ）−３−ペンテニル）シクロヘキシル）ベンジルオキシ−２−（４−（トランス−４−エテニルシクロヘキシル）フェニル）エタン
（化合物Ｎｏ. ４４７）
α、α−ジフルオロ−４−（トランス−４−（（Ｅ）−３−ペンテニル）シクロヘキシル）ベンジルオキシ−２−（４−（トランス−４−（（Ｅ）−１−プロペニル）シクロヘキシル）フェニル）エタン
（化合物Ｎｏ. ４４８）
α、α−ジフルオロ−４−（トランス−４−（（Ｅ）−３−ペンテニル）シクロヘキシル）ベンジルオキシ−２−（４−（トランス−４−（３−ブテニル）シクロヘキシル）フェニル）エタン
（化合物Ｎｏ. ４４９）
α、α−ジフルオロ−４−（トランス−４−（（Ｅ）−３−ペンテニル）シクロヘキシル）ベンジルオキシ−２−（４−（トランス−４−（（Ｅ）−３−ペンテニル）シクロヘキシル）フェニル）エタン
【０２１１】
（化合物Ｎｏ. ４５０）
α、α−ジフルオロ−２−フルオロ−４−（トランス−４−エテニルシクロヘキシル）ベンジルオキシ−２−（４−（トランス−４−エテニルシクロヘキシル）フェニル）エタン
（化合物Ｎｏ. ４５１）
α、α−ジフルオロ−２−フルオロ−４−（トランス−４−エテニルシクロヘキシル）ベンジルオキシ−２−（４−（トランス−４−（（Ｅ）−１−プロペニル）シクロヘキシル）フェニル）エタン
（化合物Ｎｏ. ４５２）
α、α−ジフルオロ−２−フルオロ−４−（トランス−４−エテニルシクロヘキシル）ベンジルオキシ−２−（４−（トランス−４−（３−ブテニル）シクロヘキシル）フェニル）エタン
（化合物Ｎｏ. ４５３）
α、α−ジフルオロ−２−フルオロ−４−（トランス−４−エテニルシクロヘキシル）ベンジルオキシ−２−（４−（トランス−４−（（Ｅ）−３−ペンテニル）シクロヘキシル）フェニル）エタン
（化合物Ｎｏ. ４５４）
α、α−ジフルオロ−２−フルオロ−４−（トランス−４−（（Ｅ）−１−プロペニル）シクロヘキシル）ベンジルオキシ−２−（４−（トランス−４−エテニルシクロヘキシル）フェニル）エタン
（化合物Ｎｏ. ４５５）
α、α−ジフルオロ−２−フルオロ−４−（トランス−４−（（Ｅ）−１−プロペニル）シクロヘキシル）ベンジルオキシ−２−（４−（トランス−４−（（Ｅ）−１−プロペニル）シクロヘキシル）フェニル）エタン
（化合物Ｎｏ. ４５６）
α、α−ジフルオロ−２−フルオロ−４−（トランス−４−（（Ｅ）−１−プロペニル）シクロヘキシル）ベンジルオキシ−２−（４−（トランス−４−（３−ブテニル）シクロヘキシル）フェニル）エタン
（化合物Ｎｏ. ４５７）
α、α−ジフルオロ−２−フルオロ−４−（トランス−４−（（Ｅ）−１−プロペニル）シクロヘキシル）ベンジルオキシ−２−（４−（トランス−４−（（Ｅ）−３−ペンテニル）シクロヘキシル）フェニル）エタン
（化合物Ｎｏ. ４５８）
α、α−ジフルオロ−２−フルオロ−４−（トランス−４−（３−ブテニル）シクロヘキシル）ベンジルオキシ−２−（４−（トランス−４−エテニルシクロヘキシル）フェニル）エタン
（化合物Ｎｏ. ４５９）
α、α−ジフルオロ−２−フルオロ−４−（トランス−４−（３−ブテニル）シクロヘキシル）ベンジルオキシ−２−（４−（トランス−４−（（Ｅ）−１−プロペニル）シクロヘキシル）フェニル）エタン
（化合物Ｎｏ. ４６０）
α、α−ジフルオロ−２−フルオロ−４−（トランス−４−（３−ブテニル）シクロヘキシル）ベンジルオキシ−２−（４−（トランス−４−（３−ブテニル）シクロヘキシル）フェニル）エタン
（化合物Ｎｏ. ４６１）
α、α−ジフルオロ−２−フルオロ−４−（トランス−４−（３−ブテニル）シクロヘキシル）ベンジルオキシ−２−（４−（トランス−４−（（Ｅ）−３−ペンテニル）シクロヘキシル）フェニル）エタン
（化合物Ｎｏ. ４６２）
α、α−ジフルオロ−２−フルオロ−４−（トランス−４−（（Ｅ）−３−ペンテニル）シクロヘキシル）ベンジルオキシ−２−（４−（トランス−４−エテニルシクロヘキシル）フェニル）エタン
（化合物Ｎｏ. ４６３）
α、α−ジフルオロ−２−フルオロ−４−（トランス−４−（（Ｅ）−３−ペンテニル）シクロヘキシル）ベンジルオキシ−２−（４−（トランス−４−（（Ｅ）−１−プロペニル）シクロヘキシル）フェニル）エタン
（化合物Ｎｏ. ４６４）
α、α−ジフルオロ−２−フルオロ−４−（トランス−４−（（Ｅ）−３−ペンテニル）シクロヘキシル）ベンジルオキシ−２−（４−（トランス−４−（３−ブテニル）シクロヘキシル）フェニル）エタン
（化合物Ｎｏ. ４６５）
α、α−ジフルオロ−２−フルオロ−４−（トランス−４−（（Ｅ）−３−ペンテニル）シクロヘキシル）ベンジルオキシ−２−（４−（トランス−４−（（Ｅ）−３−ペンテニル）シクロヘキシル）フェニル）エタン
【０２１２】
（化合物Ｎｏ. ４６６）
α、α−ジフルオロ−２−フルオロ−４−（トランス−４−エテニルシクロヘキシル）ベンジルオキシ−２−（４−（トランス−４−メチルシクロヘキシル）フェニル）エタン
（化合物Ｎｏ. ４６７）
α、α−ジフルオロ−２−フルオロ−４−（トランス−４−エテニルシクロヘキシル）ベンジルオキシ−２−（４−（トランス−４−エチルシクロヘキシル）フェニル）エタン
（化合物Ｎｏ. ４６８）
α、α−ジフルオロ−２−フルオロ−４−（トランス−４−エテニルシクロヘキシル）ベンジルオキシ−２−（４−（トランス−４−ブチルシクロヘキシル）フェニル）エタン
（化合物Ｎｏ. ４６９）
α、α−ジフルオロ−２−フルオロ−４−（トランス−４−エテニルシクロヘキシル）ベンジルオキシ−２−（４−（トランス−４−ペンチルシクロヘキシル）フェニル）エタン（化合物Ｎｏ. ４７０）
α、α−ジフルオロ−２−フルオロ−４−（トランス−４−エテニルシクロヘキシル）ベンジルオキシ−２−（４−（トランス−４−ヘキシルシクロヘキシル）フェニル）エタン（化合物Ｎｏ. ４７１）
α、α−ジフルオロ−２−フルオロ−４−（トランス−４−エテニルシクロヘキシル）ベンジルオキシ−２−（４−（トランス−４−ヘプチルシクロヘキシル）フェニル）エタン
【０２１３】
（化合物Ｎｏ. ４７２）
α、α−ジフルオロ−２−フルオロ−４−（トランス−４−（（Ｅ）−１−プロペニル）シクロヘキシル）ベンジルオキシ−２−（４−（トランス−４−メチルシクロヘキシル）フェニル）エタン
（化合物Ｎｏ. ４７３）
α、α−ジフルオロ−２−フルオロ−４−（トランス−４−（（Ｅ）−１−プロペニル）シクロヘキシル）ベンジルオキシ−２−（４−（トランス−４−エチルシクロヘキシル）フェニル）エタン
（化合物Ｎｏ. ４７４）
α、α−ジフルオロ−２−フルオロ−４−（トランス−４−（（Ｅ）−１−プロペニル）シクロヘキシル）ベンジルオキシ−２−（４−（トランス−４−プロピルシクロヘキシル）フェニル）エタン
（化合物Ｎｏ. ４７５）
α、α−ジフルオロ−２−フルオロ−４−（トランス−４−（（Ｅ）−１−プロペニル）シクロヘキシル）ベンジルオキシ−２−（４−（トランス−４−ペンチルシクロヘキシル）フェニル）エタン
（化合物Ｎｏ. ４７６）
α、α−ジフルオロ−２−フルオロ−４−（トランス−４−（（Ｅ）−１−プロペニル）シクロヘキシル）ベンジルオキシ−２−（４−（トランス−４−ヘプチルシクロヘキシル）フェニル）エタン
【０２１４】
（化合物Ｎｏ. ４７７）
α、α−ジフルオロ−２−フルオロ−４−（トランス−４−（３−ブテニル）シクロヘキシル）ベンジルオキシ−２−（４−（トランス−４−メチルシクロヘキシル）フェニル）エタン
（化合物Ｎｏ. ４７８）
α、α−ジフルオロ−２−フルオロ−４−（トランス−４−（３−ブテニル）シクロヘキシル）ベンジルオキシ−２−（４−（トランス−４−エチルシクロヘキシル）フェニル）エタン
（化合物Ｎｏ. ４７９）
α、α−ジフルオロ−２−フルオロ−４−（トランス−４−（３−ブテニル）シクロヘキシル）ベンジルオキシ−２−（４−（トランス−４−プロピルシクロヘキシル）フェニル）エタン
（化合物Ｎｏ. ４８０）
α、α−ジフルオロ−２−フルオロ−４−（トランス−４−（３−ブテニル）シクロヘキシル）ベンジルオキシ−２−（４−（トランス−４−ペンチルシクロヘキシル）フェニル）エタン
（化合物Ｎｏ. ４８１）
α、α−ジフルオロ−２−フルオロ−４−（トランス−４−（３−ブテニル）シクロヘキシル）ベンジルオキシ−２−（４−（トランス−４−ヘプチルシクロヘキシル）フェニル）エタン
（化合物Ｎｏ. ４８２）
α、α−ジフルオロ−２−フルオロ−４−（トランス−４−（（Ｅ）−３−ペンテニル）シクロヘキシル）ベンジルオキシ−２−（４−（トランス−４−メチルシクロヘキシル）フェニル）エタン
（化合物Ｎｏ. ４８３）
α、α−ジフルオロ−２−フルオロ−４−（トランス−４−（（Ｅ）−３−ペンテニル）シクロヘキシル）ベンジルオキシ−２−（４−（トランス−４−エチルシクロヘキシル）フェニル）エタン
（化合物Ｎｏ. ４８４）
α、α−ジフルオロ−２−フルオロ−４−（トランス−４−（（Ｅ）−３−ペンテニル）シクロヘキシル）ベンジルオキシ−２−（４−（トランス−４−プロピルシクロヘキシル）フェニル）エタン
（化合物Ｎｏ. ４８５）
α、α−ジフルオロ−２−フルオロ−４−（トランス−４−（（Ｅ）−３−ペンテニル）シクロヘキシル）ベンジルオキシ−２−（４−（トランス−４−ペンチルシクロヘキシル）フェニル）エタン
（化合物Ｎｏ. ４８６）
α、α−ジフルオロ−２−フルオロ−４−（トランス−４−（（Ｅ）−３−ペンテニル）シクロヘキシル）ベンジルオキシ−２−（４−（トランス−４−ヘプチルシクロヘキシル）フェニル）エタン
【０２１５】
実施例６（使用例１）
４−（トランス−４−プロピルシクロヘキシル）ベンゾニトリル  ２４％（重量％、以下同じ）
４−（トランス−４−ペンチルシクロヘキシル）ベンゾニトリル  ３６％
４−（トランス−４−ヘプチルシクロヘキシル）ベンゾニトリル  ２５％
４−（４−プロピルフェニル）ベンゾニトリル                  １５％
からなる組成の液晶組成物のネマチック液晶の透明点（Ｃｐ）は７２．４℃である。この液晶組成物をセル厚９μｍのＴＮセル（ねじれネマチックセル）に封入したものの動作しきい値電圧（Ｖｔｈ）は１．７８Ｖ、誘電率異方性値（△ε）は＋１１．０、屈折率異方性値（△ｎ）は０．１３７、また２０℃における粘度（η20）は２７．０ｍＰａ・ｓであった。この液晶組成物を母液晶（以下母液晶Ａと省略）としてその８５部に実施例２に示したα、α−ジフルオロ−４−（トランス−４−プロピルシクロヘキシル）ベンジルオキシ−２−（３、４、５−トリフルオロフェニル）エタン（化合物Ｎｏ. ８２）１５部を混合し、その物性値を測定した。その結果Ｃｐ：６５．１℃、Ｖｔｈ：１．４３Ｖ、△ε：１１．６、△ｎ：０．１２１、η20：２６．９ｍＰａ・ｓであった。また、この組成物を−２０℃のフリーザーに２５日間放置したが結晶の析出およびスメクチック相の発現等は認められなかった。
【０２１６】
実施例７（使用例２）
母液晶Ａの８５部に実施例２に示したα、α−ジフルオロ−４−（トランス−４−プロピルシクロヘキシル）ベンジルオキシ−２−（４−（トランス−４−ペンチルシクロヘキシル）フェニル）エタン（化合物Ｎｏ. １７６）１５部を混合し、その物性値を測定した。その結果Ｃｐ：９６．０℃、Ｖｔｈ：１．９１Ｖ、△ε：９．９、△ｎ：０．１２９、η20：２８．５ｍＰａ・ｓであった。また、この組成物を−２０℃のフリーザーに２５日間放置したが結晶の析出およびスメクチック相の発現等は認められなかった。
【０２１７】
【比較例】
本発明の比較化合物として従来の技術の項に示したＵＳＰ−５、０３２、３１３号記載の化合物（１１ａ）（Ｒ＝Ｃ3 Ｈ7 ）、特開平５−３１０６０５号記載の化合物（１４ａ）並びに特公昭６２−４６５２７号記載の４環系化合物（５０）を特許公報記載の製造方法にて実際に合成した。
【０２１８】
【化６５】
0003646399.tif 000060
【０２１９】
【化６６】
0003646399.tif 000061
【０２２０】
【化６７】
0003646399.tif 000062
【０２２１】
上記化合物を比較化合物として上述の母液晶Ａ８５部に比較化合物１５部を混合、新たに液晶組成物を調製し、物性値を測定した。また、相溶性を判断する目的にて調製した液晶組成物はそのまま−２０℃のフリーザー中に放置し、放置開始から液晶組成物中に結晶物の析出あるいはスメクチック相が発現するまでの日数を測定した。実施例６および７の結果と併せて物性値を表２に示す（（）内の数値は母液晶からの外挿値である）。
【０２２２】
【表２】
0003646399.tif 000063
【０２２３】
表２から本発明の化合物（化合物Ｎｏ．８２）は化合物（１１ａ）および（１４ａ）と比較し、大きな誘電率異方性値を示すことが判る。さらに驚くべきことには、比較化合物（１１ａ）および（１４ａ）が母液晶Ａと比較し、粘度の上昇をもたらしたのに対し、本発明の化合物（化合物Ｎｏ．８２）では粘度を上昇させないで、しきい値電圧のみを比較化合物よりも０．１〜０．２Ｖも低下させていることである。
一方、本発明の化合物（化合物Ｎｏ．１７６）と中央結合基を持たない比較化合物（５０）との比較においては、化合物（５０）が非常に高い透明点を有し、１５％の混合で透明点を３０℃近くも上昇させていることが判る。しかし、その粘度においては母液晶と比較し、約１７．７％もの上昇が見られる。それに対し、本発明の化合物（化合物Ｎｏ．１７６）では透明点を上昇させる能力（約２４℃）においては比較化合物よりもやや劣るものの、その粘度については母液晶と比較し、わずか５％上昇させたのみであり、非常に低粘性であることが判る。また、相溶性においては比較化合物（１１ａ）および（５０）が２週間以内に液晶組成物中に結晶の析出が認められたのに対し、本発明の化合物（化合物Ｎｏ．８２）および（化合物Ｎｏ．１７６）では３週間以上にわたり結晶の析出あるいはスメクチック相の発現は認められず、非常に優れた低温相溶性を有することが判明した。
【０２２４】
以上、実施例および比較例に示したように、本発明の化合物は、
１）低いしきい値電圧を示し、
２）低粘性であり、
３）他の既知の液晶性化合物との相溶性、特に低温相溶性に優れた特性を有するので、これを液晶組成物の成分として使用することにより、低電圧駆動および高速応答可能な液晶組成物または液晶表示素子を提供することができる。
【発明の効果】
本発明の一般式（１）で表される化合物は、外部環境に対して非常に安定であり、かつ非常に低粘性であり、また、大きな誘電率異方性を有する。さらに他の液晶化合物との相溶性、特に低温相溶性に優れた化合物である。さらに本発明の化合物の利用として置換基Ｒ1 にアルキル基、Ｒ2 にＣＮ基以外を選択したものは高い電圧保持率を示し、ＴＦＴ方式の表示素子用の液晶材料、特に低電圧駆動、高速応答用に好ましい特性を示し、一方置換基Ｒ1 にアルケニル基、アルキル基、Ｒ2 にアルケニル基あるいはＣＮ基を選択したものは極めて低粘性あるいは高い透明点を有し、ＳＴＮ表示素子用の減粘剤として非常に有用である。本発明の化合物の使用により、外部環境に対して安定であり、低電圧駆動かつ高速応答の可能な新規な液晶組成物および液晶表示素子を提供することができる。